(57)【要約】【課題】予告演出として、演出態様が異なる複数種類の予告演出を有し、実行される予告演出によって、遊技者に報知する大当り信頼度を異ならせ、遊技演出を多様化していた。一方で、遊技演出の種類が多様化しすぎることで、遊技者が実行された予告演出の大当り信頼度等を把握することが困難となってしまい、かえって遊技興趣を低下させてしまう虞がある。【解決手段】前述の課題に鑑みて、多様な遊技演出を備えつつ、遊技興趣を向上させる遊技機を提供する。【選択図】図４４
2018047351.tif 000002
【特許請求の範囲】
【請求項１】
所定条件の成立に基づいて、識別情報を変動表示する識別情報表示手段と、
前記識別情報の変動表示に伴って所定の遊技演出を実行可能な遊技演出実行手段と、
遊技球が入球可能な入球可能状態と、遊技球が入球不能な入球不能状態と、に変化可能な可変入球口と、
前記識別情報の変動表示の結果が特定結果となると前記可変入球口を入球可能状態とする特別遊技を実行する特別遊技実行手段と、
を備えた遊技機であって、
特定の識別情報の変動表示の内容を示す演出であって、当該特定の識別情報の変動表示より前の識別情報の変動表示に伴って開始する事前演出と、
前記特定の識別情報の変動表示の内容を示す演出であって、当該特定の識別情報の変動表示に伴って開始する特定演出と、を有し、
前記遊技演出として、第１遊技演出を有し、
前記第１遊技演出は、前記事前演出及び前記特定演出の何れとしても実行可能とされると共に、前記事前演出として実行される場合の方が、前記特定演出として実行される場合よりも、前記特別遊技の実行可能性として高い可能性を示すことが多い
ことを特徴とする遊技機。
【請求項２】
前記第１遊技演出が前記事前演出として実行された場合、当該事前演出に係る前記特定の識別情報の変動表示の終了後の所定期間、前記第１遊技演出が前記特定演出として実行されるのを制限することを特徴とする請求項１に記載の遊技機。
【請求項３】
前記遊技演出として、第２遊技演出を有し、
前記特定演出として実行される前記第２遊技演出は、前記特定演出として実行される前記第１遊技演出よりも、前記特別遊技の実行可能性として高い可能性を示すものとされ、
前記第２遊技演出は、前記所定期間においてのみ前記特定演出として実行可能であることを特徴とする請求項２に記載の遊技機。
【請求項４】
前記遊技演出として、第２遊技演出を有し、
前記特定演出として実行される前記第２遊技演出は、前記特定演出として実行される前記第１遊技演出よりも、前記特別遊技の実行可能性として高い可能性を示すものとされ、
前記所定期間において前記第２遊技演出が前記特定演出として実行される可能性は、前記所定期間経過後に前記第２遊技演出が前記特定演出として実行される可能性よりも高いことを特徴とする請求項２に記載の遊技機。
【請求項５】
所定条件の成立に基づいて、識別情報を変動表示する識別情報表示手段と、
前記識別情報の変動表示に伴って所定の遊技演出を実行可能な遊技演出実行手段と、
遊技球が入球可能な入球可能状態と、遊技球が入球不能な入球不能状態と、に変化可能な可変入球口と、
前記識別情報の変動表示の結果が特定結果となると前記可変入球口を入球可能状態とする特別遊技を実行する特別遊技実行手段と、
を備えた遊技機であって、
特定の識別情報の変動表示の内容を示す演出であって、当該特定の識別情報の変動表示より前の識別情報の変動表示に伴って開始する事前演出と、
前記特定の識別情報の変動表示の内容を示す演出であって、当該特定の識別情報の変動表示に伴って開始する特定演出と、を有し、
前記遊技演出として、第１特定予告演出と、前記特別遊技の実行可能性として前記第１予告演出よりも高い可能性を示す第２特定予告演出と、を有し、
前記第１特定予告演出及び前記第２特定予告演出は、前記事前演出及び前記特定演出の何れとしても実行可能とされ、
前記第１特定予告演出が前記事前演出として実行される場合の方が、前記第１特定予告演出が前記特定演出として実行される場合よりも、前記特別遊技の実行可能性として高い可能性を示すことが多いものとされ、
前記第１特定予告演出又は前記第２特定予告演出が前記事前演出として実行された場合、当該事前演出に係る前記特定の識別情報の変動表示の終了後の所定期間、前記第１特定予告演出が前記特定演出として実行されるのを制限する
ことを特徴とする遊技機。
【発明の詳細な説明】
【技術分野】
【０００１】
本発明は、遊技機に関し、特にパチンコ遊技機等に適用することができる。
【背景技術】
【０００２】
従来の遊技機において、始動口への入球に基づいて所定の大当り確率で当否判定を行い、当否判定の結果が大当りになると大入賞口を開放する大当り遊技を実行するものがあった。また、当否判定の結果等を示す演出として、図柄を変動表示すると共に、予告演出やリーチ演出等の遊技演出を実行するものがあった（例えば、特許文献１）。
【０００３】
また、このような遊技演出として、当否判定の結果を、当該当否判定の結果を示す図柄の変動表示中に示す予告演出と、当否判定の結果を、当該当否判定の結果を示す図柄の変動表示より前に実行される図柄の変動表示中に示す予告演出（事前演出）と、を有するものがある。
【先行技術文献】
【特許文献】
【０００４】
【特許文献１】特開２００４−２３６９７４
【発明の概要】
【発明が解決しようとする課題】
【０００５】
前述したような予告演出として、演出態様が異なる複数種類の予告演出を有し、実行される予告演出によって、遊技者に報知する大当り信頼度を異ならせ、遊技演出を多様化していた。一方で、遊技演出の種類が多様化しすぎることで、遊技者が実行された予告演出の大当り信頼度等を把握することが困難となってしまい、かえって遊技興趣を低下させてしまう虞がある。
【０００６】
本発明は、前述の事情に鑑みてなされたものであり、多様な遊技演出を備えつつ、遊技興趣を向上させる遊技機を提供するものである。
【課題を解決するための手段】
【０００７】
前述の課題を解決するための第１発明の遊技機は、
所定条件の成立に基づいて、識別情報を変動表示する識別情報表示手段と、
前記識別情報の変動表示に伴って所定の遊技演出を実行可能な遊技演出実行手段と、
遊技球が入球可能な入球可能状態と、遊技球が入球不能な入球不能状態と、に変化可能な可変入球口と、
前記識別情報の変動表示の結果が特定結果となると前記可変入球口を入球可能状態とする特別遊技を実行する特別遊技実行手段と、
を備えた遊技機であって、
特定の識別情報の変動表示の内容を示す演出であって、当該特定の識別情報の変動表示より前の識別情報の変動表示に伴って開始する事前演出と、
前記特定の識別情報の変動表示の内容を示す演出であって、当該特定の識別情報の変動表示に伴って開始する特定演出と、を有し、
前記遊技演出として、第１遊技演出を有し、
前記第１遊技演出は、前記事前演出及び前記特定演出の何れとしても実行可能とされると共に、前記事前演出として実行される場合の方が、前記特定演出として実行される場合よりも、前記特別遊技の実行可能性として高い可能性を示すことが多い
ことを特徴とするものである。
【０００８】
このような遊技機によれば、特定の識別情報の変動表示の内容を示す演出であって、当該特定の識別情報の変動表示より前の識別情報の変動表示に伴って開始する事前演出と、特定の識別情報の変動表示の内容を示す演出であって、当該特定の識別情報の変動表示に伴って開始する特定演出と、を有している。また、遊技演出の一つである第１遊技演出は、事前演出及び特定演出の何れとしても実行可能とされており、事前演出として実行される場合の方が、特定演出として実行される場合よりも、特別遊技実行可能性として高い可能性を示すことが多いものとされている。
【０００９】
これにより、同様の演出態様を事前演出として実行するか、特定演出として実行するかによって、遊技者に報知する特別遊技実行可能性を異ならせ、遊技演出を多様化することが可能となる。またこれにより、第１遊技演出が実行されたことだけでなく、事前演出か特定演出か何れとして実行されたかに注目させ、遊技興趣を高めることが可能となる。
【００１０】
また、第２発明の遊技機は、第１発明の遊技機において、
前記第１遊技演出が前記事前演出として実行された場合、当該事前演出に係る前記特定の識別情報の変動表示の終了後の所定期間、前記第１遊技演出が前記特定演出として実行されるのを制限することを特徴とするものである。
【００１１】
このような遊技機によれば、第１遊技演出が事前演出として実行された場合には、当該事前演出に係る識別情報の変動表示の終了後の所定期間、第１遊技演出が特定演出として実行されることを制限する。これにより、比較的高い特別遊技実行可能性を示す事前演出としての第１遊技演出が実行された直後に、同様の演出態様であるにも関わらず、低い特別遊技実行可能性を示す特定演出としての第１遊技演出が実行されることを制限することが可能となる。またこれにより、実行される遊技演出に期待感を持つことができず、遊技興趣が低下してしまうのを防止することが可能となる。
【００１２】
ここで、「制限する」とは、実行不能と（実行を禁止）してもよいし、実行頻度（実行確率）を低下させてもよい。また、「所定期間」とは、識別情報の変動表示の回数で規定してもよいし、時間で規定してもよいし、特定条件（所定の判定に当選等）の成立回数（１又は複数）で規定してもよい。
【００１３】
また、第３発明の遊技機は、第２発明の遊技機において、
前記遊技演出として、第２遊技演出を有し、
前記特定演出として実行される前記第２遊技演出は、前記特定演出として実行される前記第１遊技演出よりも、前記特別遊技の実行可能性として高い可能性を示すものとされ、
前記第２遊技演出は、前記所定期間においてのみ前記特定演出として実行可能であることを特徴とするものである。
【００１４】
このような遊技機によれば、遊技演出として、第１遊技演出と第２遊技演出とを有している。そして、第１遊技演出及び第２遊技演出は、特定演出として実行される場合、第２遊技演出の方が第１遊技演出よりも、特別遊技の実行可能性として高い可能性を示すものとされる。また、この第２遊技演出を、所定期間においてのみ特定演出として実行可能としている。これにより、所定期間において、第１遊技演出よりも高い特別遊技実行可能性を示す第２遊技演出を実行可能とし、所定期間における遊技興趣の向上を図ることが可能となる。
【００１５】
また、第４発明の遊技機は、第２発明の遊技機において、
前記遊技演出として、第２遊技演出を有し、
前記特定演出として実行される前記第２遊技演出は、前記特定演出として実行される前記第１遊技演出よりも、前記特別遊技の実行可能性として高い可能性を示すものとされ、
前記所定期間において前記第２遊技演出が前記特定演出として実行される可能性は、前記所定期間経過後に前記第２遊技演出が前記特定演出として実行される可能性よりも高いことを特徴とするものである。
【００１６】
このような遊技機によれば、遊技演出として、第１遊技演出と第２遊技演出とを有している。そして、第１遊技演出及び第２遊技演出は、特定演出として実行される場合、第２遊技演出の方が第１遊技演出よりも、特別遊技の実行可能性として高い可能性を示すものとされる。また、この第２遊技演出が特定演出として実行される可能性を、所定期間経過後よりも所定期間において高くしている。これにより、所定期間において、第１遊技演出よりも高い特別遊技実行可能性を示す第２遊技演出を、高い可能性で実行可能とし、所定期間における遊技興趣の向上を図ることが可能となる。
【００１７】
また、第５発明の遊技機は、
所定条件の成立に基づいて、識別情報を変動表示する識別情報表示手段と、
前記識別情報の変動表示に伴って所定の遊技演出を実行可能な遊技演出実行手段と、
遊技球が入球可能な入球可能状態と、遊技球が入球不能な入球不能状態と、に変化可能な可変入球口と、
前記識別情報の変動表示の結果が特定結果となると前記可変入球口を入球可能状態とする特別遊技を実行する特別遊技実行手段と、
を備えた遊技機であって、
特定の識別情報の変動表示の内容を示す演出であって、当該特定の識別情報の変動表示より前の識別情報の変動表示に伴って開始する事前演出と、
前記特定の識別情報の変動表示の内容を示す演出であって、当該特定の識別情報の変動表示に伴って開始する特定演出と、を有し、
前記遊技演出として、第１特定予告演出と、前記特別遊技の実行可能性として前記第１予告演出よりも高い可能性を示す第２特定予告演出と、を有し、
前記第１特定予告演出及び前記第２特定予告演出は、前記事前演出及び前記特定演出の何れとしても実行可能とされ、
前記第１特定予告演出が前記事前演出として実行される場合の方が、前記第１特定予告演出が前記特定演出として実行される場合よりも、前記特別遊技の実行可能性として高い可能性を示すことが多いものとされ、
前記第１特定予告演出又は前記第２特定予告演出が前記事前演出として実行された場合、当該事前演出に係る前記特定の識別情報の変動表示の終了後の所定期間、前記第１特定予告演出が前記特定演出として実行されるのを制限する
ことを特徴とするものである。
【００１８】
このような遊技機によれば、特定の識別情報の変動表示の内容を示す演出であって、当該特定の識別情報の変動表示より前の識別情報の変動表示に伴って開始する事前演出と、特定の識別情報の変動表示の内容を示す演出であって、当該特定の識別情報の変動表示に伴って開始する特定演出と、を有している。また、遊技演出として、第１特定予告演出と、第１特定予告演出よりも高い特別遊技実行可能性を示す第２特定予告演出と、を有し、第１特定予告演出及び第２特定予告演出は何れも、事前演出及び特定演出の何れとしても実行可能とされている。また、第１特定予告演出が事前演出として実行される場合の方が、第１特定予告演出が特定演出として実行される場合よりも、特別遊技実行可能性として高い可能性を示すことが多いものとされている。また、第１特定予告演出及び第２特定予告演出の少なくとも何れか一方が事前演出として実行された場合には、事前演出に係る特定の識別情報の変動表示の終了後の所定期間を、第１特定予告演出が特定演出として実行されるのを制限する制限期間とする。
【００１９】
これにより、同様の演出態様（第１特定予告演出及び第２特定予告演出）を事前演出として実行するか、特定演出として実行するかによって、遊技者に報知する特別遊技実行可能性を異ならせ、遊技演出を多様化することが可能となる。またこれにより、第１特定予告演出又は第２特定予告演出が実行されたことだけでなく、事前演出か特定演出か何れとして実行されたかに注目させ、遊技興趣を高めることが可能となる。
【００２０】
またこれにより、比較的高い特別遊技実行可能性を示す事前演出としての特定予告演出（第１特定予告演出又は第２特定予告演出）が実行された直後に、同様の演出態様であるにも関わらず、低い特別遊技実行可能性を示す特定演出としての第１特定予告演出が実行されることを制限することが可能となる。またこれにより、実行される遊技演出に期待感を持つことができず、遊技興趣が低下してしまうのを防止することが可能となる。
【００２１】
ここで、「制限する」とは、実行不能と（実行を禁止）してもよいし、実行頻度（実行確率）を低下させてもよいし、第１特定予告演出の実行頻度を低下させ第２特定予告演出の実行頻度を向上させてもよい。また、「所定期間」とは、識別情報の変動表示の回数で規定してもよいし、時間で規定してもよいし、特定条件（所定の判定に当選等）の成立回数（１又は複数）で規定してもよい。
【発明の効果】
【００２２】
本発明の遊技機によれば、多様な遊技演出を備えつつ、遊技興趣を向上させる遊技機の提供を図ることが可能となる。
【図面の簡単な説明】
【００２３】
【図１】本発明の実施例に係る遊技機の正面図である。
【図２】本発明の実施例に係る遊技機の裏面図である。
【図３】本発明の実施例の遊技盤の構成を示す正面図である。
【図４】図３に示す主表示器の拡大図であり、同遊技機が備える表示器類を示す図である。
【図５】同遊技機の電気的な構成を示すブロック図である。
【図６】当りの種別と大入賞口の開放パターンとの対応等を示す表である。
【図７】遊技制御用マイコンが取得する各種乱数を示す表である。
【図８】（Ａ）は当り判定テーブルであり、（Ｂ）は大当り種別判定テーブルであり、（Ｃ）は普通図柄当り判定テーブルであり、（Ｄ）は普通図柄変動パターン選択テーブルである。
【図９】変動パターンテーブルである。
【図１０】主制御メイン処理のフローチャートである。
【図１１】割り込み処理のフローチャートである。
【図１２】始動口センサ検知処理のフローチャートである。
【図１３】始動入球時処理のフローチャートである。
【図１４】普図動作処理のフローチャートである。
【図１５】普通図柄待機処理のフローチャートである。
【図１６】普通図柄当否判定処理のフローチャートである。
【図１７】普通図柄乱数シフト処理のフローチャートである。
【図１８】普通図柄変動中処理のフローチャートである。
【図１９】普通図柄確定処理のフローチャートである。
【図２０】普通電動役物処理のフローチャートである。
【図２１】特図動作処理のフローチャートである。
【図２２】特別図柄待機処理のフローチャートである。
【図２３】特図２当否判定処理のフローチャートである。
【図２４】特図２変動パターン選択処理のフローチャートである。
【図２５】特図２変動パターン選択処理のフローチャートである。
【図２６】特図２乱数シフト処理のフローチャートである。
【図２７】特図１当否判定処理のフローチャートである。
【図２８】特図１変動パターン選択処理のフローチャートである。
【図２９】特図１変動パターン選択処理のフローチャートである。
【図３０】特図１乱数シフト処理のフローチャートである。
【図３１】特別図柄変動中処理のフローチャートである。
【図３２】特別図柄確定処理のフローチャートである。
【図３３】特別電動役物処理１（大当り遊技）のフローチャートである。
【図３４】遊技状態設定処理のフローチャートである。
【図３５】特別電動役物処理２（小当り遊技）のフローチャートである。
【図３６】特定領域センサ検知処理のフローチャートである。
【図３７】保留球数処理のフローチャートである。
【図３８】電源断監視処理のフローチャートである。
【図３９】サブ制御メイン処理のフローチャートである。
【図４０】受信割り込み処理のフローチャートである。
【図４１】２ｍｓタイマ割り込み処理のフローチャートである。
【図４２】１０ｍｓタイマ割り込み処理のフローチャートである。
【図４３】受信コマンド解析処理のフローチャートである。
【図４４】事前予告判定処理のフローチャートである。
【図４５】変動演出開始処理のフローチャートである。
【図４６】予告演出設定処理のフローチャートである。
【図４７】連続予告演出設定処理のフローチャートである。
【図４８】モード突入予告決定テーブルを示す表である。
【図４９】キャラクタ連続予告の実行態様を示す図である。
【図５０】キャラクタ連続予告の実行態様を示す図である。
【図５１】キャラクタ予告（キャラクタ連続予告）の予告種別を示す表である。
【図５２】モード突入予告の実行態様を示す図である。
【図５３】モード突入予告の実行態様を示す図である。
【図５４】モード突入連続予告の実行態様を示す図である。
【図５５】モード突入連続予告の実行態様を示す図である。
【図５６】モード突入予告（モード突入連続予告）の予告種別を示す表である。
【図５７】右打ち指示画像表示処理のフローチャートである。
【図５８】（ａ）は特別遊技状態におけるラウンド演出中の表示画面の一例を示す図であり、（ｂ）は高ベース状態における演出図柄の変動表示中の表示画面の一例を示す図であり、（ｃ）は高ベース状態から低ベース状態に移行したときの表示画面の一例を示す図である。
【図５９】実施例２の右打ち指示画像変更処理のフローチャートである。
【図６０】実施例３の右打ち指示画像変更処理のフローチャートである。
【発明を実施するための形態】
【００２４】
次に、本発明の実施の形態を、実施例を用いて説明する。以下の実施例では、遊技に用いる遊技媒体が遊技球とされ、当該遊技球を遊技盤面に向けて発射することで遊技を進行させることが可能なパチンコ遊技機（弾球遊技機）に、本発明を適用したものについて説明する。具体的には、始動口への遊技球の入球に基づいて特別図柄の変動表示を行い、当該特別図柄の変動表示の終了に伴い大当り図柄が停止表示されると、遊技者に所定量の遊技利益（例えば、賞球）が付与され得る大当り遊技（特別遊技）が実行可能となる所謂「１種タイプ」のパチンコ遊技機を例に説明する。
【００２５】
尚、以下の説明において、単に前側（前方）とは、遊技機を正面視した場合の手前側（遊技時に遊技者が位置する側）のことであり、単に後側（後方）とは、遊技機を正面視した場合の背面側のことである。また、単に上側（上方）、下側（下方）、左側（左方）、右側（右方）とは、遊技機を正面視した場合の上・下・左・右の各方向のことであり、例えば、図１や図３における上側、下側、左側、右側を指す。
【実施例１】
【００２６】
図１乃至図３に示すように、本実施例１のパチンコ遊技機１は、遊技機枠５０と、遊技機枠５０内に取り付けられた遊技盤２とを備えており、遊技盤２は遊技機枠５０から着脱自在に構成されている。図３は、遊技盤２を遊技機枠５０から取り外した状態のものを示す。遊技機枠５０は、装飾面を有する前面枠５１と、遊技盤２等を取り付ける本体枠５２と、パチンコ遊技機１をホールの島設備に取り付けるための外枠５３と、を有して構成されており、前面枠５１、本体枠５２及び外枠５３は、一側端側で軸支され夫々開閉可能に構成されている。
【００２７】
また、前面枠５１には、遊技者の操作量（回転角度）に応じた発射強度で遊技球を発射させるための発射ハンドル６０、遊技球を貯留し貯留した遊技球を発射装置側に供給可能な打球供給皿（上皿）６１、及び打球供給皿６１に収容しきれない遊技球を貯留する余剰球受皿（下皿）６２が設けられている。さらに、前面枠５１には、遊技の進行に伴って実行される遊技演出の実行中などに遊技者が操作可能な第１演出ボタン６３ａ、第２演出ボタン６３ｂ（これら２個の演出ボタンを総称して単に「演出ボタン６３」ともいう）や、遊技の状況に応じて様々な光を発することが可能な装飾用の枠ランプ６６、遊技の状況に応じて様々な音（効果音）を発することが可能なスピーカ６７等も設けられている。
【００２８】
演出ボタン６３は、遊技者による入力が可能な入力手段として機能するもので、遊技演出の種類に応じて使用する演出ボタンを使い分けることができる。例えば、遊技演出の実行中に第１演出ボタン６３ａまたは第２演出ボタン６３ｂを操作すると、当該操作に基づいて所定の操作対応演出が行われる。尚、演出ボタン６３の構成は本実施例１の態様に限らず、遊技者が入力を行うことができるものであれば足り、例えば、遊技者が直接ボタン部に接触して入力を行う入力手段（例えば、出没式、タッチセンサ式等）であってもよいし、遊技者の身体の一部が近接したことを検知して入力を行う非接触式の入力手段（光電式等）であってもよい。また、演出ボタンが、上方や手前側に突出したり振動したりする等の演出動作を行うもの（可動式の演出操作手段）であってもよい。
【００２９】
遊技盤２には、発射ハンドル６０の操作により発射された遊技球が流下する遊技領域３が、レール部材４で囲まれて形成されている。遊技領域３には、遊技球を誘導する複数の遊技釘１６が突設されており、レール部材４の先端には、球戻り防止片６が設けられている。球戻り防止片６は、一旦遊技領域へ誘導された遊技球を発射装置側へ戻るのを防止するためのものである。また、遊技盤２には、遊技の状況に応じて様々な光を発することが可能な装飾用の盤面ランプ５（図５を参照）も設けられている。
【００３０】
遊技領域３の中央付近には、演出表示手段の一態様である画像表示装置７が設けられている。本実施例の画像表示装置７は液晶表示装置からなるもので、その表示画面７ａには、演出図柄８Ｌ，８Ｃ，８Ｒ（単に「演出図柄８」ともいう）が表示される演出図柄表示領域７ｂ（「演出図柄表示部」ともいう）と、表示画面７ａの背景を構成する背景画像が表示される背景表示領域７ｃとが設けられている。演出図柄８Ｌ，８Ｃ，８Ｒは、後述の第１特別図柄の変動表示及び第２特別図柄の変動表示に同期して変動表示を行う。変動表示の態様としては、例えば上下、左右、斜め方向等にスクロール表示する態様があり、本実施例では、原則、上下方向にスクロール表示する。演出図柄表示領域７ｂは、例えば「左」「中」「右」の３つの図柄表示エリアからなり、左の図柄表示エリアには左演出図柄８Ｌが表示され、中の図柄表示エリアには中演出図柄８Ｃが表示され、右の図柄表示エリアには右演出図柄８Ｒが表示される。尚、左・中・右の図柄表示エリアの位置は夫々区別して設ける必要はなく、左・中・右の演出図柄の表示エリアをそれぞれ図柄表示エリア（演出図柄表示領域７ｂ）の全体としてもよい。
【００３１】
本実施例の演出図柄８Ｌ，８Ｃ，８Ｒは、それぞれ「１」〜「９」までの数字を表した複数の図柄（識別情報）からなる。演出図柄表示領域７ｂに停止表示される左、中、右の演出図柄の組み合わせ（停止表示態様）によって、後述の第１特別図柄表示器４１ａ（「第１特別図柄表示部」ともいう）に表示される第１特別図柄の変動表示の表示結果や、第２特別図柄表示器４１ｂ（「第２特別図柄表示部」ともいう）に表示される第２特別図柄の変動表示の表示結果、つまり、特別図柄当否判定（単に「当否判定」ともいう）の結果を、遊技者が認識し易いように表示する。本実施例では、変動表示している演出図柄８Ｌ，８Ｃ，８Ｒの停止順序を、原則、「左→右→中」としている。尚、第１特別図柄、第２特別図柄、演出図柄のいずれかを指して単に「図柄」や「識別情報」ということがある。また、普通図柄を「普図」、特別図柄を「特図」、第１特別図柄を「特図１」「第１特図」、第２特別図柄を「特図２」「第２特図」ということがある。
【００３２】
例えば、特別図柄当否判定の結果が大当りとなった場合には、「７７７」などの３桁同一のゾロ目（「当り演出図柄」ともいう）で演出図柄を停止表示することが可能である。また、小当りとなった場合には「１３５」などの予め設定したチャンス図柄や「３★３」などの専用図柄（「小当り演出図柄」ともいう）で演出図柄を停止表示することが可能である。また、外れとなった場合には「６３７」や「３７３」などの３つの図柄のうち少なくとも１つの図柄が異なるバラケ目図柄（「外れ演出図柄」ともいう）で演出図柄を停止表示することが可能である。これにより、遊技者は停止表示した演出図柄を見ることで、遊技の進行状況を容易に把握することが可能となる。つまり遊技者は、一般的には特別図柄当否判定の結果を第１特別図柄表示器４１ａや第２特別図柄表示器４１ｂに表示される特別図柄を見て直接的に把握するのではなく、演出図柄表示領域７ｂに表示される演出図柄を見て把握する。
【００３３】
ここで、演出図柄の停止表示態様のうち、特別図柄当否判定の結果が大当りの場合に対応する停止表示態様（本実施例ではゾロ目）のことを「大当り態様」や「特定表示結果」等ということがあり、特別図柄当否判定の結果が外れの場合に対応する停止表示態様（本実施例ではバラケ目）のことを「外れ態様」や「非特定表示結果」等ということがある。また、特別図柄当否判定の結果が小当りの場合に対応する停止表示態様のことを「小当り態様」や「所定表示結果」等ということがある。
【００３４】
画像表示装置７の表示画面７ａ上では、前述のような演出図柄を用いた遊技演出（演出図柄遊技演出）を表示するほか、当り遊技に伴って実行される当り遊技演出や、客待ち用のデモ演出などが表示される。尚、演出図柄遊技演出や当り遊技演出やデモ演出では、数字等の演出図柄のほか、背景画像やキャラクタ画像などの演出図柄以外の様々な演出画像も表示される。
【００３５】
また、画像表示装置７の表示画面７ａには、後述の第１特図保留の記憶数に応じて第１演出保留９ａを表示する第１演出保留表示領域９ｃ（第１演出保留表示部）と、後述の第２特図保留の記憶数に応じて第２演出保留９ｂを表示する第２演出保留表示領域９ｄ（第２演出保留表示部）とが設けられている。第１演出保留や第２演出保留の表示態様（表示数）により、後述の第１特図保留表示器４３ａ（図４を参照）にて表示される第１特図保留の記憶数及び第２特図保留表示器４３ｂにて表示される第２特図保留の記憶数を、遊技者にわかりやすく示すことができる。
【００３６】
さらに、本実施例の画像表示装置７の表示画面７ａには、現在変動している特別図柄（第１特別図柄または第２特別図柄）に対応する演出保留、すなわち、消化された特図保留に対応する演出保留（第１演出保留９ａまたは第２演出保留９ｂ）を表示する変動保留表示領域９ｅが設けられている（図３を参照）。
【００３７】
また、画像表示装置７の表示画面７ａには、遊技状態に応じて、後述の左打ち指示画像７０を表示する左打ち表示領域７０ｃ（左打ち指示画像表示部）、および、後述の右打ち指示画像７１を表示する右打ち表示領域７１ｃ（右打ち指示画像表示部）が設けられている。尚、左打ち指示画像７０と右打ち指示画像７１を総じて「発射指示画像」ともいう。
【００３８】
遊技領域３の中央付近であって画像表示装置７の前方には、演出図柄表示領域７ｂを取り囲むように、センター装飾体１０が設けられている。センター装飾体１０の下部には、遊技球が転動可能な遊技球転動面を有するステージ部１１が設けられている。またセンター装飾体１０の左部には、中空状のワープ部１２が設けられている。ワープ部１２にはワープ入口とワープ出口とが設けられており、遊技領域３を流下する遊技球をワープ入口から受け入れ、当該遊技球をワープ出口から排出しステージ部１１へと誘導する。ステージ部１１の転動面に誘導された遊技球は、ステージ部１１に誘導されない遊技球と比して高い可能性で、後述の第１始動口２０に入球可能とされている。さらにセンター装飾体１０の上部には、ＬＥＤ等の電飾部材（盤面ランプ５）を有し遊技状態に応じて点灯可能であって、文字や図形等を象った装飾部材１３が配されている。
【００３９】
また、センター装飾体１０の上部であって、装飾部材１３の後方には、遊技演出に伴って動作可能な可動装飾部材１４が設けられている。図３では、可動装飾部材１４の一部分のみが視認可能となっているが、例えば、比較的当りの可能性の高い遊技演出の実行に伴って、可動装飾部材１４が下方に落下し、当該可動装飾部材が表示画面７ａの前面を覆い、その大部分が視認可能となる。これにより、遊技者は当りへの期待感を高めることとなる。
【００４０】
遊技領域３における画像表示装置７の下方には、遊技球の入球し易さが変化しない非可変式の第１始動口２０を備える固定入賞装置１９が設けられている。第１始動口２０への遊技球の入球に基づいて、特別図柄当否判定用乱数等が取得され、予め定められた所定条件が成立すると第１特別図柄に係る当否判定（第１特別図柄当否判定）が実行されると共に第１特別図柄が変動表示され、当否判定の結果に基づいて停止表示される。
【００４１】
第１始動口２０の下方には、遊技球の入球し易さが変化する可変式の第２始動口２１を備える可変入賞装置２２（「可変式始動口」ともいう）が設けられている。第２始動口２１への遊技球の入球に基づいて、特別図柄当否判定用乱数等が取得され、予め定められた所定条件が成立すると第２特別図柄の当否判定（第２特別図柄当否判定）が実行されると共に第２特別図柄が変動表示され、当否判定の結果に基づいて停止表示される。
【００４２】
可変入賞装置２２は、可動部材２３を備え、可動部材２３の動作によって第２始動口２１を開閉するものである。この開閉動作によって、第２始動口２１は、第１の態様（閉状態）から当該第１の態様よりも遊技球の入球可能性が高い第２の態様（開状態）へと変化可能である。つまり、可動部材２３は、所定の動作（開閉動作）を行うことで、第２始動口２１への遊技球の入球可能性を変化させるものである。この可動部材２３は、第２始動口ソレノイド２４（図５を参照）により駆動される。本実施例では、第２始動口２１は、可動部材２３が開状態にあるときだけ遊技球が入球可能とされ、可動部材２３が閉状態にあるときには遊技球が入球不能となっている。尚、第２始動口２１は、可動部材２３が閉状態にあるときは開状態にあるときよりも遊技球が入球困難となるものであれば、可動部材２３が閉状態にあるときに完全に入球不能となるものでなくてもよい。
【００４３】
遊技領域３における第１始動口２０の右方には、第１大入賞口３０（「第１可変入球口」ともいう）を備えた第１大入賞装置３１が設けられている。第１大入賞装置３１は、開閉部材３２を備え、開閉部材３２の作動により第１大入賞口３０を開閉するものである。開閉部材３２は、第１大入賞口ソレノイド３３（図５を参照）により駆動される。第１大入賞口３０は、開閉部材３２が開状態にあるときだけ遊技球が入球可能となる。すなわち、第１大入賞装置３１は、開閉部材３２の開閉動作により、遊技球が入球不能な入球不能状態（閉状態）と遊技球が入球可能な入球可能状態（開状態）とに変化可能である。
【００４４】
また、遊技領域３における第１大入賞口３０の上方であってセンター装飾体１０の右下部には、第２大入賞口３５（「第２可変入球口」ともいう）を備えた第２大入賞装置３６が設けられている。第２大入賞装置３６は、開閉部材（羽根部材）３７を備え、開閉部材３７の作動により第２大入賞口３５を開閉するものである。開閉部材３７は、第２大入賞口ソレノイド３８（図５を参照）により駆動される。第２大入賞口３５は、開閉部材３７が開状態にあるときだけ遊技球が入球可能となる。すなわち、第２大入賞装置３６は、開閉部材３７の開閉動作により、遊技球が入球不能な入球不能状態（閉状態）と遊技球が入球可能な入球可能状態（開状態）とに変化可能である。
【００４５】
第２大入賞装置３６には、第２大入賞口３５に入球した遊技球が通過可能な特定領域３９が形成されている。本パチンコ遊技機１では、第２大入賞口３５に入球した遊技球の少なくとも１個が特定領域３９を通過したことが検知されることに基づいて、後述の高確率状態を発生させている。つまり特定領域３９は、確変作動口となっている。このような特定領域３９は、第１大入賞装置３１には設けられていない。このような確変作動口としての特定領域３９（Ｖ領域）を備える第２大入賞口３５（第２大入賞装置３６）のことを「Ｖアタッカー」ともいう。尚、高確率状態は、特別遊技とは別に遊技者に付与される遊技上の特典の一つである。
【００４６】
遊技領域３におけるセンター装飾体１０の右側領域には、遊技球が通過可能なゲート２８（遊技球通過口）が設けられている。ゲート２８への遊技球の通過に基づいて、普通図柄当否判定用乱数等が取得され、予め定められた所定条件が成立すると、第２始動口２１を開状態とするか否かを判定する普通図柄当否判定が実行されると共に普通図柄が変動表示され、普通図柄当否判定の結果に基づいて停止表示される。当り普通図柄が停止表示すると第２始動口２１を開状態となる。さらに、遊技領域３の下部には、複数の一般入賞口２７が設けられている。本実施例では、一般入賞口２７を４個設けてあり、そのうちの３個を第１始動口２０の左方に設けられた左一般入賞口とし、１個を第１大入賞口３０の右方に設けられた右一般入賞口としている。第１始動口２０、第２始動口２１、第１大入賞口３０、第２大入賞口３５、及び一般入賞口２７は、それぞれ賞球の払い出し契機となる入球口であり、各入球口に遊技球が入球した場合には、夫々の入球口において予め定められた数の遊技球（賞球）が払い出される。具体的には、第１始動口２０の賞球数は「４」、第２始動口２１の賞球数は「２」、第１大入賞口２０および第２大入賞口３５の賞球数は「１５」、一般入賞口２７の賞球数は「１０」としている。
【００４７】
このように複数の入球口（第１始動口２０、第２始動口２１、第１大入賞口３０、第２大入賞口３５、一般入賞口２７及びゲート２８）等が配されている遊技領域３を、左右方向の中央より左側の左遊技領域３Ａ（第１領域）と、右側の右遊技領域３Ｂ（第２領域）と、に分けることができる。左遊技領域３Ａを遊技球が流下するように遊技球を発射することを「左打ち」といい、右遊技領域３Ｂを遊技球が流下するように遊技球を発射することを「右打ち」という。ここで、複数の入球口のうち、第１始動口２０および３個の左一般入賞口２７は、遊技領域３のうち左遊技領域３Ａを流下する遊技球が入球可能となるように設けてあり、第２始動口２１、第１大入賞口３０、第２大入賞口３５、右一般入賞口２７およびゲート２８は、遊技領域３のうち右遊技領域３Ｂを流下する遊技球が入球可能となるように設けてある。本パチンコ遊技機１では、遊技開始の際には、原則、左打ちにて第１始動口２０への入球を狙う。一方、第１始動口２０への入球に基づく当否判定において当りとなり遊技状態が変化した際には、原則、右打ちにてゲート２８、第２始動口２１、第１大入賞口３０および第２大入賞口３５への入球を狙うこととなる。
【００４８】
また、図３および図４に示すように、遊技盤２の右下部には主表示器４０が配置されている。主表示器４０には、第１特別図柄を変動表示および停止表示する第１特別図柄表示器４１ａ（第１特別図柄表示部）と、第２特別図柄を変動表示および停止表示する第２特別図柄表示器４１ｂ（第２特別図柄表示部）と、普通図柄を変動表示および停止表示する普通図柄表示器４２（普通図柄表示部）と、が含まれている。また主表示器４０には、第１特別図柄に係る当否判定情報（第１特図保留）の記憶数を表示する第１特図保留表示器４３ａと、第２特別図柄に係る当否判定情報（第２特図保留）の記憶数を表示する第２特図保留表示器４３ｂと、普通図柄表示器４２の作動保留（普図保留）の記憶数を表示する普図保留表示器４４と、が含まれている。さらに主表示器４０には、第１特別図柄当否判定または第２特別図柄当否判定の結果が当りになったことを示す当り表示器４８と、第１特別図柄当否判定または第２特別図柄当否判定の結果が当りになった場合に実行される当り遊技のラウンド数を示すラウンド表示器４５と、確率変動機能が作動することを示す遊技状態表示器４６と、遊技球の発射方向、すなわち右打ちを行うべき状態か左打ちを行うべき状態かを示す発射方向表示器４７と、が含まれている。主表示器４０に含まれるこれらの各種表示器は後述の主制御部によって表示制御される。
【００４９】
第１特別図柄の変動表示は、第１始動口２０への遊技球の入球に基づいて行われる。第２特別図柄の変動表示は、第２始動口２１への遊技球の入球に基づいて行われる。尚、以下の説明では、第１特別図柄および第２特別図柄を総称して「特別図柄」ということがある。また、第１特別図柄表示器４１ａおよび第２特別図柄表示器４１ｂを総称して「特別図柄表示部４１」ということがある。また、第１特図保留表示器４３ａおよび第２特図保留表示器４３ｂを総称して「特図保留表示部４３」ということがある。
【００５０】
特別図柄表示部４１では、特別図柄（識別情報）を所定時間変動表示した後に停止表示し、停止表示された特別図柄（停止図柄）によって第１始動口２０または第２始動口２１への入球に基づく抽選（特別図柄当否判定、大当り抽選）の結果を報知する。停止表示される特別図柄は、特別図柄当否判定によって複数種類の特別図柄の中から選択された一つの特別図柄である。停止図柄が予め定めた特定特別図柄（特定識別情報）である場合、すなわち、特別図柄の停止表示の態様（特別図柄の変動表示の表示結果）が大当り図柄や小当り図柄等の当り態様である場合には、停止表示された当り図柄の種類に応じた開放パターンにて第１大入賞口３０または第２大入賞口３５を開放させる特別遊技（大当り遊技、小当り遊技）が行われる。尚、特別遊技における大入賞口（第１大入賞口３０及び第２大入賞口３５）の開放パターンについては後述する。
【００５１】
図４に示すとおり、第１特別図柄表示器４１ａは、「ｉ〜ｐ」で示す８個のＬＥＤで構成されており、第１特別図柄当否判定の結果に応じた特別図柄を表示する。本実施例では、第１特別図柄当否判定の結果として「１５Ｒ第１大当り」、「１５Ｒ第２大当り」、「５Ｒ第３大当り」および「２Ｒ第４大当り」の４種類の大当りと、第１小当りが設けられており（図６、図８を参照）、第１特別図柄表示器４１ａのＬＥＤは、それら大当り及び小当りの各々に応じた表示態様を採ることが可能となっている。例えば、第１特別図柄当否判定の結果が第１大当り（１５Ｒ大当り）となった場合には、「ｉｊｎ」の３個のＬＥＤを点灯して残りを消灯する（１５Ｒ第１大当り図柄）。また、第２大当り（１５Ｒ大当り）となった場合には、「ｉｊｋ」の３個のＬＥＤを点灯し残りを消灯する（１５Ｒ第２大当り図柄）。また、第３大当り（１５Ｒ大当り）となった場合には、「ｉｊｌ」の３個のＬＥＤを点灯し残りを消灯する（１５Ｒ第３大当り図柄）。また、第４大当り（２Ｒ大当り）となった場合には、「ｊｎｏｐ」の４個のＬＥＤを点灯し残りを消灯する（２Ｒ第４大当り図柄）。また、第１小当りとなった場合には、「ｍｎｏｐ」の４個のＬＥＤを点灯し残りを消灯する（小当り図柄）。また、外れとなった場合には、「ｌｏ」の２個のＬＥＤを点灯し残りを消灯する（外れ図柄）。
【００５２】
一方、第２特別図柄表示器４１ｂは、「ａ〜ｈ」で示す８個のＬＥＤで構成されており、第２特別図柄当否判定の結果に応じた特別図柄を表示する。本実施例では、第２特別図柄当否判定の結果として「１５Ｒ第５大当り」と「１５Ｒ第６大当り」の２種類の大当りとが設けられており（図８を参照）、第２特別図柄表示器４１ｂのＬＥＤは、それら大当りの各々に応じた表示態様を採ることが可能となっている。例えば、第２特別図柄当否判定の結果が、第５大当り（１５Ｒ大当り）となった場合には、「ａｂｄ」の３個のＬＥＤを点灯し残りを消灯する（１５Ｒ第５大当り図柄）。また、第６大当り（１５Ｒ大当り）となった場合には、「ａｂｃ」の３個のＬＥＤを点灯し残りを消灯する（１５Ｒ第６大当り図柄）。また、第２小当りとなった場合には、「ｃｄｅｈ」の４個のＬＥＤを点灯し残りを消灯する（第２小当り図柄）。また、外れとなった場合には、「ｅｈ」の２個のＬＥＤを点灯し残りを消灯する（外れ図柄）。
【００５３】
尚、特別図柄の停止表示態様（停止図柄）は、これらに限定されるものではなく、任意に設定することができる。また、特別図柄が停止表示される前には所定の変動時間にわたって特別図柄の変動表示がなされるが、その変動表示の態様は、例えば、予め定められた順序で光が左から右へ繰り返し流れるように各ＬＥＤを点灯させる態様とすることができる。
【００５４】
本パチンコ遊技機１では、第１始動口２０または第２始動口２１への遊技球の入球があると、その入球に基づいて特別図柄当否判定用乱数等の各種情報（「取得情報」ともいう）を取得し、取得した各種情報は、主制御部のＲＡＭに形成される特図保留記憶部（図示せず）に一旦記憶される。詳細には、第１始動口２０への入球であれば第１特図保留（第１取得情報）として第１特図保留記憶部（図示せず）に記憶され、第２始動口２１への入球であれば第２特図保留（第２取得情報）として第２特図保留記憶部（図示せず）に記憶される。各々の特図保留記憶部に記憶可能な特図保留（取得情報）の数は所定数までとされており、本実施例におけるその上限値はそれぞれ「４」となっている。これら第１特図保留記憶部および第２特図保留記憶部を、夫々「第１取得情報記憶手段」および「第２取得情報記憶手段」ともいい、総じて「取得情報記憶手段」ともいう。
【００５５】
特図保留記憶部に記憶された特図保留は、その特図保留に基づく特別図柄の変動表示が可能となったときに消化される。特図保留の消化とは、その特図保留に対応する特別図柄当否判定用乱数等を判定して、その判定結果を示すための特別図柄の変動表示を実行することをいう。従って、本パチンコ遊技機１では、第１始動口２０または第２始動口２１への遊技球の入球に基づく特別図柄の変動表示がその入球時にすぐに実行できない場合、すなわち特別図柄の変動表示の実行中や特別遊技の実行中である場合であっても、所定数を上限として、その入球に対する特別図柄当否判定の権利を留保することが可能となっている。
【００５６】
特図保留記憶部に記憶された特図保留の数は、第１特図保留表示器４３ａおよび第２特図保留表示器４３ｂに表示される。具体的には、第１特図保留表示器４３ａは「ｕｖ」の２個のＬＥＤで構成されており、第１特図保留の数に応じてＬＥＤを表示制御することにより、第１特図保留の数を表示するものとなっている。例えば、保留数が「０」の場合は「ｕ□ｖ□」（例えば、□：消灯、●：赤点灯、▲：緑点灯とする）というように両ＬＥＤを消灯する表示態様とし、保留数が「１」の場合は「ｕ□ｖ●」というように「ｕ」のＬＥＤを消灯し「ｖ」のＬＥＤを赤色で点灯させる表示態様とし、保留数が「２」の場合は「ｕ●ｖ□」というように「ｕ」のＬＥＤを赤色で点灯させ「ｖ」のＬＥＤを消灯する表示態様とし、保留数が「３」の場合は「ｕ●ｖ●」というように両方のＬＥＤを赤色で点灯させる表示態様とし、保留数が「４（上限数）」の場合は「ｕ▲ｖ▲」というように両方のＬＥＤを緑色で点灯させ表示態様とすることができる。
【００５７】
また、第２特図保留表示器４３ｂは「ｗｘ」の２個のＬＥＤで構成されており、第２特図保留の数に応じてＬＥＤを表示制御することにより、第２特図保留の数を表示するものである。例えば、保留数が「０」の場合は「ｗ□ｘ□」（例えば、□：消灯、●：赤点灯、▲：緑点灯とする）というように両ＬＥＤを消灯する表示態様とし、保留数「１」〜「４」についても第１特図保留表示器４３ａと同様に定められている。
【００５８】
普通図柄の変動表示は、ゲート２８への遊技球の通過を契機として行われる。普通図柄表示器４２では、普通図柄を所定時間変動表示した後、停止表示し、停止表示された普通図柄（停止図柄）によって、ゲート２８への遊技球の通過に基づく普通図柄当否判定の結果を報知する。停止表示される普通図柄は、普通図柄当否判定によって複数種類の普通図柄の中から選択された一つの普通図柄である。停止表示された普通図柄が予め定めた特定普通図柄（当り普通図柄）である場合には、現在の遊技状態に応じた開放パターンにて第２始動口２１を開放させる補助遊技が行われる。尚、第２始動口２１の開放パターンについては後述する。
【００５９】
具体的には図４に示す通り、普通図柄表示器４２は、「ｓｔ」の２個のＬＥＤから構成されており、その点灯態様によって普通図柄当否判定の結果に応じた普通図柄を表示するものである。例えば、判定結果が当りである場合には、「ｓ■ｔ■」（例えば、■：点灯、□：消灯とする）というように両ＬＥＤが点灯した当り普通図柄を停止表示する。また判定結果が外れである場合には、「ｓ□ｔ■」というように「ｔ」のＬＥＤのみが点灯した態様の外れ普通図柄を表示する。尚、外れ普通図柄は、特定普通図柄ではない。普通図柄が停止表示される前には予め定められた所定の変動時間にわたって普通図柄の変動表示が実行されるが、その変動表示の態様は、例えば両ＬＥＤが交互に点灯・消滅を繰り返す態様である。
【００６０】
本パチンコ遊技機１では、ゲート２８への遊技球の通過があると、その通過に基づいて普通図柄当否判定用乱数等の各種情報（「取得情報」ともいう）を取得し、取得した各種情報は主制御部のＲＡＭに形成される普図保留記憶部（図示せず）に普図保留として一旦記憶される。普図保留記憶部に記憶可能な普図保留の数は所定数までとされており、本実施例におけるその上限値は「４」となっている。普図保留記憶部に記憶された普図保留は、その普図保留に基づく普通図柄の変動表示が可能となったときに消化される。普図保留の消化とは、その普図保留に対応する普通図柄当否判定用乱数を判定して、その判定結果を示すための普通図柄の変動表示を実行することをいう。従って本パチンコ遊技機１では、ゲート２８への遊技球の通過に基づく普通図柄の変動表示がその通過時にすぐ実行できない場合、すなわち普通図柄の変動表示の実行中や補助遊技の実行中である場合であっても、所定個数を上限として、その通過に対する普通図柄当否判定の権利を留保することができるようになっている。
【００６１】
普図保留記憶部に記憶された普図保留の数は、普図保留表示器４４に表示される。具体的には普図保留表示器４４は、「ｑｒ」の２個のＬＥＤで構成されており、普図保留の数に応じてＬＥＤを点灯させることにより普図保留の数を表示するものである。例えば、保留数が「０」の場合は「ｑ□ｒ□」（例えば、□：消灯、●：赤点灯、▲：緑点灯とする）というように両ＬＥＤを消灯する表示態様とし、保留数が「１」の場合は「ｑ□ｒ●」というように「ｑ」のＬＥＤを消灯し「ｒ」のＬＥＤを赤色で点灯させる表示態様とすることができる。また、保留数「２」〜「４」についても第１特図保留表示器４３ａと同様に定められている。
【００６２】
次に図２及び図５に基づいて、本パチンコ遊技機１における電気的な構成を説明する。本実施例のパチンコ遊技機１は、特別図柄当否判定や普通図柄当否判定や遊技状態の移行など、遊技進行や遊技利益に関する制御を行う主制御基板８０（「主制御部」ともいい「遊技制御部」ともいう）、遊技の進行に伴って実行する演出に関する制御を行うサブ制御基板９０（「サブ制御部」ともいい「演出制御部」ともいう）、遊技球の払い出しに関する制御を行う払出制御基板１１０（「払出制御部」ともいう）、画像表示装置７や演出表示器１０２、演出第１特図保留表示器１０３ａおよび演出第２特図保留表示器１０３ｂ等の表示制御を行う画像制御基板１００（画像制御部）等を備えている。
【００６３】
また、図２に示すように、パチンコ遊技機１の後面側（裏面側）の略中央部には主制御基板８０を収納した主制御基板収納ケースが設けられ、この主制御基板ケースの上方には、音声制御基板１０６、ランプ制御基板１０７及び画像制御基板１００を収納した画像制御基板等収納ケースが設けられ、その画像制御基板等収納ケース上にはサブ制御基板９０を収納したサブ制御基板収納ケースが設けられている。また、主制御基板ケースの下方左側には、払出制御基板を収納する払出制御基板ケースが設けられ、その右側には、電源基板１０９を収納する電源基板ケースが設けられている。
【００６４】
主制御基板８０には、プログラムに従ってパチンコ遊技機１の遊技の進行を制御する遊技制御用ワンチップマイコン（以下「遊技制御用マイコン」）８１が実装されている。遊技制御用マイコン８１には、遊技の進行を制御するためのプログラム等を記憶したＲＯＭ、ワークメモリとして使用されるＲＡＭ、ＲＯＭに記憶されたプログラムを実行するＣＰＵが含まれている。遊技制御用マイコン８１は、入出力回路８７（Ｉ／Ｏポート部）を介して他の基板等とデータ（情報）の送受信を行う。入出力回路８７は、遊技制御用マイコン８１に内蔵されていてもよい。また、ＲＯＭは外付けであってもよい。遊技制御用マイコン８１のＲＡＭには、前述した特図保留記憶部（第１特図保留記憶部及び第２特図保留記憶部）と普図保留記憶部とが設けられている。また、主制御基板８０（遊技制御用マイコン８１）のＲＡＭ（主制御ＲＡＭ）の所定アドレスには、各種フラグや各種計数カウンタに用いるための記憶領域が確保されている。
【００６５】
主制御基板８０には、中継基板８８を介して各種センサやソレノイドが接続されている。そのため、主制御基板８０には各センサから信号が入力され、各ソレノイドには主制御基板８０から信号が出力される。具体的にはセンサ類としては、第１始動口センサ２０ａ、第２始動口センサ２１ａ、ゲートセンサ２８ａ、第１大入賞口センサ３０ａ、第２大入賞口センサ３５ａ、特定領域センサ３９ａ、非特定領域センサ４９ａおよび一般入賞口センサ２７ａが接続されている。これら各種センサを「遊技球検知手段」ともいう。
【００６６】
第１始動口センサ２０ａは、第１始動口２０内に設けられて第１始動口２０に入球した遊技球を検知するものである。第２始動口センサ２１ａは、第２始動口２１内に設けられて第２始動口２１に入球した遊技球を検知するものである。ゲートセンサ２８ａは、ゲート２８内に設けられてゲート２８を通過した遊技球を検知するものである。第１大入賞口センサ３０ａは、第１大入賞口３０内に設けられて第１大入賞口３０に入球した遊技球を検知するものである。第２大入賞口センサ３５ａは、第２大入賞口３５内に設けられて第２大入賞口３５に入球した遊技球を検知するものである。特定領域センサ３９ａは、第２大入賞口３５内の特定領域３９に設けられており、特定領域３９を通過した遊技球を検知するものである。非特定領域センサ４９ａは、第２大入賞口３５内の非特定領域（図示せず）に設けられており、第２大入賞口３５に入球した遊技球のうち非特定領域を通過した遊技球（つまり、特定領域３９を通過しなかった遊技球）を検知するものである。一般入賞口センサ２７ａは、各一般入賞口２７内にそれぞれ設けられて一般入賞口２７に入球した遊技球を検知するものである。
【００６７】
またソレノイド類としては、第２始動口ソレノイド２４、第１大入賞口ソレノイド３３および第２大入賞口ソレノイド３８が接続されている。第２始動口ソレノイド２４は、可変入賞装置２２の可動部材２３を駆動するためのものである。第１大入賞口ソレノイド３３は、第１大入賞装置３１の開閉部材３２を駆動するためのものである。第２大入賞口ソレノイド３８は、第２大入賞装置３６の開閉部材３７を駆動するためのものである。
【００６８】
さらに主制御基板８０には、第１特別図柄表示器４１ａ、第２特別図柄表示器４１ｂ、普通図柄表示器４２、第１特図保留表示器４３ａ、第２特図保留表示器４３ｂ、普図保留表示器４４、ラウンド表示器４５、遊技状態表示器４６、発射方向表示器４７および当り表示器４８が接続されている。すなわち、これらの主表示器４０の表示制御は、遊技制御用マイコン８１によりなされる。
【００６９】
また主制御基板８０は、払出制御基板１１０に各種コマンドを送信するとともに、払い出し監視のために払出制御基板１１０から信号を受信する。払出制御基板１１０には、賞球や貸球を払い出す払出装置１２０、及びカードユニット１３５（パチンコ遊技機１に隣接して設置され、挿入されたプリペイドカード（遊技価値記憶媒体）等に記憶されている情報に基づいて球貸しを可能にするもの）が接続されているとともに、発射制御基板１１１（「発射制御部」ともいう）を介して発射装置１１２が接続されている。発射装置１１２には、発射ハンドル６０（図１を参照）が含まれる。
【００７０】
払出制御基板１１０は、プログラムに従ってパチンコ遊技機１の遊技球の払い出しを制御する払出制御用ワンチップマイコン１１６（「払出制御用マイコン」ともいう）が実装されている。払出制御用マイコン１１６には、遊技球の払い出しを制御するためのプログラム等を記憶したＲＯＭ、ワークメモリとして使用されるＲＡＭ、ＲＯＭに記憶されたプログラムを実行するＣＰＵが含まれている。払出制御用マイコン１１６は、入出力回路１１７を介し、遊技制御用マイコン８１からの信号や、パチンコ遊技機１に接続されたカードユニット１３５からの信号に基づいて、払出装置１２０の払出モータ１２１を駆動して賞球の払い出しを行ったり、貸球の払い出しを行ったりする。払い出される遊技球は、その計数のため払出センサ１２２、１２３により検知される。遊技者による発射装置１１２のハンドル６０（図１を参照）の操作があった場合には、タッチスイッチ１１４が発射ハンドル６０への遊技者の接触を検知し、発射ボリューム１１５が発射ハンドル６０の回転量を検知する。そして、発射ボリューム１１５の検知信号の大きさに応じた強さで遊技球が発射されるよう発射モータ１１３が駆動制御されることとなる。尚、本実施例では、発射モータ１１３の駆動により発射装置１１２が連続して発射可能な遊技球の数は１分間で約１００個となっている。
【００７１】
また、主制御基板８０は、サブ制御基板９０に対し各種コマンドを送信する。主制御基板８０とサブ制御基板９０との接続は、主制御基板８０からサブ制御基板９０への信号の送信のみが可能な単方向通信接続となっている。すなわち、主制御基板８０とサブ制御基板９０との間には、通信方向規制手段としての図示しない単方向性回路（例えばダイオードを用いた回路）が介在している。
【００７２】
また、図５に示すように、サブ制御基板９０には、プログラムに従ってパチンコ遊技機１の演出を制御する演出制御用ワンチップマイコン９１（「演出制御用マイコン」）が実装されている。演出制御用マイコン９１には、遊技の進行に伴って演出を制御するためのプログラム等を記憶したＲＯＭ、ワークメモリとして使用されるＲＡＭ、ＲＯＭに記憶されたプログラムを実行するＣＰＵが含まれている。演出制御用マイコン９１は、入出力回路９５を介して他の基板等とデータの送受信を行う。入出力回路９５は、演出制御用マイコン９１に内蔵されていてもよい。また、ＲＯＭは外付けであってもよい。また、サブ制御基板９０（演出制御用マイコン９１）のＲＡＭ（演出制御ＲＡＭ）の所定アドレスには、各種フラグや各種計数カウンタに用いるための記憶領域が確保されている。
【００７３】
サブ制御基板９０には、画像制御基板１００、音声制御基板１０６、ランプ制御基板１０７が接続されている。尚、サブ制御基板９０（サブ制御部）や画像制御基板１００（画像制御部）、音声制御基板１０６（音声制御部）、ランプ制御基板１０７（ランプ制御部）は、遊技の状況に応じて表示演出や音演出、ランプ演出（光演出）等の各種演出を、対応する演出用の装置や部材等（演出手段）に実行させる制御を行う演出制御手段（演出実行手段）として機能するものである。
【００７４】
サブ制御基板９０の演出制御用マイコン９１は、主制御基板８０から受信したコマンドに基づいて、画像制御基板１００の画像制御用ワンチップマイコン１０１（「画像制御用マイコン」）のＣＰＵに、画像表示装置７、演出表示器１０２、演出第１特図保留表示器１０３ａ、及び演出第２保留表示器１０３ｂの表示制御を行わせる。画像制御基板１００のＲＡＭは、画像データを展開するためのメモリである。画像制御基板１００のＲＯＭには、画像表示装置７に表示される静止画データや動画データ、具体的にはキャラクタ、アイテム、図形、文字、数字および記号等（演出図柄、保留図柄等を含む）や背景画像等の画像データが格納されている。画像制御用マイコン１０１は、演出制御用マイコン９１からの指令に基づいてＲＯＭから画像データを読み出す。そして、読み出した画像データに基づいて表示制御を実行する。
【００７５】
演出表示器１０２は、２個のＬＥＤからなり、演出図柄８の変動表示および停止表示にあわせて変動表示および停止表示を行い、２個のＬＥＤの点灯・消灯または色の組合せにより、演出図柄８の表示結果（特別図柄当否判定の結果）を示す表示態様で停止表示する。また、演出第１特図保留表示器１０３ａおよび演出第２保留表示器１０３ｂも同様に２個のＬＥＤからなる。そして、２個のＬＥＤの点灯・消灯または色の組合せにより、演出第１特図保留表示器１０３ａは第１演出保留表示領域９ｃに表示される保留個数および第１特図保留表示器４３ａで表示される保留個数と同じ保留個数を示す表示態様で表示制御される。また、演出第２特図保留表示器１０３ｂは第２演出保留表示領域９ｄに表示される保留個数および第２特図保留表示器４３ｂで表示される保留個数と同じ保留個数を示す表示態様で表示制御される。これは、キャラクタ図柄を表示画面７ａ（演出図柄表示部）の略全体に表示したり、可動装飾部材１４を動作させて表示画面７ａの演出図柄表示領域７ｂ（演出図柄表示部）を被覆したりすることで、演出図柄、第１演出保留表示部、又は第２演出保留表示部の一部または全部が視認できない状態になることがあり得るため、この様な表示器が設けられている。尚、画像制御基板１００の画像制御用ワンチップマイコン１０１に換えて、または加えてＶＤＰ（Video Display Processor）を設けてもよい。
【００７６】
また、演出制御用マイコン９１は、主制御基板８０から受信したコマンドに基づいて、音声制御基板１０６を介してスピーカ６７から音声、楽曲、効果音等を出力する。スピーカ６７から出力する音声等の音響データは、サブ制御基板９０のＲＯＭに格納されている。尚、音声制御基板１０６にＣＰＵを実装してもよく、その場合、そのＣＰＵに音声制御を実行させてもよい。さらにこの場合、音声制御基板１０６にＲＯＭを実装してもよく、そのＲＯＭに音響データを格納してもよい。また、スピーカ６７を画像制御基板１００に接続し、画像制御用マイコン１０１に音声制御を実行させてもよい。さらにこの場合、画像制御基板１００のＲＯＭに音響データを格納してもよい。
【００７７】
さらに、演出制御用マイコン９１は、主制御基板８０から受信したコマンドに基づいて、枠ランプ６６や盤面ランプ５等のランプの発光態様を決める発光パターンデータ（点灯/消灯や発光色等を決めるデータ、ランプデータともいう）を、ＲＯＭに格納されているデータから決定し、ランプ制御基板１０７を介して枠ランプ６６や盤面ランプ５等のランプ（ＬＥＤ）の点灯制御を行う。
【００７８】
また、演出制御用マイコン９１は、主制御基板８０から受信したコマンドに基づいて、ランプ制御基板１０７に中継基板１０８を介して接続された可動装飾部材１４を動作させる。前述したように、可動装飾部材１４は、センター装飾体１０（装飾部材１３の後方）に設けられた可動式のいわゆるギミックのことである。演出制御用マイコン９１は、可動装飾部材１４を所定の動作態様で動作させるための動作パターンデータ（「駆動データ」ともいう）を、サブ制御基板９０のＲＯＭに格納されているデータから決定し、決定した動作パターンデータに基づいて可動装飾部材１４の動作を制御する。尚、ランプ制御基板１０７にＣＰＵを実装してもよく、この場合、そのＣＰＵにランプの点灯制御や可動装飾部材１４の動作制御を実行させてもよい。さらにこの場合、ランプ制御基板１０７にＲＯＭを実装してもよく、そのＲＯＭに発光パターンや動作パターンに関するデータを格納してもよい。
【００７９】
また、サブ制御基板９０には、第１演出ボタン６３ａまたは第２演出ボタン６３ｂ（図１参照）が操作（押す、回転、引く等）されたことを検知する第１演出ボタン検知スイッチ６３ｃおよび第２演出ボタン検知スイッチ６３ｄが接続されている。従って、第１演出ボタン６３ａまたは第２演出ボタン６３ｂに対して遊技者が所定の入力操作を行うと、対応する演出ボタン検知スイッチからサブ制御基板９０に対して信号が出力される。尚、第１演出ボタン検知スイッチ６３ｃおよび第２演出ボタン検知スイッチ６３ｄを総称して単に「演出ボタン検知スイッチ」ともいう。
【００８０】
次に、本実施例のパチンコ遊技機１における当否判定に係る制御（判定手段）について説明する。特別図柄当否判定の結果として、「大当り」、「小当り」、「外れ」がある。特別図柄当否判定の結果が「大当り」のときには、特別図柄表示部４１に「大当り図柄」が停止表示され、「小当り」のときには、特別図柄表示部４１に「小当り図柄」が停止表示され、「外れ」のときには、特別図柄表示部４１に「外れ図柄」が停止表示される。大当り又は小当りと判定されると、停止表示された特別図柄の種類に応じた開放パターンにて、第１大入賞口３０又は第２大入賞口３５を開放する「特別遊技」が実行される。大当りとなって実行される特別遊技を「大当り遊技」といい、小当りとなって実行される特別遊技を「小当り遊技」という。
【００８１】
当りには複数の種別がある。図６に示すように大当りの種別としては、「１５Ｒ（ラウンド）第１大当り」、「１５Ｒ第２大当り」、「１５Ｒ第３大当り」、「２Ｒ第４大当り」、「１５Ｒ第５大当り」および「１５Ｒ第６大当り」がある。「１５Ｒ第１大当り」および「１５Ｒ第５大当り」は、大入賞口（第１大入賞口３０又は第２大入賞口３５）の開放回数（ラウンド数）が１５回であり、１ラウンド目と２ラウンド目に、特定領域３９への遊技球の通過（Ｖ通過）が可能（容易）な態様で第２大入賞口３５を開放させる大当りである。この特定領域３９への遊技球の通過を狙うラウンドを「Ｖラウンド」や「チャンスラウンド」ともいう。
【００８２】
「１５Ｒ第２大当り」、「１５Ｒ第３大当り」および「１５Ｒ第６大当り」は、大入賞口（第１大入賞口３０又は第２大入賞口３５）の開放回数（ラウンド数）が１５回であるものの、前述のＶラウンドである１ラウンド目と２ラウンド目の開放時間が極短時間（一瞬開閉）で、特定領域３９への遊技球の通過が困難（不可能としてもよい）な大当りである。すなわち、これらの大当りは、特定領域３９への遊技球の通過が可能（容易）な態様で第２大入賞口３５を開放させることのない大当りであるといえる。
【００８３】
「２Ｒ第４大当り」は、大入賞口（第１大入賞口３０または第２大入賞口３５）の開放回数（ラウンド数）が２回であり、Ｖラウンドである１ラウンド目と２ラウンド目に特定領域３９への遊技球の通過が可能な態様で第２大入賞口３５を開放させる大当りである。但し、第２大入賞口３５の開放時間が１ラウンド目と２ラウンド目を合わせても１．８秒であるので、１５Ｒ第１大当りより特定領域への遊技球の通過可能性が低いものとなっている。
【００８４】
本実施例のパチンコ遊技機１では、大当り遊技中の特定領域３９への遊技球の通過に基づいて、その大当り遊技の終了後の遊技状態を、後述の高確率状態に移行させる。従って、特別図柄当否判定の結果が１５Ｒ第１大当りまたは１５Ｒ第５大当りとなった場合には、特定領域３９への遊技球の通過可能性が極めて高い態様で１ラウンド目と２ラウンド目のＶラウンドが実行されるため、当該大当り遊技の実行中に特定領域３９へ遊技球を通過させることで、大当り遊技後の遊技状態を高確率状態に移行させることができる。また、特別図柄当否判定の結果が２Ｒ第４大当りとなった場合には、１５Ｒ第１大当りや１５Ｒ第５大当りほどではないものの特定領域３９への遊技球の通過可能性がある態様で１ラウンド目と２ラウンド目のＶラウンドが実行されるため、当該大当り遊技の実行中に特定領域３９へ遊技球を通過させることができれば、大当り遊技後の遊技状態を高確率状態に移行させることができる。
【００８５】
これに対して、特別図柄当否判定の結果が１５Ｒ第２大当り、１５Ｒ第３大当り又は１５Ｒ第６大当りとなった場合には、１ラウンド目と２ラウンド目のＶラウンドの開放時間が各０．１秒であるので、第２大入賞口へ遊技球を入球させるのが非常に困難であるので、当該大当り遊技の実行中における特定領域３９への遊技球の通過可能性は極めて低くなり（実質的に不可能となり）、その大当り遊技後の遊技状態は、後述の通常状態（低確率状態）となる可能性が非常に高い（低確率状態になるといってもよい）。
【００８６】
一方、小当り（第１小当り、第２小当り）は、見かけ上２Ｒ第４大当りと同じ開放パターンで大入賞口（第２大入賞口３５）を開放させる当りである。すなわち小当りでは、特定領域３９への遊技球の通過が可能な態様で第２大入賞口３５を開放させる。しかしながら、小当り遊技の実行中に特定領域３９への遊技球の通過があったとしても、小当り遊技の実行後の遊技状態は小当り遊技の実行前から変化しないものとなっている。そのため、小当り遊技の実行前の遊技状態が通常状態（低確率状態）であれば、小当り遊技の実行後の遊技状態も通常状態となる。そして遊技者から見れば、上記の２Ｒ第４大当りと小当りとは大入賞口（第２大入賞口３５）の開放パターンを見ても区別することができない。すなわち遊技者は特別図柄当否判定の結果が「２Ｒ第４大当り」になったのか「小当り」になったのかを認識するのが困難である。そのため、２Ｒ第４大当りとしての特別遊技中（大当り遊技中）に遊技球が特定領域３９を通過したとしても、それだけでは、その後の遊技状態が高確率状態に移行したかどうかを認識するのは困難である。また、小当りとしての特別遊技中（小当り遊技中）に遊技球が特定領域３９を通過したとしても、それだけでは、その後の遊技状態が通常状態のままか、高確率状態に移行したかを認識するのは困難である。その結果、小当りとなった場合および２Ｒ第４大当りになった場合には、高確率状態であるかもしれないという期待感を持ちつつ遊技を進行することができ、遊技興趣を高めることができる。尚、小当りにおいては大入賞口の開放回数をラウンド数とはいわず、単に開放回数という。
【００８７】
本実施例のパチンコ遊技機１における各大当り及び小当りとなったときの大入賞口の開放パターンは、図６のようになっている。すなわち、１５Ｒ第１大当りとなった場合（第１特別図柄表示器４１ａに１５Ｒ第１大当り図柄が停止表示された場合）および１５Ｒ第５大当りとなった場合（第２特別図柄表示器４１ｂに１５Ｒ第５大当り図柄が停止表示された場合）には、１Ｒ〜２Ｒでは第２大入賞口３５を最大２８秒開放させ、３Ｒ〜１５Ｒでは第１大入賞口３０を最大２８秒開放させる。この当りでは、１Ｒ目と２Ｒ目における第２大入賞口３５の開放時間が夫々２８秒あるため、そのラウンド中（Ｖラウンド中）に遊技球が特定領域３９を通過する可能性は極めて高いものとなっている。
【００８８】
また、１５Ｒ第２大当りとなった場合（第１特別図柄表示器４１ａに１５Ｒ第２大当り図柄が停止表示された場合）と、１５Ｒ第３大当りとなった場合（第１特別図柄表示器４１ａに１５Ｒ第３大当り図柄が停止表示された場合）と、１５Ｒ第６大当りとなった場合（第２特別図柄表示器４１ｂに１５Ｒ第６大当り図柄が停止表示された場合）には、１Ｒ〜２Ｒでは第２大入賞口３５を最大０．１秒開放させ、３Ｒ〜１５Ｒでは第１大入賞口３０を最大２８秒開放させる。この当りでは、１Ｒ目と２Ｒ目における第２大入賞口３５の開放時間が夫々最大０．１秒と極短時間とされている（一瞬開閉）ため、そのラウンド中（Ｖラウンド中）に遊技球が特定領域３９を通過することはほぼ不可能となっている。
【００８９】
このように、本実施例では、１５Ｒ第２，第３，第６大当り用の開放パターンと、１５Ｒ第１，第５大当り用の開放パターンと比べて第１ラウンドおよび第２ラウンド（Ｖラウンド）とでは、開放態様が異なっている。そして、１５Ｒ第１，第５大当りでは、１ラウンド目と２ラウンド目に第２大入賞口３５が２８秒開放するため、当該Ｖラウンドでは、球詰まりや遊技球発射系のトラブル等が発生しない限り、略確実に遊技球が第２大入賞口３５に入球して、高い確率で特定領域３９を通過することとなる。これに対して、１５Ｒ第２，第３，第６大当りでは、１ラウンド目と２ラウンド目に第２大入賞口３５が０．１秒しか開放しない。そのため、第２大入賞口３５に遊技球が入球することは非常に困難である。従って、１５Ｒ第２，第３，第６大当りに係る大当り遊技の実行中に遊技球が特定領域３９を通過する可能性は、１５Ｒ第１，第５大当りと比してかなり低くなっており、実質的には通過不可能といってもよい。
【００９０】
尚、特定領域３９への遊技球の通過可能性（Ｖ通過可能性）が極めて高い態様でＶラウンドが実行される大当りのことを「Ｖ通過予定大当り」ともいい、Ｖ通過可能性が極めて低い態様でＶラウンドが実行される大当りのことを「Ｖ非通過予定大当り」ともいう。
【００９１】
また、図６に示すように、２Ｒ第４大当りとなった場合（第１特別図柄表示器４１ａに２Ｒ第４大当り図柄が停止表示された場合）には、１Ｒ〜２Ｒまで第２大入賞口３５を最大０．９秒開放させる。この当りでは、１Ｒ目と２Ｒ目の第２大入賞口３５の開放時間の合計が最大で１．８秒となるため、そのラウンド中に遊技球を第２大入賞口３５に入球させて特定領域３９を通過させることが可能となっている。本実施例の本パチンコ遊技機１においては、０．６秒程度で１個の遊技球が発射されるようになっているので、第２大入賞口３５の開放時間が１．８秒あれば、第２大入賞口３５へ遊技球を入球させて特定領域３９への遊技球の通過を狙うことは十分に可能である。但し、２Ｒ第４大当りは、第２大入賞口の総開放時間が１．８秒と短いため、他の１５Ｒ大当りのように多くの賞球（遊技利益）を望めるものではない。すなわち他の大当りに比してほとんど賞球の獲得できない大当りである。
【００９２】
また、第１小当りとなった場合（第１特別図柄表示器４１ａに第１小当り図柄が停止表示された場合）と、第２小当りとなった場合（第２特別図柄表示器４１ｂに第２小当り図柄が停止表示された場合）には、第２大入賞口３５の最大０．９秒間の開放を２回行う。すなわち、２Ｒ第４大当りと同じ開放パターンにて大入賞口を開放させる。この小当りにおいても、第２大入賞口３５の開放時間が合計１．８秒あるため、遊技球を第２大入賞口３５に入球させて特定領域３９を通過させることが可能となっている。しかし、前述の通り、小当り遊技にて特定領域３９への通過があっても、小当り遊技の前後で遊技状態の変化はない。また、小当り遊技では、大入賞口の総開放時間が１．８秒と短いため、２Ｒ第４大当りと同様に多くの賞球を望めるものではない。すなわち小当りは、遊技状態の移行という点についても、賞球という点についても、遊技者にとっての特典がほぼ無いもの（入球による賞球のみ）となっている。
【００９３】
本実施例では、第２大入賞口３５の開放パターンとして、遊技球が特定領域３９を通過可能（通過容易）な第１の開放パターンと（１５第１大当り、１５Ｒ第５大当り）、遊技球が特定領域３９を通過困難（通過不能）な第２の開放パターンと（１５Ｒ第２大当り、１５Ｒ第３大当り、１５Ｒ第６大当り）、遊技球が特定領域を通過可能であって第１の開放パターンより通過可能性が低い第３の開放パターンと（２Ｒ第４大当り）、を有するものとすることができる。また、小当り用の開放パターンとして、遊技球が特定領域３９を通過可能であるが通過した場合であっても特典を付与しない（高確率状態を発生しない）第４の開放パターンを有するものとすることができる。この第４の開放パターンは、他の態様として特定領域３９を通過不能な開放パターンとしてもよい。
【００９４】
尚、第１特別図柄（特図１）の当否判定における各大当りへの振分確率は、１５Ｒ第１大当りが４０％、１５Ｒ第２大当りが２０％、１５Ｒ第３大当りが３０％、２Ｒ第４大当りが１０％となっている（図６の大当り種別決定用乱数の欄を参照）。これに対して、第２特別図柄（特図２）の当否判定における大当りは、１５Ｒ第５大当りが８０％、１５Ｒ第６大当りが２０％となっている（図６の大当り種別決定用乱数の欄を参照）。この振分確率は、大当り遊技中に遊技球が特定領域３９を通過する可能性、すなわち高確率状態となる確率を表しているものといえ、また、後述の開放延長機能が作動する高ベース状態となる確率を表しているものといえる。
【００９５】
すなわち、高確率状態となる確率については、第１始動口２０への入球に基づく当否判定（第１特別図柄当否判定）で大当りとなった場合、その確率は少なくとも４０％となっており、２Ｒ第４大当りに係る大当り遊技中に遊技球が特定領域３９を通過する場合を含めると、その確率は５０％となっている。一方、第２始動口２１への入球に基づく当否判定（第２特別図柄当否判定）で大当りとなった場合、その確率は８０％となっている。
【００９６】
また、高ベース状態となる確率については、開放延長機能が作動していない遊技状態（低ベース状態）において第１特別図柄当否判定で大当りとなった場合、その確率は６０％となっており、高ベース状態において第１特別図柄当否判定で大当りとなった場合の２Ｒ第４大当りを含めると、その確率は７０％となっている。一方、第２特別図柄当否判定で大当りとなった場合、その確率は１００％となっている。そして、第２特別図柄当否判定で大当りとなった場合には、第１特別図柄当否判定で大当りとなった場合に発生し得る２Ｒ大当りが発生することはなく、必ず１５Ｒ大当りとなる。
【００９７】
このように本実施例のパチンコ遊技機１では、第１始動口２０に遊技球が入球して行われる第１特別図柄当否判定（第１特別図柄の大当り抽選）において大当りとなるよりも、第２始動口２１に遊技球が入球して行われる第２特別図柄当否判定（第２特別図柄の大当り抽選）において大当りとなる方が、第１特別図柄当否判定で大当りとなる場合に比べ、高確率状態になる確率や高ベース状態になる確率、さらには１５Ｒ分の賞球を獲得できる可能性が高くなっている。つまり、第２特別図柄当否判定で大当りとなる場合の方が、第１特別図柄当否判定で大当りとなる場合に比べ、遊技者にとって有利となる可能性が高くなるように設定されており、第２特別図柄を変動表示させた方が、第１特別図柄を変動表示させるよりも遊技者にとって有利に働く可能性が高いものとなっている。このため、遊技者は、第２始動口２１への入球を期待して遊技を行うこととなる。特に第２始動口２１への入球頻度が高まる開放延長機能の作動中（高ベース状態）においては顕著である。尚、前述の振分確率は一例であり、遊技性やスペック等を考慮して任意に設定することができる。
【００９８】
また、本実施例では、第２特別図柄を第１特別図柄に比して優位にしていることから、第１特別図柄の変動表示と第２特別図柄の変動表示が共に実行可能な場合、すなわち、第１特図保留と第２特図保留が共に「１」以上存在する場合には、第２特別図柄の変動表示（第２特図保留の消化）を第１特別図柄の変動表示（第１特図保留の消化）に優先して行うものとしている。これにより、第２始動口２１への入球頻度が高まる高ベース状態は、第２特別図柄の変動表示の実行頻度が高まるので、遊技者にとって有利に遊技を進めることが可能な状態といえる。にもかかわらず、高ベース状態で第１特別図柄の変動表示が行われることは、遊技者にとっては、せっかくの有利な状態（高ベース状態）での遊技に水を差されることとなり、第１特別図柄の変動表示は第２特別図柄の変動表示に比べ不利に働く可能性もあることから、高ベース状態での第１特別図柄の変動表示は、遊技者にとって望ましいことではないといえる。
【００９９】
ここで、特別図柄の停止表示の態様として、大当り図柄のことを「特定表示結果」ともいい、小当り図柄のことを「所定表示結果」ともいい、外れ図柄のことを「所定態様」や「非特定表示結果」ともいう。また、高ベース状態の設定契機とならない大当り図柄（１５Ｒ第３大当り図柄、低ベース状態での２Ｒ第４大当り図柄）のことを「第１特定表示結果」ともいい、高ベース状態の設定契機となる大当り図柄（１５Ｒ第１，第２，第５，第６大当り図柄、高ベース状態での２Ｒ第４大当り図柄）のことを「第２特定表示結果」ともいう。また、特別図柄が変動表示する際の遊技状態として、開放延長機能が作動しない遊技状態（低ベース状態）のことを「第１遊技状態」ともいい、開放延長機能が作動する遊技状態（高ベース状態）のことを「第２遊技状態」ともいう。
【０１００】
本パチンコ遊技機１では、大当りか、小当りか、外れかの判定は「特別図柄当否判定用乱数（「当否判定用情報」ともいう）」に基づいて行われ、大当りとなった場合の大当りの種別の判定は「大当り種別決定用乱数（「図柄決定用乱数」、「図柄決定用情報」ともいう）」に基づいて行われる。図７（Ａ）に示すように、特別図柄当否判定用乱数は「０〜６２９」までの範囲で値をとり、大当り種別決定用乱数は「０〜９９」までの範囲で値をとる。また、第１始動口２０や第２始動口２１への入球に基づいて取得される乱数（取得情報）には、特別図柄当否判定用乱数および大当り種別決定用乱数の他に「変動パターン乱数（「変動パターン情報」ともいう）」がある。変動パターン乱数は、変動時間を含む変動パターンを決めるための乱数であり、「０〜１９８」までの範囲で値をとる。また、ゲート２８の通過に基づいて取得される乱数には、図７（Ｂ）に示す普通図柄当否判定用乱数がある。普通図柄当否判定用乱数は、第２始動口２１を開放させる補助遊技を行うか否かの判定（普通図柄抽選）のための乱数であり、「０〜２４０」までの範囲で値をとる。
【０１０１】
次に、本実施例のパチンコ遊技機１の遊技状態について説明する。パチンコ遊技機１は、特別図柄に対する確率変動機能、普通図柄に対する確率変動機能、変動時間短縮機能および開放延長機能の各機能が作動状態または非作動状態となる組合せにより、複数の遊技状態を有している。特別図柄（第１特別図柄および第２特別図柄）について確率変動機能が作動している状態を「高確率状態」といい、作動していない状態を「通常状態（「低確率状態」ともいう）」という。高確率状態では、特別図柄当否判定において大当りと判定される確率が通常状態よりも高くなっている。すなわち、通常状態では通常状態用の当り判定テーブルを用いて当否判定を行い、高確率状態では、大当りと判定される特別図柄当否判定用乱数の値が通常状態よりも多い高確率状態用の当り判定テーブルを用いて当否判定を行う（図８（Ａ）を参照）。つまり、特別図柄の確率変動機能が作動すると、作動していないときに比して、特別図柄の変動表示の表示結果が大当りとなる（停止図柄が大当り図柄となる）確率が高くなる。
【０１０２】
また、特別図柄（第１特別図柄及び第２特別図柄）について変動時間短縮機能が作動している状態を「時短状態」といい、作動していない状態を「非時短状態」という。時短状態では、特別図柄の変動時間（変動表示の開始時から確定表示時までの時間）の平均値が、非時短状態における特別図柄の変動時間の平均値よりも短くなる。すなわち、時短状態においては、変動時間の短い変動パターンが選択されることが非時短状態よりも多くなるように定められた変動パターンテーブルを用いて、変動パターンの判定を行う（図９を参照）。その結果、時短状態では、特図保留の消化ペースが速くなり、始動口への有効な入球（特図保留として記憶され得る入球）が発生しやすくなる。そのため、スムーズな遊技の進行のもとで大当りを狙うことができる。
【０１０３】
特別図柄（第１特別図柄及び第２特別図柄）についての確率変動機能と変動時間短縮機能は同時に作動することもあるし、片方のみが作動することもある。そして、普通図柄についての確率変動機能および変動時間短縮機能は、特別図柄の変動時間短縮機能に同期して作動するようになっている。すなわち、普通図柄の確率変動機能および変動時間短縮機能は、特別図柄の時短状態において作動し、非時短状態において作動しない。よって、時短状態では、普通図柄当否判定における当り確率が非時短状態よりも高くなっている。すなわち、当りと判定される普通図柄乱数（当り乱数）の値が非時短状態で用いる普通図柄当り判定テーブルよりも多い普通図柄当り判定テーブルを用いて、普通図柄当否判定（普通図柄の判定）を行う（図８（Ｃ）を参照）。つまり、普通図柄についての確率変動機能が作動すると、作動していないときに比して、普通図柄の変動表示の表示結果が当りとなる（停止図柄が普通当り図柄となる）確率が高くなる。
【０１０４】
また時短状態では、普通図柄の変動時間が非時短状態よりも短くなっている。本実施例では、普通図柄の変動時間は非時短状態では３０秒であるが、時短状態では１秒である（図８（Ｄ）を参照）。さらに時短状態では、可変入賞装置２２（第２始動口２１）の開放時間延長機能が作動し、補助遊技における第２始動口２１の開放時間が、非時短状態よりも長くなっている。加えて時短状態では、可変入賞装置２２の開放回数増加機能が作動し、補助遊技における第２始動口２１の開放回数が非時短状態よりも多くなっている。具体的には、非時短状態において普通図柄当否判定の結果が当りになると、可変入賞装置２２（第２始動口２１）の可動部材２３が０．２秒の開放動作を１回行い、時短状態において普通図柄当否判定の結果が当りになると、可変入賞装置２２（第２始動口２１）の可動部材２３が２．０秒の開放動作を３回行うものとなっている。
【０１０５】
普通図柄についての確率変動機能および変動時間短縮機能、並びに、可変入賞装置２２の開放時間延長機能および開放回数増加機能が作動している状況下では、これらの機能が作動していない場合に比して、第２始動口２１が頻繁に開放され、第２始動口２１への遊技球の入球頻度が高くなる（「高頻度状態」ともいう）。その結果、発射球数に対する賞球数の割合であるベースが高くなる。従って、これらの機能が作動している状態を「高ベース状態」ともいい、作動していない状態を「低ベース状態」ともいう。高ベース状態では、手持ちの遊技球（持ち球）を大きく減らすことなく大当りを狙うことができる。
【０１０６】
高ベース状態（高頻度状態）は、上記の全ての機能が作動するものでなくてもよい。すなわち、普通図柄についての確率変動機能および変動時間短縮機能、並びに、可変入賞装置２２の開放時間延長機能および開放回数増加機能のうち少なくとも一つの機能の作動によって、その機能が作動していないときよりも第２始動口２１が開放され易く（入球頻度が高く）なっていればよい。また、高ベース状態は、特別図柄の時短状態に付随せずに独立して制御されるようにしてもよい。この様な高ベース状態を発生する機能を「高ベース発生機能」ということもできる。
【０１０７】
本実施例のパチンコ遊技機１では、１５Ｒ第１，第５大当りとなった場合の大当り遊技終了後の遊技状態は、その大当り遊技中に遊技球が特定領域３９を通過していれば、特別図柄の高確率状態かつ特別図柄の時短状態かつ高ベース状態となる（図６を参照）。この遊技状態を特に「高確高ベース状態」という。高確高ベース状態は、所定回数（本例では１００回）の特別図柄の変動表示が実行されるか、大当りとなって大当り遊技が実行されることにより終了する。
【０１０８】
また、１５Ｒ第２，第６大当りとなった場合の大当り遊技終了後の遊技状態は、その大当り遊技中に遊技球が特定領域３９を通過することは極めて困難であることから特別図柄の通常状態となり、これに加えて特別図柄の時短状態かつ高ベース状態となる（図６を参照）。この遊技状態を特に「低確高ベース状態」という。低確高ベース状態は、所定回数（本例では１００回）の特別図柄の変動表示が実行されるか、所定回数（本例では１００回）の特別図柄の変動表示が実行されるまでに大当りに当選して当該大当りに係る特別遊技（大当り遊技）が実行されることにより終了する。尚、可能性は限りなく低いが、仮に、１５Ｒ第２，第６大当りに係る大当り遊技中に遊技球が特定領域３９を通過した場合には、その大当り遊技終了後の遊技状態は「高確高ベース状態」となる。また、可能性は限りなく低いが、仮に、１５Ｒ第１，第５大当りに係る大当り遊技中に遊技球が特定領域３９を通過しなかった場合には、その大当り遊技終了後の遊技状態は「低確高ベース状態」となる。
【０１０９】
また、１５Ｒ第３大当りとなった場合の大当り遊技終了後の遊技状態は、その大当り遊技中に遊技球が特定領域３９を通過する可能性は極めて低いことから、特別図柄の通常状態となり、これに加えて特別図柄の非時短状態かつ低ベース状態となる（図６を参照）。この遊技状態を特に「低確低ベース状態」という。低確低ベース状態は、本パチンコ遊技機１において基本となる遊技状態、すなわち初期の遊技状態である。尚、可能性は限りなく低いが、仮に、１５Ｒ第３大当りに係る大当り遊技中に遊技球が特定領域３９を通過した場合には、その大当り遊技終了後の遊技状態は、後述の「高確低ベース状態」となる。
【０１１０】
また、低確低ベース状態において、２Ｒ第４大当りとなった場合の大当り遊技終了後の遊技状態は、その大当り遊技中に遊技球が特定領域３９を通過していれば、特別図柄の高確率状態かつ特別図柄の非時短状態かつ低ベース状態となる（図６を参照）。この遊技状態を特に「高確低ベース状態」という。高確低ベース状態は、所定回数（本例では１００回）の特別図柄の変動表示が実行されるか、大当りとなって大当り遊技が実行されることにより終了する。
【０１１１】
この高確低ベース状態は、高確率状態であることが潜伏している状態、すなわち高確率状態であることが遊技者にとって認識困難な状態である。つまり高確低ベース状態は、いわゆる「潜伏確変状態（「確率非報知状態」ともいう）」である。これに対して、上記の高確高ベース状態は、高確率状態であることが遊技者にとって明らかな状態である。つまり高確高ベース状態は、いわゆる「確変遊技状態」である。
【０１１２】
また、高ベース状態において、２Ｒ第４大当りとなった場合の大当り遊技終了後の遊技状態は、その大当り遊技中に遊技球が特定領域３９を通過していれば「高確高ベース状態」となる（図６を参照）。すなわち、特別図柄の時短機能およびベース状態については、大当り遊技の実行前の状態と同じ状態とされる。
【０１１３】
高確高ベース状態や低確高ベース状態といった高ベース状態では、右打ちにより右遊技領域３Ｂへ遊技球を進入させた方が有利に遊技を進行できる。高ベース状態では、低ベース状態と比べて第２始動口２１が開放されやすくなっており、第１始動口２０への入球よりも第２始動口２１への入球の方が容易となっているからである。そのため、高ベース状態では、普通図柄当否判定の契機となるゲート２８へ遊技球を通過させつつ、第２始動口２１へ遊技球を入球させるべく右打ちを行うことで、左打ちを行うよりも、多数の始動入球（特別図柄当否判定の機会）を得ることができる。この状態のとき、発射方向表示器４７が所定の態様で点灯制御され、右遊技領域へ発射すべきことを報知する。
【０１１４】
これに対して、高確低ベース状態や低確低ベース状態といった低ベース状態では、左打ちにより左遊技領域３Ａへ遊技球を進入させた方が有利に遊技を進行できる。低ベース状態では、高ベース状態と比べて第２始動口２１が開放されにくくなっており、第２始動口２１への入球よりも第１始動口２０への入球の方が容易となっているからである。そのため、低ベース状態では、第１始動口２０へ遊技球を入球させるべく左打ちを行うことで、右打ちを行うよりも、多数の始動入球（特別図柄当否判定の機会）を得ることができる。この状態のとき、発射方向表示器４７が所定の態様で点灯制御（表示制御）され、左遊技領域へ発射すべきことを報知する。
【０１１５】
具体的には発射方向表示器４７は、「ｙｚ」の２個のＬＥＤで構成されており、遊技状態に応じてＬＥＤを点灯させることにより発射方向を示すものである。例えば、低ベース状態では、「ｙ□ｚ□」（例えば、□：消灯、■：点灯とする）というように両ＬＥＤを消灯する表示態様として左遊技領域へ発射すべきことを報知することができる。また、高ベース状態では、「ｙ■ｚ■」（例えば、□：消灯、■：点灯とする）というように両ＬＥＤを点灯する表示態様として右遊技領域へ発射すべきことを報知することができる。
【０１１６】
また、本実施例では、遊技領域３のうち左遊技領域３Ａと右遊技領域３Ｂの何れに向けて遊技球を発射するかを指示する発射指示報知を、発射方向表示器４７におけるＬＥＤの表示態様だけでなく、画像表示装置７（表示画面７ａ）における発射指示画像（左打ち指示画像７０、右打ち指示画像７１）の表示によっても行うこととしている。一般に、遊技者にしてみれば、発射方向表示器４７に比べ画像表示装置７（表示画面７ａ）の方が、表示内容を視認しやすく把握（理解）しやすいといえる。したがって、遊技者は、一般的には、画像表示装置７（表示画面７ａ）に表示される発射指示画像を見て、「左打ち」と「右打ち」の何れを行うべきなのか、つまり、現在の遊技状態が左打ちを行う「左打ち遊技状態」なのか、右打ちを行う「右打ち遊技状態」なのかを把握する。
【０１１７】
尚、本実施例では、前述のように、遊技状態が特別遊技状態（大当り遊技状態）や高ベース状態（高確高ベース状態、低確低ベース状態）にあるときに「右打ち」を行うことから、「右打ち遊技状態」は特別遊技状態や高ベース状態を指す。この「右打ち遊技状態」のことを「所定遊技状態」ともいい、「特別遊技状態」のことを「第１所定遊技状態」ともいい、「高ベース状態」のことを「第２所定遊技状態」ともいう。
【０１１８】
以上のように、本実施例のパチンコ遊技機１においては、小当り遊技や大当り遊技が行われていない低確低ベース状態を基準とすると、この低確低ベース状態を「通常遊技状態」もしくは「通常状態」として捉えることができ、当該状態にて特別図柄を変動表示させる遊技を「通常遊技」として捉えることができる。
【０１１９】
そして、大当り遊技は、特別図柄を変動表示させて大当り図柄が停止表示されることで実行され得る遊技であって、遊技者にとっては、大入賞口（第１大入賞口３２、第２大入賞口３５）への遊技球の入球により多量の賞球を得ることが可能な有利な遊技であることから、大当り遊技を「特別遊技」として捉えることができ、当該大当り遊技が行われる遊技状態を「特別遊技状態」として捉えることができる。
【０１２０】
また、小当り遊技は、大当り遊技ほどではないものの、大入賞口（第１大入賞口３２、第２大入賞口３５）への遊技球の入球により賞球を得ることは可能なので、一応は、通常遊技に比べ遊技者に有利な遊技といえる。よって、小当り遊技も「特別遊技」として捉えることができ、当該小当り遊技が行われる遊技状態も「特別遊技状態」として捉えることができる。尚、大当り遊技としての特別遊技と、小当り遊技としての特別遊技を区別するため、小当り遊技としての特別遊技を「小利益特別遊技」として捉えることもできる。
【０１２１】
［主制御メイン処理］
次に、図１０〜図３８に基づいて、遊技制御用マイコン８１の動作（主制御部による制御処理）について説明する。尚、遊技制御用マイコン８１の動作説明にて登場するカウンタ、フラグ、ステータス、バッファ等は、主制御基板８０のＲＡＭに設けられている。主制御基板８０に備えられた遊技制御用マイコン８１は、パチンコ遊技機１の電源がオンされると、主制御基板８０のＲＯＭから図１０に示した主制御メイン処理のプログラムを読み出して実行する。同図に示すように、主制御メイン処理では、まず初期設定を行う（S101）。初期設定では例えば、スタックの設定、定数設定、割り込み時間の設定、主制御基板８０のＣＰＵの設定、ＳＩＯ、ＰＩＯ、ＣＴＣ（割り込み時間用コントローラ）の設定や、各種のフラグ、ステータス及びカウンタのリセット等を行う。フラグの初期値は「０」つまり「ＯＦＦ」であり、ステータスの初期値は「１」であり、カウンタの初期値は「０」である。尚、初期設定（S101）は、電源投入後に一度だけ実行され、それ以降は実行されない。
【０１２２】
初期設定（S101）に次いで、割り込みを禁止し（S102）、普通図柄・特別図柄主要乱数更新処理（S103）を実行する。この普通図柄・特別図柄主要乱数更新処理（S103）では、図７に示した種々の乱数カウンタの値を１加算する更新を行う。各乱数カウンタの値は上限値に至ると「０」に戻って再び加算される。尚各乱数カウンタの初期値は「０」以外の値であってもよく、ランダムに変更されるものであってもよい。更新された乱数カウンタ値は主制御基板８０のＲＡＭの所定の更新値記憶領域（図示せず）に逐次記憶される。
【０１２３】
普通図柄・特別図柄主要乱数更新処理（S103）が終了すると、割り込みを許可する（S104）。割り込み許可中は、割り込み処理（S105）の実行が可能となる。この割り込み処理（S105）は、例えば４ｍｓ周期で主制御基板８０のＣＰＵに繰り返し入力される割り込みパルスに基づいて実行される。そして、割り込み処理（S105）が終了してから、次に割り込み処理（S105）が開始されるまでの間に、普通図柄・特別図柄主要乱数更新処理（S103）による各種カウンタ値の更新処理が繰り返し実行される。尚、割り込み禁止状態のときにＣＰＵに割り込みパルスが入力された場合は、割り込み処理（S105）はすぐには開始されず、割り込み許可（S104）がされてから開始される。
【０１２４】
［割り込み処理］
次に、割り込み処理（S105）について説明する。図１１に示すように、割り込み処理（S105）では、まず出力処理（S201）を実行する。出力処理（S201）では、以下に説明する各処理において主制御基板８０のＲＡＭに設けられた出力バッファにセットされたコマンド（制御信号）等を、サブ制御基板９０や払出制御基板１１０等に出力する。ここで出力するコマンド等には、遊技状態、特別図柄当否判定の結果、大当り種別としての図柄、変動パターン等に関する情報等が挙げられる。尚、コマンドは、例えば２バイトの情報からなる。上位１バイトは、コマンドの種類に関する情報であり、下位１バイトはコマンドの内容に関する情報である。
【０１２５】
出力処理（S201）に次いで行われる入力処理（S202）では、主にパチンコ遊技機１に取り付けられている各種センサ（第１始動口センサ２０ａ、第２始動口センサ２１ａ、第１大入賞口センサ３０ａ、第２大入賞口センサ３５ａ、一般入賞口センサ２７ａ等（図５を参照））が検知した検知信号を読み込み、賞球情報としてＲＡＭの出力バッファに記憶する。また、第１始動口センサ２０ａや第２始動口センサ２１ａが遊技球を検知した場合、後述の始動入球時処理（S205）により、各始動口に対応する始動入球コマンドをＲＡＭの出力バッファに記憶する。さらに、下皿６２の満杯を検知する下皿満杯スイッチからの検知信号も取り込み、下皿満杯データとしてＲＡＭの出力バッファに記憶する。
【０１２６】
次に行われる普通図柄・特別図柄主要乱数更新処理（S203）は、図１０の主制御メイン処理で行う普通図柄・特別図柄主要乱数更新処理（S103）と同じである。即ち、図７に示した各種乱数カウンタ値（普通図柄乱数カウンタ値も含む）の更新処理は、タイマ割り込み処理（S105）の実行期間と、それ以外の期間（割り込み処理（S105）の終了後、次の割り込み処理（S105）が開始されるまでの期間）との両方で行われている。
【０１２７】
普通図柄・特別図柄主要乱数更新処理（S203）に次いで、後述する始動口センサ検知処理（S204）、始動入球時処理（S205）、普図動作処理（S206）、特図動作処理（S207）、特定領域センサ検知処理（S208）、保留球数処理（S209）および電源断監視処理（S210）を実行する。この他、遊技を進行させる上で必要な「その他の処理」を実行して、割り込み処理（S105）を終了する。そして、次に主制御基板８０のＣＰＵに割り込みパルスが入力されるまで主制御メイン処理のS102〜S104の処理が繰り返し実行され（図１０を参照）、割り込みパルスが入力されると（約４ｍｓｅｃ後）、再び割り込み処理（S105）が実行される。再び実行された割り込み処理（S105）の出力処理（S201）においては、前回の割り込み処理（S105）にてＲＡＭの出力バッファにセットされたコマンド等が出力される。
【０１２８】
［始動口センサ検知処理］
図１２に示すように、始動口センサ検知処理（S204）では、まず、遊技球がゲート２８を通過したか否か、即ち、ゲートセンサ２８ａによって遊技球が検知されたか否かを判定する（S301）。遊技球がゲート２８を通過していなければ（S301でNO）、S305の処理に移行し、ゲート２８を遊技球が通過していれば（S301でYES）、普通図柄保留球数（普図保留の数、具体的にはＲＡＭに設けた普図保留の数をカウントするカウンタの値）が４未満であるか否か判定する（S302）。
【０１２９】
普通図柄保留球数が４未満でなければ（S302でNO）、S305の処理に移行する。一方、普通図柄保留球数が４未満であれば（S302でYES）、普通図柄保留球数に「１」を加算し（S303）、普通図柄乱数取得処理（S304）を行う。普通図柄乱数取得処理（S304）では、ＲＡＭの更新値記憶領域（図示せず）に記憶されている普通図柄当否判定用乱数カウンタの値（ラベル−ＴＲＮＤ−Ｈ、図７（Ｂ））を取得し、その取得乱数値（取得情報）を、主制御基板８０のＲＡＭに設けられた普図保留記憶部のうち現在の普通図柄保留球数に応じたアドレス空間に格納する。
【０１３０】
S305では、第２始動口２１に遊技球が入球したか否か、即ち、第２始動口センサ２１ａによって遊技球が検知されたか否かを判定する（S305）。第２始動口２１に遊技球が入球していない場合（S305でNO）には、S309の処理に移行し、第２始動口２１に遊技球が入球した場合には（S305でYES）、特図２保留球数（第２特図保留の数、具体的には主制御部８０のＲＡＭに設けた第２特図保留の数をカウントするカウンタの数値）が４（上限数）未満であるか否か判定する（S306）。そして、特図２保留球数が４未満でない場合（S306でNO）には、S309の処理に移行し、特図２保留球数が４未満である場合には（S306でYES）、特図２保留球数に１を加算する（S307）。
【０１３１】
続いて特図２関係乱数取得処理（S308）を行う。特図２関係乱数取得処理（S308）では、ＲＡＭの更新値記憶領域（図示せず）に記憶されている特別図柄当否判定用乱数カウンタの値（ラベル−ＴＲＮＤ−Ａ）、大当り種別決定用乱数カウンタの値（ラベル−ＴＲＮＤ−ＡＳ）及び変動パターン乱数カウンタの値（ラベル−ＴＲＮＤ−Ｔ１）を取得し（つまり図７（Ａ）に示す乱数の値を取得し）、それら取得乱数値（取得情報）を第２特図保留記憶部８５ｂのうち現在の特図２保留球数に応じたアドレス空間に格納する。
【０１３２】
続いて第１始動口２０に遊技球が入球したか否か、即ち、第１始動口センサ２０ａによって遊技球が検知されたか否かを判定する（S309）。第１始動口２０に遊技球が入球していない場合（S309でNO）には処理を終え、第１始動口２０に遊技球が入球した場合には（S309でYES）、特図１保留球数（第１特図保留の数、具体的には主制御部８０のＲＡＭに設けた第１特図保留の数をカウントするカウンタの数値）が４（上限数）未満であるか否か判定する（S310）。そして、特図１保留球数が４未満でない場合（S310でNO）には処理を終え、特図１保留球数が４未満である場合には（S310でYES）、特図１保留球数に「１」を加算する（S311）。
【０１３３】
続いて特図１関係乱数取得処理（S312）を行う。特図１関係乱数取得処理（S312）では、特図２関係乱数取得処理（S308）と同様に、ＲＡＭの更新値記憶領域（図示せず）に記憶されている特別図柄当否判定用カウンタの値（ラベル−ＴＲＮＤ−Ａ）、大当り種別決定用乱数カウンタの値（ラベル−ＴＲＮＤ−ＡＳ）および変動パターン乱数カウンタの値（ラベル−ＴＲＮＤ−Ｔ１）を取得し（つまり図７（Ａ）に示す乱数値を取得し）、それら取得乱数値を第１特図保留記憶部のうち現在の特図１保留球数に応じたアドレス空間に格納する。
【０１３４】
［始動入球時処理］
図１１に示すように遊技制御用マイコン８１は、始動口センサ検知処理（S204）に次いで始動入球時処理（S205）を行う。図１３に示すように、始動入球時処理（S205）では、まず、特図２保留球数が「１」増加したか否かを判定する（S315）。そして、特図２保留球数が「１」増加したと判定した場合（S315でYES）、S316の処理に移行する。これは、第２始動口に遊技球が入球したことに基づいて、始動口センサ検知処理(S204)におけるS307で特図２保留球数に「１」を加算した場合が該当する。一方、特図２保留球数が増加していないと判定した場合(S315でNO)、S319の処理に移行する。
【０１３５】
S316では、直前の始動口センサ検知処理(S204)における特図２関係乱数取得処理（S308）で取得して第２特図保留記憶部に記憶した最新の取得乱数値（取得情報）を読み出す（S316）。次いで、読み出した第２特別図柄に係る取得乱数値を判定する（S317）。S317では、読み出した取得乱数値のうち、特別図柄当否判定用乱数カウンタの値（特別図柄当否判定用乱数値）については、現在の遊技状態（低確率状態か高確率状態か）に応じて大当りか外れかを判定し、当該判定の結果が大当りである場合には、さらに大当りの種別を判定する。このS317の処理は、後述の特図２当否判定処理（S1202）における当否判定（S1303,S1309）に先立って行う事前判定（所謂「保留先読み」）に相当するものである。
【０１３６】
尚、大当りか否かの事前判定は、大当り判定テーブル（図８（Ａ）を参照）、すなわち、高確率状態であれば高確率状態用の大当り判定テーブル、通常状態（低確率状態）であれば通常状態用の大当り判定テーブルに基づいて、大当り判定値と一致するか否かを判定することが可能である。また、他の事前判定態様として、変動パターン情報を判定可能な変動パターン情報判定テーブルとして、通常状態用（低確率状態用）の変動パターン情報判定テーブルと、高確率状態用（高確率状態用）の変動パターン情報判定テーブルと、を有するものとする。そして、事前判定においては、取得乱数値（特別図柄当否判定用乱数カウンタの値等）と、遊技状態に応じた変動パターン情報判定テーブルと、に基づいて、所定の変動パターン情報を選択するものとすることが可能である。そして、この選択した変動パターン情報から、大当りかどうかや大当り種別、大当り信頼度の高い遊技演出が実行されるかどうか等を識別可能とすることができる。
【０１３７】
次いでS318では、S317による事前判定の結果に係る遊技情報（事前判定情報）、具体的には、特別図柄当否判定用乱数値が大当り判定値と一致するか否かを示す情報（当否情報）や、大当り種別決定用乱数カウンタの値（大当り種別決定用乱数値）を示す情報、変動パターン乱数カウンタの値（変動パターン乱数値）を示す情報等を含むコマンドデータを、特図２始動入球コマンドとして生成し、当該コマンドをＲＡＭの出力バッファにセットする（S318）。尚、特図２始動入球コマンドとして、S316で読み出した特図２取得乱数の値の一部または全部を、そのままサブ制御基板に送信するようにしてもよいし、特図２取得乱数の値はそのまま送信せず、特図２取得乱数の値に基づいて取得した遊技情報（例えば、前述の変動パターン情報等）を送信するようにしてもよい。
【０１３８】
また、主制御部８０から送信した特図２始動入球コマンドをサブ制御部９０で解析することで、大当りに係る情報であるかどうか、大当り種別は何れであるか、変動パターンは何れであるか等を、サブ制御部９０が識別できるものとされている。また、本実施例では、これに加えて、特図２始動入球コマンドを解析することで、取得した特図２取得乱数が高確率状態で判定した場合に大当りとなるかどうか、及び低確率状態で判定した場合に大当りとなるかどうか、を特定可能とされている。これにより、サブ制御部９０は、受信した特図２始動入球コマンドを保留（演出保留情報）として記憶し、特定のタイミングで当該演出保留情報を事前判定し、低確率状態で当否判定した場合に大当りと判定される演出保留情報が記憶されているかどうかを判定することが可能となる。
【０１３９】
尚、不正防止の観点から、S316で読み出した取得乱数値のうち特別図柄当否判定用乱数値を、そのままサブ制御部に送信することはせず、その他の大当り種別決定用乱数カウンタの値（大当り種別決定用乱数値）と変動パターン乱数カウンタの値（変動パターン乱数値）を示す情報と、事前判定の結果を示す情報とを含むコマンドデータを特図２始動入球コマンドとして生成し、これをセットすることが可能である。
【０１４０】
次いでS319では、前述の特図２に係る処理と同様に、特図１保留球数が「１」増加したか否かを判定する（S319）。そして、特図１保留球数が「１」増加したと判定した場合（S319でYES）、S320の処理に移行する。これは、第１始動口に遊技球が入球したことに基づいて、始動口センサ検知処理(S204)におけるS311で特図１保留球数に「１」を加算した場合が該当する。一方、S319で、特図１保留球数が増加していないと判定した場合（S319でNO）、そのまま処理を終える。
【０１４１】
S320では、時短フラグがＯＮであるか否かを判定し（S320）、時短フラグがＯＮである、すなわち高ベース状態であると判定した場合（S320でYES）、そのまま処理を終える。一方、S320で時短フラグがＯＦＦである、すなわち低ベース状態であると判定した場合（S320でNO）、S321以降の事前判定に係る処理に進む。
【０１４２】
S321〜S323の処理は、前述したS316〜S318と同様の処理を特図１について行うものである。すなわち、始動口センサ検知処理(S204)における特図１関係乱数取得処理（S312）で取得して第１特図保留記憶部に記憶した最新の取得乱数値（取得情報）を読み出し（S321）、読み出した取得乱数値について事前判定を行う（S322）。そして、この事前判定に係る遊技情報を含むコマンドデータを特図１始動入球コマンドとして生成し、当該コマンドをＲＡＭの出力バッファにセットする（S323）。尚、S322の事前判定（保留先読み）は、後述の特図１当否判定処理（S1207）における当否判定（S1603,S1609）に先立って行うものである。
【０１４３】
ここで、高ベース状態では、第２始動口２１への入球頻度が高まる開放延長機能が作動しており、特図２の当否判定（図８（Ｂ）を参照）が行われやすい状態となっている。また、本実施例では、後述するように特図２保留の消化（第２特別図柄の変動表示）を特図１保留の消化（第１特別図柄の変動表示）に優先して実行するものとしている。このことから、本実施例では、特図１保留に係る事前判定（特図１事前判定）を、第１特別図柄の変動表示が主として行われる低ベース状態にて行うこととし、特図２保留に係る事前判定（特図２事前判定）については、低ベース状態であるか高ベース状態であるかを問わず行うこととしている。また、本実施例のパチンコ遊技機１では、後述するように、大当り遊技中は低確低ベース状態に制御されるが、大当り遊技中に遊技球が第１始動口２０に入球して特図１保留球数が「１」増加したとしても、S321〜S323の処理（特図１事前判定処理）は行わないものとなっている。
【０１４４】
［普図動作処理］
遊技制御用マイコン８１は、始動入球遊技処理（S206）に次いで、図１４に示す普図動作処理（S207）を行う。普図動作処理（S207）では、普通図柄表示器４２および可変入賞装置２２に関する処理を４つの段階に分け、それらの各段階に「普図動作ステータス１、２、３、４」を割り当てている。そして、「普図動作ステータス」が「１」である場合には（S401でYES）、普通図柄待機処理（S402）を行い、「普図動作ステータス」が「２」である場合には（S401でNO、S403でYES）、普通図柄変動中処理（S404）を行い、「普図動作ステータス」が「３」である場合には（S401,S403で共にNO、S405でYES）、普通図柄確定処理（S406）を行い、「普図動作ステータス」が「４」である場合には（S401、S403、S405の全てがNO）、普通電動役物処理（S407）を行う。尚普図動作ステータスは、初期設定では「１」である。
【０１４５】
［普通図柄待機処理］
図１５に示すように、普通図柄待機処理（S402）では、まず、普通図柄の保留球数が「０」であるか否かを判定し（S501）、「０」であれば（S501でYES）、この処理を終える。一方「０」でなければ（S501でNO）、後述の普通図柄当否判定処理を行い（S502）、次いで、普通図柄変動パターン選択処理を行う（S503）。普通図柄変動パターン選択処理では、図８（Ｄ）に示す普通図柄変動パターン選択テーブルを参照して、遊技状態が時短状態であれば、普通図柄の変動時間が１秒の普通図柄変動パターンを選択する。一方、遊技状態が非時短状態であれば、普通図柄の変動時間が３０秒の普通図柄変動パターンを選択する。普通図柄変動パターン選択処理（S503）を終えたら、後述の普通図柄乱数シフト処理（S504）を行い、次いで、普通図柄変動開始処理（S505）を行い、処理を終える。普通図柄変動開始処理では、S503で選択した普通図柄変動パターンに基づいて普通図柄の変動表示を開始するとともに、普通動作ステータスを「２」にセットする。また、普通図柄変動開始処理では、サブ制御基板９０に普通図柄の変動開始を知らせるため、普通図柄変動開始コマンドをセットする。
【０１４６】
［普通図柄当否判定処理］
図１６に示すように、普通図柄当否判定処理（S502）では、まず、普図保留記憶部に格納されている普通図柄当否判定用乱数カウンタの値（ラベル−ＴＲＮＤ−Ｈ）を読み出す（S601）。次いで、時短フラグがＯＮであるか否か（すなわち遊技状態が時短状態であるか否か）を判定する（S602）。S602で、時短フラグがＯＮである、すなわち時短状態であると判定した場合（S602でYES）、図８（Ｃ）に示す普通図柄当り判定テーブルのうち時短状態用のテーブル（当り判定値が「０」〜「２３９」）に基づく高確率普図当否判定により、当りか否かを判定し（S604）、S605の処理に移行する。すなわち、読み出した普通図柄当否判定用乱数カウンタの値（ラベル−ＴＲＮＤ−Ｈ）が当り判定値の何れかと一致するか否かを判定する。一方、S602で、時短フラグがＯＮでない、すなわち、非時短状態であると判定した場合（S602でNO）、図８（Ｃ）に示す普通図柄当り判定テーブルのうち非時短状態用のテーブル（当り判定値が「０」、「１」）に基づく低確率普図当否判定により、当りか否かを判定し（S603）、S605の処理に移行する。そして、S605で、普図当否判定（S603,S604）の結果が、当り（普図当り）か否かを判定し（S605）、外れと判定された場合（S605でNO）、停止表示する外れ普通図柄（普図外れ図柄）を決定し（S606）、処理を終える。一方、S605で当り（普図当り）と判定された場合（S605でYES）、停止表示する当り普通図柄（普図当り図柄）を決定し（S607）、普図当りフラグをＯＮにして（S608）、処理を終える。
【０１４７】
［普通図柄乱数シフト処理］
図１７に示すように、普通図柄乱数シフト処理（S504）では、まず、普通図柄保留球数を１デクリメントする（S701）。次いで、普図保留記憶部における各普図保留の格納場所を、現在の位置から読み出される側に一つシフトする（S702）。そして、普図保留記憶部における最上位の保留記憶の格納場所であるアドレス空間を空（「０」）にして、即ち普図保留の４個目に対応するＲＡＭ領域を０クリアして（S703）、処理を終える。このようにして、普図保留が保留順に消化されるようにしている。
【０１４８】
［普通図柄変動中処理］
図１８に示すように、普通図柄変動中処理（S404）では、まず、普通図柄の変動時間が経過したか否か判定し（S801）、経過していなければ（S801でNO）、処理を終える。一方、経過していれば（S801でYES）、普通図柄変動停止コマンドをセットする（S802）とともに、普図動作ステータスを「３」にセットする（S803）。そして、普通図柄の変動表示を、普通図柄当否判定用乱数の判定結果に応じた表示結果（当り普通図柄又は外れ普通図柄）で停止させる等のその他の処理を行って（S804）、この処理を終える。
【０１４９】
［普通図柄確定処理］
図１９に示すように、普通図柄確定処理（S406）では、まず、普図当りフラグがＯＮであるか否かを判定する（S901）。普図当りフラグがＯＮでなければ（S901でNO）、普図動作ステータスを「１」にセットして（S905）、この処理を終える。一方、普図当りフラグがＯＮであれば（S901でYES）、続いて時短フラグがＯＮであるか否か、すなわち時短状態中か否かを判定する（S902）。そして、時短状態中であれば（S902でYES）、可変入賞装置２２（第２始動口２１）の開放パターンとして時短状態中の開放パターンをセットする（S903）。時短状態中の開放パターンとは、前述の通り、２．０秒の開放を３回繰り返す開放パターンである。従って、第２始動口２１の開放回数をカウントする第２始動口開放カウンタに「３」をセットする。
【０１５０】
これに対して、非時短状態中であれば（S902でNO）、可変入賞装置２２（第２始動口２１）の開放パターンとして非時短状態中の開放パターンをセットする（S906）。非時短状態中の開放パターンとは、前述の通り、０．２秒の開放を１回行う開放パターンである。従って、第２始動口開放カウンタに「１」をセットする。そして、開放パターンのセット（S903、S906）に続いて、普図動作ステータスを「４」にセットし（S904）、この処理を終える。
【０１５１】
［普通電動役物処理］
図２０に示すように、普通電動役物処理（S407）では、まず、普図当り終了フラグがＯＮであるか否かを判定する（S1001）。普図当り終了フラグは、当りとなって実行された補助遊技において、第２始動口２１の開放が終了したことを示すフラグである。
【０１５２】
普図当り終了フラグがＯＮでなければ（S1001でNO）、第２始動口２１の開放中か否かを判定する（S1002）。開放中でなければ（S1002でNO）、第２始動口２１を開放させる時期（タイミング）に至ったか否かを判定し（S1003）、至っていなければ（S1003でNO）、処理を終え、至っていれば（S1003でYES）、第２始動口２１を開放させ（S1004）、処理を終える。一方、第２始動口２１の開放中であれば（S1002でYES）、第２始動口２１を閉鎖させる時期（タイミング）に至ったか否か（すなわち第２始動口２１を開放してから予め定められた開放時間が経過したか否か）を判定し（S1005）、至っていなければ（S1005でNO）処理を終え、至っていれば（S1005でYES）、第２始動口２１を閉状態（閉鎖）とする（S1006）。
【０１５３】
そして、第２始動口２１の閉鎖処理（S1006）に次いで、第２始動口開放カウンタの値を１デクリメントし（S1007）、第２始動口開放カウンタの値が「０」であるか否か判定する（S1008）。「０」でなければ（S1008でNO）、再び第２始動口２１を開放させるためにそのまま処理を終える。一方「０」であれば（S1008でYES）、補助遊技を終了させる普図当り終了処理を行う（S1009）とともに、普図当り終了フラグをセットして（S1010）処理を終える。尚、第２始動口開放カウンタは、時短状態中であれば第２始動口２１の開放（可動部材２３の開放動作）が３回なされると「０」になり、非時短状態中であれば第２始動口２１の開放が１回なされると「０」になる。
【０１５４】
これに対して、S1001において普図当り終了フラグがＯＮであれば（S1001でYES）、S903またはS906にてセットされた回数の第２始動口２１の開放動作は終了しているので、普図当り終了フラグをＯＦＦにするとともに（S1011）、普図当りフラグをＯＦＦにし（S1012）、普図動作ステータスを「１」にセットして（S1013）処理を終える。これにより、次回の割り込み処理において、普図動作処理（図１３）として再び普通図柄待機処理（S402）が実行されることになる。
［普通電動役物処理］
図２０に示すように、普通電動役物処理（S407）ではまず、普図当り終了フラグがＯＮであるか否かを判定する（S1001）。普図当り終了フラグは、当りとなって実行された補助遊技において、第２始動口２１の開放が終了したことを示すフラグである。
【０１５５】
普図当り終了フラグがＯＮでなければ（S1001でNO）、第２始動口２１の開放中か否かを判定する（S1002）。開放中でなければ（S1002でNO）、第２始動口２１を開放させる時期（タイミング）に至ったか否かを判定し（S1003）、至っていなければ（S1003でNO）処理を終え、至っていれば第２始動口２１を開放させ（S1004）、処理を終える。一方、第２始動口２１の開放中であれば（S1002でYES）、第２始動口２１を閉鎖させる時期（タイミング）に至ったか否か（すなわち第２始動口２１を開放してから予め定められた開放時間が経過したか否か）を判定し（S1005）、至っていなければ（S1005でNO）処理を終え、至っていれば（S1005でYES）第２始動口２１を閉状態（閉鎖）とする（S1006）。
【０１５６】
そして第２始動口２１の閉鎖処理（S1006）に次いで、第２始動口開放カウンタの値を１デクリメントし（S1007）、第２始動口開放カウンタの値が「０」であるか否かを判定する（S1008）。「０」でなければ（S1008でNO）、再び第２始動口２１を開放させるためにそのまま処理を終える。一方「０」であれば（S1008でYES）、補助遊技を終了させる普図当り終了処理を行う（S1009）とともに、普図当り終了フラグをセットして（S1010）処理を終える。尚、第２始動口開放カウンタは、時短状態中であれば第２始動口２１の開放（可動部材２３の開放動作）が３回なされると「０」になり、非時短状態中であれば第２始動口２１の開放が１回なされると「０」になる。
【０１５７】
これに対してS1001において普図当り終了フラグがＯＮであれば（S1001でYES）、S903又はS906にてセットされた回数の第２始動口２１の開放動作は終了しているので、普図当り終了フラグをＯＦＦするとともに（S1011）、普図当りフラグをＯＦＦし（S1012）、普図動作ステータスを「１」にセットして（S1013）処理を終える。これにより、次回の割り込み処理において、普図動作処理（図１３）として再び普通図柄待機処理（S402）が実行されることになる。
【０１５８】
［特図動作処理］
図１１に示すように遊技制御用マイコン８１は、普図動作処理（S206）に次いで特図動作処理（S207）を行う。図２１に示すように、特図動作処理（S207）では、特別図柄表示器４１および大入賞装置（第１大入賞装置３１および第２大入賞装置３６）に関する処理を５つの段階に分け、それらの各段階に「特図動作ステータス１、２、３、４、５」を割り当てている。そして、特図動作ステータスが「１」である場合（S1101でYES）には特別図柄待機処理（S1102）、特図動作ステータスが「２」である場合（S1101でNO、S1103でYES）には特別図柄変動中処理（S1104）、特図動作ステータスが「３」である場合（S1101,S1103で共にNO、S1105でYES）には特別図柄確定処理（S1106）、特図動作ステータスが「４」である場合（S1101,S1103,S1105で共にNO、S1107でYES）には大当り遊技としての特別電動役物処理１（S1108）、特図動作ステータスが「５」である場合（S1101,S1103,S1105,S1107の全てがNO）には小当り遊技としての特別電動役物処理２（S1109）、をそれぞれ行う。尚、特図動作ステータスは、初期設定では「１」である。
【０１５９】
［特別図柄待機処理］
図２２に示すように、特別図柄待機処理（S1102）では、まず、第２始動口２１の保留球数（即ち特図２保留球数）が「０」であるか否かを判定する（S1201）。特図２保留球数が「０」である場合（S1201でYES）、即ち、第２始動口２１への入球に基づいて取得される乱数カウンタ値の記憶がない場合には、第１始動口２０の保留球数（即ち特図１保留球数）が「０」であるか否かを判定する（S1206）。そして、特図１保留球数も「０」である場合（S1206でYES）、即ち、第１始動口２０への入球に基づいて取得される乱数カウンタ値の記憶もない場合には、画像表示装置７の表示画面７ａを待機画面とする処理中（客待ち用のデモ画面の実行中）であるか否かを判定し（S1211）、処理中であれば（S1211でYES）、処理を終え、処理中でなければ（S1211でNO）、待機画面を表示するために待機画面設定処理を実行する（S1212）。
【０１６０】
S1201において特図２保留球数が「０」でない場合（S1201でNO）、即ち、第２始動口２１への入球に基づいて取得される乱数カウンタ値の記憶が１つ以上ある場合には、後述の特図２当否判定処理（S1202）、特図２変動パターン選択処理（S1203）、特図２乱数シフト処理（S1204）、特図２変動開始処理（S1205）をこの順に行う。また、特図２保留球数が「０」であるが特図１保留球数が「０」でない場合（S1201でYES、S1206でNO）、即ち、第２始動口２１に係る乱数カウンタ値の記憶はないが、第１始動口２０への入球に基づいて取得される乱数カウンタ値の記憶が１つ以上ある場合には、後述の特図１当否判定処理（S1207）、特図１変動パターン選択処理（S1208）、特図１乱数シフト処理（S1209）、特図１変動開始処理（S1210）をこの順に行う。このように本実施例では、第１特図保留に基づく第１特別図柄の変動表示は、特図２保留球数が「０」の場合（S1201でYESの場合）に限って行われる。すなわち第２特図保留の消化（第２特別図柄の変動表示）は、第１特図保留の消化（第１特別図柄の変動表示）に優先して実行される。そして、本実施例では、第２特図保留に基づく当否判定の方が、第１特図保留に基づく当否判定よりも、遊技者にとって利益の大きい大当りになりやすくなっている（図８（Ｂ）を参照）。
【０１６１】
［特図２当否判定処理］
図２３に示すように、特図２当否判定処理（S1202）では、まず、判定値として、ＲＡＭの特図保留記憶部の最下位の領域（即ち第２特図保留の１個目に対応するＲＡＭ領域）に記憶されている（最も古い記憶の）特別図柄当否判定用乱数カウンタの値（ラベル−ＴＲＮＤ−Ａ）を読み出す（S1301）。次いで、確変フラグがＯＮか否か、すなわち高確率状態であるか否かを判定する（S1302）。そして、高確率状態でなければ（S1302でNO）、すなわち通常状態であれば、当り判定テーブル（図８（Ａ）を参照）のうち通常状態用の当り判定テーブル（大当り判定値が「３」、「３９７」）に基づいて当否判定を行う（S1303）。一方、高確率状態であれば（S1302でYES）、当り判定テーブル（図８（Ａ）を参照）のうち高確率状態用の大当り判定テーブルに基づいて当否判定を行う（S1309）。高確率状態用の大当り判定テーブルでは、大当り判定値が「３」、「５３」、「１１３」、「１７３」、「２２７」、「２８１」、「３３７」、「３９７」、「４４９」、「５０３」とされている。
【０１６２】
当否判定（S1303,S1309）の結果が「大当り」であると判定した場合（S1304でYES）、大当り種別決定用乱数カウンタの値（ラベル−ＴＲＮＤ−ＡＳ）を読み出して、図８（Ｂ）に示す大当り種別判定テーブルに基づいて大当り種別を判定し（S1310）、当該大当り種別決定用乱数の値に基づいて大当り図柄を決定し（S1311）、大当りフラグをＯＮにして（S1312）、処理を終える。尚、第１特別図柄に係る当否判定の場合は、第１特別図柄用の大当り種別判定テーブルを用いて大当り種別を判定し、第２特別図柄に係る当否判定の場合は、第２特別図柄用の大当り種別判定テーブルを用いて大当り種別を判定する。そして、第１特別図柄（特図１）の当否判定にて大当りと判定した場合は、１５Ｒ第１大当り、１５Ｒ第２大当り、１５Ｒ第３大当り及び２Ｒ第４大当りのうち何れかとされ、第２特別図柄（特図２）の当否判定にて大当りと判定した場合は、１５Ｒ第５大当りまたは１５Ｒ第６大当りとされる（図８（Ｂ）を参照）。
【０１６３】
このことに対応して、本実施例では、大当りフラグとして、大当りの種別が１５Ｒ第１大当り、１５Ｒ第２大当り、１５Ｒ第３大当り、１５Ｒ第５大当り又は１５Ｒ第６大当りであった場合にＯＮにする長当りフラグと、２Ｒ第４大当りであった場合にＯＮにする短当りフラグと設けている。そして、２Ｒ第４大当りとなって短当りフラグがＯＮにされると、２Ｒ第４大当り図柄が確定表示するタイミングで、ラウンド表示器４５の２Ｒ用ランプ（図４を参照）の方が点灯表示される。具体的には、「２Ｒ▲１５Ｒ△」（例えば、▲：点灯、△：消灯とする）の様な表示態様となる。また、１５Ｒ第１〜第３大当り、１５Ｒ第５大当り及び１５Ｒ第６大当りの何れかとなって長当りフラグがＯＮにされると、対応する大当り図柄が確定表示するタイミングで、１５Ｒ用ランプ（図４を参照）の方が点灯表示される。具体的には、「２Ｒ△１５Ｒ▲」の様な表示態様となる。
【０１６４】
ここで、大当り判定（特別図柄当否判定）や大当り種別決定判定を、夫々「判定」といってもよいし、大当り判定を行い何れの大当り図柄となるかを含めて「判定」といってもよい。また、これらの結果を「判定結果」ということもある。
【０１６５】
一方、当否判定（S1303,S1309）の結果が「大当り」でないと判定した場合（S1304でNO）、小当りであるか否かを判定する（S1305）。すなわち、特別図柄当否判定用乱数カウンタの値（ラベル−ＴＲＮＤ−Ａ）が、小当り判定値である「１０１」〜「１０５」の何れかと一致するか否かを判定する（図８（Ａ）を参照）。そして、「小当り」でないと判定した場合（S1305でNO）、外れ図柄を決定し（S1308）、処理を終える。つまり、当否判定（S1303,S1309）の結果が「大当り」でもなく「小当り」でもない場合は、その結果は「外れ」となる。一方、小当り判定（S1305）の結果が「小当り」であると判定した場合（S1305でYES）、小当り図柄を決定し（S1306）、小当りフラグをＯＮにして（S1307）、処理を終える。尚、小当りか否かを決める乱数を、特別図柄当否判定用乱数とは別に設けてもよい。
【０１６６】
［特図２変動パターン選択処理］
特別図柄待機処理（図２２）では、特図２当否判定処理（S1202）に次いで、特図２変動パターン選択処理を行う（S1203）。図２４及び図２５に示すように、特図２変動パターン選択処理（S1203）では、まず、遊技状態が時短状態であるか否か（時短フラグがＯＮであるか否か）を判定する（S1401）。そして、時短状態でなければ（S1401でNO）、すなわち非時短状態であれば、大当りフラグがＯＮであるか否かを判定し（S1402）、ＯＮであれば（S1402でYES）、非時短状態中大当り用テーブル（図９に示す変動パターンテーブルのうち非時短状態かつ大当りに該当する部分）を参照して、変動パターン乱数カウンタ値（ラベル−ＴＲＮＤ−Ｔ１）に基づいて変動パターンを選択する（S1403）。尚、変動パターンが決まれば変動時間も決まる。また、本実施例では、非時短状態中大当り用テーブルは、大当りが長当り（１５Ｒ大当り）か短当り（２Ｒ大当り）かによっても分かれている（図９を参照）。しかし、本処理は、特図２についての変動パターン選択処理であり、特図２の抽選にて当選する大当りには１５Ｒ第５大当り（長当り）しか存在しない（図６を参照）。したがって、本処理にて参照される箇所は、常に長当りの箇所となり、変動パターンＰ１またはＰ２が選択される。尚、非時短状態中大当り用テーブルは、長当り用と短当り用とに分かれていなくてもよい。これは後述の時短状態中大当り用テーブルについても同様である。
【０１６７】
一方、大当りフラグがＯＮでなければ（S1402でNO）、小当りフラグがＯＮであるか否かを判定する（S1405）。そして、小当りフラグがＯＮであれば（S1405でYES）、非時短状態中小当り用テーブル（図９に示す変動パターンテーブルのうち非時短状態かつ小当りに該当する部分）を参照して、変動パターン乱数カウンタ値に基づいて変動パターンを選択する（S1409）。具体的には、本実施例では必ず変動パターンＰ４が選択される。
【０１６８】
また、小当りフラグがＯＮでなければ（S1405でNO）、大当りでもなく小当りでもない外れということになり、この場合、第２特別図柄の保留数が「１」又は「２」であるか否かを判定する（S1406）。ここでいう保留数とは、本処理により変動パターンを決定している情報も含めた記憶数であるので、保留記憶の数は「１」〜「４」の何れかの値とされる。そして、S1406で、保留数が「１」又は「２」であると判定した場合（S1406でYES）、非時短状態中第１保留数外れ用テーブル（図９に示す変動パターンテーブルのうち非時短状態かつ外れかつ保留球数「１，２」に該当する部分）を参照して、変動パターン乱数カウンタ値（ラベル−ＴＲＮＤ−Ｔ１）に基づいて変動パターンを選択する（S1407）。本実施例では、変動パターンＰ５乃至Ｐ８の何れかが選択される。
【０１６９】
一方、S1406で、保留数が「１」又は「２」でない、すなわち「３」又は「４」であると判定した場合（S1406でNO）、非時短状態中第２保留数外れ用テーブル（図９に示す変動パターンテーブルのうち非時短状態かつ外れかつ保留球数「３，４」に該当する部分）を参照して、変動パターン乱数カウンタ値（ラベル−ＴＲＮＤ−Ｔ１）に基づいて変動パターンを選択する（S1408）。本実施例では、変動パターンＰ９乃至Ｐ１２の何れかが選択される。ここで、非時短状態中の第１保留数外れ用テーブルは、第２保留数外れ用テーブルよりも、比較的長時間の変動時間の変動パターンを選択する可能性が高く設定されている。また、選択可能な最短の変動時間（１２０００ｍｓ）も、第２保留数外れ用テーブルのもの（４０００ｍｓ）よりも長い時間とされている。つまり、外れ時には、保留球数に応じた短縮変動の機能が働くようになっており、特別図柄の保留球数が「３」又は「４」であるときは、特別図柄の保留球数が「１」又は「２」であるときに比して変動時間の短い変動パターンが選択されるようになっている。
【０１７０】
また、前述のS1401において、遊技状態が時短状態であると判定した場合（S1401でYES）、大当りフラグがＯＮであるか否かを判定する（図２５のS1410）。そして、大当りフラグがＯＮであると判定した場合（S1410でYES）、時短状態中大当り用テーブル（図９に示す変動パターンテーブルのうち時短状態かつ大当りに該当する部分）を参照して、変動パターン乱数カウンタ値（ラベル−ＴＲＮＤ−Ｔ１）に基づいて変動パターンを選択する（S1411）。前述したように、本処理は、特図２についての変動パターン選択処理であり、特図２の抽選にて当選する大当りには１５Ｒ第５大当り（長当り）しか存在しないことから（図６を参照）、S1411では、長当りに対応する変動パターンＰ１３またはＰ１４が選択される。
【０１７１】
一方、S1410で大当りフラグがＯＮでないと判定した場合（S1410でNO）、小当りフラグがＯＮであるか否かを判定する（S1412）。そして、小当りフラグがＯＮであれば（S1412でYES）、時短状態中小当り用テーブル（図９に示す変動パターンテーブルのうち時短状態かつ小当りに該当する部分）を参照して、変動パターン乱数カウンタ値に基づいて変動パターンを選択する（S1416）。具体的には、本実施例では必ず変動パターンＰ１６が選択される。
【０１７２】
また、S1412で小当りフラグがＯＮでないと判定した場合（S1412でNO）、すなわち外れの場合、第２特別図柄の保留数が「１」であるか否かを判定する（S1413）。ここでいう保留数も前述と同様であり、保留数は「１」〜「４」の何れかの値とされている。そして、保留数が「１」であると判定した場合（S1413でYES）、時短状態中第３保留数外れ用テーブル（図９に示す変動パターンテーブルのうち非時短状態かつ外れかつ保留球数「１」に該当する部分）を参照して、変動パターン乱数カウンタ値（ラベル−ＴＲＮＤ−Ｔ１）に基づいて変動パターンを選択する（S1414）。本実施例では、変動パターンＰ１７乃至Ｐ２０の何れかが選択される。一方、S1413で、保留数が「１」でない、すなわち、保留数が「２」〜「４」の何れかであると判定した場合（S1413でNO）、時短状態中第４保留数外れ用テーブル（図９に示す変動パターンテーブルのうち時短状態かつ外れかつ保留球数「２〜４」に該当する部分）を参照して、変動パターン乱数カウンタ値（ラベル−ＴＲＮＤ−Ｔ１）に基づいて変動パターンを選択する（S1415）。本実施例では、変動パターンＰ２１乃至Ｐ２４の何れかが選択される。
【０１７３】
このように、時短状態中の変動パターンテーブル（図９に示す変動パターンテーブルのうち時短状態に該当する部分）では、外れ時の保留球数に応じた短縮変動の機能が、保留球数「２」〜「４」のときに働く。また、大当りのうち長当りに当選した場合に、非時短状態中よりも変動時間の短い変動パターンが選択され易くなっている。つまり、時短状態中の変動パターンテーブルは、非時短状態中の変動パターンテーブルよりも特別図柄の変動時間の平均値が短くなるようなテーブルとなっている。これにより、時短状態においては、非時短状態（通常状態）に比して、特図保留の消化スピードが早まる（時短中の遊技が迅速に進行していく）ものとなっている。
【０１７４】
以上のようにして変動パターンの選択を行った後は、図２４に示すその他の処理（S1404）を行って、本処理を終える。尚、その他の処理（S1404）では、選択した変動パターンに応じた変動パターン指定コマンド（特図２対応の変動パターン指定コマンド）をＲＡＭの出力バッファにセットする。セットした変動パターン指定コマンドは、後述の変動開始コマンドに含められて、出力処理（S201）によりサブ制御基板９０に送られる。
【０１７５】
［特図２乱数シフト処理］
図２６に示すように、特図２乱数シフト処理（S1204）では、まず、特図２保留球数を１デクリメントする（S1501）。次いで、第２特図保留記憶部における各種カウンタ値の格納場所を、１つ下位側（例えば第２特図保留記憶部がアドレス「００００」〜「０００３」に対応するアドレス空間からなる場合、アドレス「００００」側）にシフトする（S1502）。そして、第２特図保留記憶部の最上位のアドレス空間に「０」をセットして、即ち、（上限数まで記憶されていた場合）第２特図保留の４個目に対応するＲＡＭ領域を０クリアして（S1503）、この処理を終える。
【０１７６】
特図２乱数シフト処理（S1204）を実行した後は、図２２に示す特別図柄待機処理（S1102）の中の特図２変動開始処理（S1205）を実行する。特図２変動開始処理（S1205）では、特図動作ステータスを「２」にセットすると共に、変動開始コマンドをＲＡＭの出力バッファにセットして、第２特別図柄の変動表示を開始する。
【０１７７】
また、図２２の特別図柄待機処理（S1102）において、特図２保留球数が「０」であり、かつ、特図１保留球数が「０」でない場合（S1201でYES、S1206でNO）には、特図１当否判定処理（S1207）、特図１変動パターン選択処理（S1208）、特図１乱数シフト処理（S1209）、特図１変動開始処理（S1210）をこの順に行う。
【０１７８】
［特図１当否判定処理］
図２７に示すように、特図１当否判定処理（S1207）では、図２３に示した特図２当否判定処理（S1202）と同様の流れで処理（S1601〜S1612）を行う。従って本処理の詳細な説明は省略する。
【０１７９】
但し、本処理は特図１に関する処理であるので、S1601では、ＲＡＭの第１特図保留記憶部の最下位の領域（即ち第１特図保留の１個目に対応するＲＡＭ領域）に記憶されている特別図柄当否判定用乱数カウンタ値（ラベル−ＴＲＮＤ−Ａ）を読み出す。またS1610における大当りの種別判定では、１５Ｒ第１大当り、１５Ｒ第２大当り、１５Ｒ第３大当り及び２Ｒ第４大当りのいずれとも判定される可能性がある（図８（Ｂ））。図８（Ｂ）の第１特別図柄（特図１）の欄に示すように、各大当りの振分率は、１５Ｒ第１大当りが４０％、１５Ｒ第２大当りが２０％、１５Ｒ第３大当りが３０％、２Ｒ第４大当りが１０％となっている。この大当りの種別判定で１５Ｒ第１大当り、１５Ｒ第２大当り及び１５Ｒ第３大当りの何れかと判定した場合には、S1612において大当りフラグとして長当りフラグをＯＮする。一方、２Ｒ第４大当りと判定した場合には、S1612において大当りフラグとして短当りフラグをＯＮする。
【０１８０】
［特図１変動パターン選択処理］
図２８及び図２９に示すように、特図１変動パターン選択処理（S1208）では、図２４及び図２５に示した特図２変動パターン選択処理（S1203）と同様の流れで処理（S1701〜S1720）を行う。従って本処理の詳細な説明は割愛する。
【０１８１】
但し、本処理は特図１に関する処理であるので、S1702（図２８）でYESの場合（すなわち大当りフラグがＯＮの場合）には、さらに大当りの種別が１５Ｒ大当り（１５Ｒ第１大当り、１５Ｒ第２大当り、１５Ｒ第３大当りのいずれか）であるか否かを判定する（S1703）。そして、１５Ｒ大当り（長当り）である場合には（S1703でYES）、非時短状態中１５Ｒ大当り用テーブル（図９に示す変動パターンテーブルのうち非時短状態かつ長当りに該当する部分）を参照して、変動パターン乱数カウンタ値（ラベル−ＴＲＮＤ−Ｔ１）に基づいて変動パターンを選択する（S1704）。具体的には、変動パターンＰ１またはＰ２が選択される。
【０１８２】
一方、S1703において１５Ｒ大当りでないと判定した場合（S1703でNO）、即ち２Ｒ第４大当り（短当り）である場合には、非時短状態中２Ｒ大当り用テーブル（図９に示す変動パターンテーブルのうち非時短状態かつ短当りに該当する部分）を参照して、変動パターン乱数カウンタ値に基づいて変動パターンを選択する（S1706）。具体的には、変動パターンＰ３が選択される。
【０１８３】
また、この特図１変動パターン選択処理では、S1712（図２９）でYESの場合（すなわち大当りフラグがＯＮの場合）にも、さらに大当りの種別が１５Ｒ大当り（１５Ｒ第１大当り、１５Ｒ第２大当り、１５Ｒ第３大当りのいずれか）であるか否かを判定する（S1713）。そして１５Ｒ大当り（長当り）である場合には（S1713でYES）、時短状態中１５Ｒ大当り用テーブル（図９に示す変動パターンテーブルのうち時短状態かつ長当りに該当する部分）を参照して、変動パターン乱数カウンタ値に基づいて変動パターンを選択する（S1714）。具体的には、変動パターンＰ１３またはＰ１４が選択される。
【０１８４】
一方、S1713において１５Ｒ大当りでないと判定した場合（S1713でNO）、即ち２Ｒ第４大当り（短当り）である場合には、時短状態中２Ｒ大当り用テーブル（図９に示す変動パターンテーブルのうち時短状態かつ短当りに該当する部分）を参照して、変動パターン乱数カウンタ値に基づいて変動パターンを選択する（S1715）。具体的には、変動パターンＰ１５が選択される。
【０１８５】
この特図１変動パターン選択処理において、変動パターンの選択を行った後は、その他の処理（S1705、図２８）を行って、この処理を終える。その他の処理（S1705）では、選択した変動パターンに応じた変動パターン指定コマンド（特図１対応の変動パターン指定コマンド）をＲＡＭの出力バッファにセットする。セットした変動パターン指定コマンドは、後述の変動開始コマンドに含められて、出力処理（S201）によりサブ制御基板９０に送られる。
【０１８６】
［特図１乱数シフト処理］
図３０に示すように、特図１乱数シフト処理（S1209）ではまず、特図１保留球数を１デクリメントする（S1801）。次いで、第１特図保留記憶部における各種カウンタ値の格納場所を、１つ下位側にシフトする（S1802）。そして、第１特図保留記憶部の最上位のアドレス空間に「０」をセットして、即ち、（上限数まで記憶されていた場合）第１特図保留の４個目に対応するＲＡＭ領域を０クリアして（S1803）、この処理を終える。
【０１８７】
特図１乱数シフト処理（S1209）を実行した後は、図２２の特図１変動開始処理（S1210）を実行する。特図１変動開始処理（S1210）では、特図動作ステータスを「２」にセットすると共に、変動開始コマンドをＲＡＭの出力バッファにセットして、第１特別図柄の変動表示を開始する。
【０１８８】
［特別図柄変動中処理］
図３１に示すように、特別図柄変動中処理（S1104）では、まず、特別図柄の変動時間（図２２のS1203又はS1208で選択された変動パターンに応じて決まる変動時間、図９を参照）が経過したか否かを判定する（S1901）。そして、変動時間が経過していないと判定した場合（S1901でNO）、処理を終える。これにより特別図柄の変動表示が継続される。
【０１８９】
一方、変動時間が経過したと判定した場合（S1901でYES）、変動停止コマンドをセットする（S1902）。そして、確変フラグがＯＮであるか否かを判定し（S1903）、ＯＮであれば（S1903でYES）、確変カウンタを１減算し（S1904）、確変カウンタの値が「０」であるか否かを判定する（S1905）。S1905で確変カウンタが「０」であると判定した場合、確変フラグをＯＦＦし、S1907の処理に移行する。一方、確変フラグがＯＮでないと判定した場合（S1903でNO）、または確変カウンタが「０」でないと判定した場合（S1905でNO）、S1907の処理に移行する。
【０１９０】
そしてS1907では、時短フラグがＯＮであるか否かを判定し（S1907）、時短フラグがＯＮであると判定した場合（S1907でYES）、時短状態中に実行した特別図柄の変動表示回数をカウントする時短カウンタの値を１減算し（S1908）、時短カウンタの値が「０」であるか否かを判定し（S1909）、「０」であれば（S1909でYES）、時短フラグをＯＦＦにし（S1910）、S1911の処理に進む。また、時短フラグがＯＮでないと判定した場合（S1907でNO）、または時短カウンタの値が「０」でないと判定した場合（S1909でNO）、S1911の処理に進む。S1911では、特図動作ステータスを「３」にセットする（S1911）。そして、特別図柄の変動表示を、特別図柄当否判定乱数及び大当り種別決定用乱数の判定結果に応じた結果で停止させる等のその他の処理を行い（S1912）、この処理を終える。
【０１９１】
［特別図柄確定処理］
図３２に示すように、特別図柄確定処理（S1106）ではまず、大当りフラグがＯＮであるか否かを判定する（S2001）。大当りフラグがＯＮであれば（S2001でYES）、続いて大当りの種別が１５Ｒ大当り（１５Ｒ第１大当り、１５Ｒ第２大当り、１５第３大当り及び１５Ｒ第５大当りのいずれか）であるか否かを判定する（S2002）。そして、１５Ｒ大当りであれば（すなわち長当りフラグがＯＮであれば）、大当り遊技中に実行するラウンド（１ラウンド１回開放の態様では、１回のラウンドは大入賞口の開放から閉鎖まで）の回数をカウントするラウンドカウンタの値を「１５」にセットするとともに、大入賞口（第１大入賞口３０又は第２大入賞口３５）の開放パターンとして（図６を参照）、１５Ｒ第１大当りであれば１５Ｒ第１大当り用の開放パターン、１５Ｒ第２大当りであれば１５Ｒ第２大当り用の開放パターン、１５Ｒ第３大当りであれば１５Ｒ第３大当り用の開放パターン、１５Ｒ第５大当りであれば１５Ｒ第５大当り用の開放パターン、１５Ｒ第６大当りであれば１５Ｒ第６大当り用の開放パターンを、それぞれセットする（S2003）。
【０１９２】
一方、S2002において１５Ｒ大当りでないと判定した場合（すなわち短当りフラグがＯＮである場合）、大当り種別は２Ｒ第４大当りということになるため、ラウンドカウンタの値を「２」にセットするとともに、大入賞口（第１大入賞口３０又は第２大入賞口３５）の開放パターンとして、２Ｒ第４大当り用の開放パターン（図６を参照）をセットする（S2004）。
【０１９３】
S2003又はS2004の処理を終えたら、大当り遊技を開始するべく、大当りのオープニングコマンドをセットするとともに（S2005）、大当り遊技のオープニング演出を開始し（S2006）、特図動作ステータスを「４」にセットする（S2007）。
【０１９４】
また、S2001において大当りフラグがＯＮでないと判定した場合（S2001でNO）、小当りフラグがＯＮであるか否かを判定する（S2008）。その結果、小当りフラグがＯＮであれば（S2008でYES）、小当り遊技中における大入賞口（第２大入賞口３５）の開放回数をカウントする小当り用開放カウンタの値を「２」にセットするとともに、大入賞口（第２大入賞口３５）の開放パターンとして、小当り用の開放パターン（図６を参照）をセットする（S2009）。そして、小当り遊技を開始するべく、小当りのオープニングコマンドをセットするとともに（S2010）、小当り遊技のオープニング演出を開始し（S2011）、特図動作ステータスを「５」にセットする（S2012）。尚、S2008において小当りフラグがＯＮでなければ（S2008でNO）、大当り遊技も小当り遊技も開始しないため、特図動作ステータスを「１」にセットし、処理を終える。
【０１９５】
［特別電動役物処理１（大当り遊技）］
図３３に示すように、特別電動役物処理１（S1108）ではまず、確変フラグがＯＮか否かを判定し（S2101）、ＯＮと判定した場合（S2101でYES）、確変フラグをＯＦＦする（S2102）。また、時短フラグがＯＮか否かを判定し（S2103）、ＯＮと判定した場合（S2103でYES）、時短フラグをＯＦＦする（S2104）。つまり、大当り遊技の実行中は、低確率状態かつ非時短状態に制御される。本実施例では非時短状態時は常に低ベース状態であるので、大当り遊技の実行中は低確低ベース状態に制御されることにもなる。
【０１９６】
次に、大当り終了フラグがＯＮであるか否かを判定する（S2105）。大当り終了フラグは、大当り遊技において大入賞口（第１大入賞口３０及び第２大入賞口３５）の開放が全て終了（大当り遊技が終了）したことを示すフラグである。大当り終了フラグがＯＮでなければ（S2105でNO）、大入賞口（第１大入賞口３０又は第２大入賞口３５）の開放中か否かを判定する（S2106）。開放中でなければ（S2106でNO）、大入賞口（第１大入賞口３０又は第２大入賞口３５）を開放させる時期（タイミング）に至ったか否か、すなわち大当りのオープニングの時間が経過して１ラウンド目を開始する時期に至ったか、又は、ラウンド間のインターバルの時間が経過して次ラウンド（次の開放）を開始する時期に至ったか否かを判定する（S2107）。これは、前述した大当り種別毎に設定した大入賞口開放パターンに基づいて判定する。例えば、１ラウンド目の開始前であれば、オープニング期間が終了して１ラウンド目の最初の開放処理を実行するタイミングであるか否かによって判定する。また、既に１ラウンド目を開始した後であれば、前のラウンドが終了し、かつ、所定のインターバル期間が終了している否かによって判定する。尚、ラウンドを、単に「Ｒ」ともいい、「ラウンド遊技」ともいう。
【０１９７】
S2107の判定結果がNOであれば、そのまま処理を終える。一方、S2107の判定結果がYESであれば、実行されるラウンドが１ラウンド目及び２ラウンド目の何れかのラウンドに該当するか否か、すなわち、Ｖラウンドであるか否かを判定する（S2108）。これは、大当り種別毎に、ラウンドカウンタの値を用いて判定してもよいし、別途実行するラウンドが何ラウンド目かをカウントするラウンドカウンタを設けて判定してもよい。実行されるラウンドがＶラウンドでない場合（S2108でNO）、すなわち、３〜１５ラウンドの何れかである場合、S2110に進んで、大当りの種類に応じた開放パターン（図６参照）に従って第１大入賞口３０を開放させるべく、第１大入賞装置３１を作動させる。一方、実行されるラウンドがＶラウンド（１ラウンド目又は２ラウンド目）であると判定した場合（S2108でYES）、Ｖ有効期間設定処理（S2109）を行ってからS2110に進んで、大当りの種類に応じた開放パターン（図６を参照）に従って第２大入賞口３５を開放させるべく、第２大入賞装置３６を作動させる。また、大入賞口（第１大入賞口３０又は第２大入賞口３５）を開放する際、すなわちラウンドを開始する際には、対応するラウンドのラウンド開始コマンドをセットする。例えば、１ラウンド目の開始であれば「１Ｒ開始コマンド」、２ラウンド目の開始であれば「２Ｒ開始コマンド」のように、開始するラウンドを特定可能なラウンド開始コマンドをセットする。セットしたラウンド開始コマンドは、S201の出力処理により、サブ制御部９０に送信される。
【０１９８】
Ｖ有効期間設定処理（S2109）では、Ｖラウンド（本実施例では１ラウンド又は２ラウンド）における第２大入賞口３５の開放中及び第２大入賞口３５の閉鎖後の数秒間を、特定領域センサ３９ａによる遊技球の検知を有効と判定する期間（第１期間に相当）に設定する。尚、本実施例ではこれ以外の期間（小当り中や特別遊技を実行していないときも含む）は、特定領域センサ３９ａによる遊技球の検知を無効と判定する期間（第２期間に相当）に設定している。ここで、特定領域センサ３９ａによる遊技球の検知を有効と判定するというのは、特定領域センサ３９ａによる遊技球の検知に基づいてＶフラグをＯＮする（後述の特定領域センサ検知処理のS2401〜S2403を参照）ということであり、特定領域センサ３９ａによる遊技球の検知を無効と判定するというのは、特定領域センサ３９ａによる遊技球の検知があってもＶフラグをＯＮにしないということである。
【０１９９】
ここで、特定領域センサ３９ａによって遊技球が検知され、ＶフラグがＯＮになったタイミングで、遊技状態表示器４６を所定の表示態様とし、大当り遊技終了後の遊技状態が高確率状態となることを報知する。具体的には、遊技状態表示器４６は「ａ１ａ２ａ３」の３個のＬＥＤで構成されている。そして、本実施例では、通常状態（低確率状態）においては、「ａ１□ａ２□ａ３□」（例えば、□：消灯、■：点灯）の表示態様とされる。また、大当り遊技中の特定領域センサ３９ａによって遊技球が検知され、ＶフラグがＯＮになったタイミングで、「ａ１■ａ２■ａ３■」の表示態様とされる。そして、大当り遊技が終了し、遊技状態が高確率状態に設定されると「ａ１□ａ２□ａ３□」の表示態様とされる。また、遊技状態表示器４６の点灯制御タイミングはこのようなタイミングに限定されず、大当り遊技中は、遊技球が特定領域を通過しても「ａ１□ａ２□ａ３□」の表示態様のままとし、大当り遊技終了後の高確率状態へ移行するタイミングで「ａ１■ａ２■ａ３■」とし、高確率状態から低確率状態に移行するタイミングで「ａ１□ａ２□ａ３□」の表示態様としてもよい。
【０２００】
すなわち、後述の特定領域センサ検知処理（S208）では、Ｖ有効期間中のＶ通過（特定領域３９への遊技球の通過）の検知時のみＶフラグをＯＮし、Ｖ有効期間外（Ｖ無効期間中）のＶ通過検知時にはＶフラグをＯＮしないこととしている。尚、ＶフラグがＯＮである場合には、確変フラグがＯＮされる、すなわち大当り遊技後の遊技状態が高確率状態に設定される（後述の遊技状態設定処理を参照）。このようにすることで、不正行為によるＶ通過に基づいてＶフラグがＯＮされることのないように、すなわち不正に高確率状態に設定されることのないようにしている。
【０２０１】
また、大当り遊技のＶラウンド（１Ｒ目または２Ｒ目）でＶ通過があれば、当該大当り遊技終了後の遊技状態を高確率状態に設定する一方、小当り遊技中にＶ通過があっても、小当り遊技前の遊技状態が通常状態であれば、その小当り遊技終了後の遊技状態も通常状態とし、小当り遊技前の遊技状態が高確率状態であれば、その小当り遊技終了後の遊技状態も高確率状態とする。つまり、小当り遊技の前後で当否判定確率を変化させないようにしている。
【０２０２】
尚、本実施例では、Ｖ有効期間設定処理（S2109）において、１５Ｒ第２，第３大当りである場合にも特定領域センサ３９ａによる遊技球の検知を有効と判定する期間（第１期間）に設定するが、他の態様として、１５Ｒ第２，第３大当りの場合は、Ｖラウンドにおいて第１期間を設定しないものとしてもよい。すなわち、１５Ｒ第２，第３大当りの場合はＶラウンドを第２期間に設定するようにしてもよい。１５Ｒ第２，第３大当りに係る大当り遊技では、第２大入賞口３５の開放時間を０．１秒と極短時間に設定しているため遊技球が第２大入賞口３５へ入球する可能性は限りなく低いが、第２期間に設定しておけば、万が一入球した場合でもＶフラグがＯＮになることはない。これにより、不正にＶフラグをＯＮにしたり、まれな入球によりＶフラグがＯＮになったりしてしまうのを防止することができる。尚、本実施例では１ラウンドと２ラウンドをＶラウンドとし、当該Ｖラウンドにおいて特定領域センサ３９ａによる遊技球の検知を有効としているが、Ｖラウンドの場所はこれに限らなくてもよい。
【０２０３】
S2106において大入賞口（第１大入賞口３０又は第２大入賞口３５）の開放中であれば（S2106でYES）、そのラウンドにおける大入賞口への入球個数が規定の最大入球個数（本実施例では１ラウンド当り１０個）に達しているか否かを判定する（S2111）。規定入球個数に達していなければ（S2111でNO）、大入賞口を閉鎖させる時期（タイミング）に至ったか否か、すなわち大入賞口を開放してから所定の開放時間（図６を参照）が経過したか否かを判定する（S2112）。そして、大入賞口の開放時間が経過していなければ（S2112でNO）、処理を終える。
【０２０４】
これに対して、規定入球個数に達している場合（S2111でYES）、又は大入賞口の開放時間が経過した場合（S2112でYES）、すなわち２つのラウンド終了条件のうちのいずれかが成立した場合には、大入賞口（第１大入賞口３０又は第２大入賞口３５）を閉鎖する（S2113）。そして、ラウンドカウンタの値を１デクリメントし（S2114）、ラウンドカウンタの値が「０」であるか否かを判定する（S2115）。「０」でないと判定した場合（S2115でNO）、次のラウンドを開始するため、処理を終える。また、大入賞口（第１大入賞口３０又は第２大入賞口３５）を閉鎖する際、すなわちラウンドを終了する際には、対応するラウンドのラウンド終了コマンドをセットする。例えば、１ラウンド目の終了であれば「１Ｒ終了コマンド」、２ラウンド目の終了であれば「２Ｒ終了コマンド」のように、終了するラウンドを特定可能なラウンド終了コマンドをセットする。このセットしたラウンド終了コマンドは、S201の出力処理により、サブ制御部９０に送信される。尚、ラウンド終了コマンドは、大当り遊技の最終ラウンドを除くラウンドの終了の際、すなわち、S2115でラウンドカウンタの値が「０」でないと判定した場合に送信される。例えば、実行する大当り遊技のラウンド数が１５Ｒ大当り遊技であれば、１４Ｒの終了まではラウンド終了コマンドが送信されるが、１５Ｒの終了に際しては送信されない。最終ラウンドの終了に際しては、後述するS2116の処理でセットするエンディングコマンドが送信されるからである。
【０２０５】
一方、ラウンドカウンタの値が「０」であると判定した場合（S2115でYES）、大当り遊技を終了させる大当り終了処理として、大当りのエンディングコマンドをセットするとともに（S2116）、大当りのエンディング演出を開始する（S2117）。そして、大当り終了フラグをセットし（S2118）、処理を終える。尚、ラウンドカウンタは、長当り（１５Ｒ大当り）であれば大入賞口の開放が１５回実行されると「０」になり、短当り（２Ｒ大当り）であれば大入賞口の開放が２回実行されると「０」になる。
【０２０６】
また、S2105において大当り終了フラグがＯＮであると判定した場合（S2105でYES）、最終ラウンドが終了しているので、大当りのエンディング演出の実行時間（エンディング時間）が経過したか否かを判定し（S2119）、エンディング時間が経過していなければ（S2119でNO）、処理を終える。一方、エンディング時間が経過していれば（S2119でYES）、大当り終了フラグをＯＦＦにした後（S2120）、後述の遊技状態設定処理（S2121）を行う。そして、大当りフラグをＯＦＦにし（S2122）、特図動作ステータスを「１」にセットし（S2123）、処理を終える。これにより、次回の割り込み処理において、特図動作処理（S207）として再び特別図柄待機処理（S1102）が実行されることになる。以上の特別電動役物処理１（S1108）を実行する遊技制御用マイコン８１は「特別遊技実行手段」として機能するものといえる。
【０２０７】
［遊技状態設定処理］
図３４に示すように、遊技状態設定処理（S2121）ではまず、ＶフラグがＯＮであるかどうかを判定する（S2201）。Ｖフラグは後述の特定領域センサ検知処理（図３６）にてＯＮされるフラグである。そして、ＶフラグがＯＮであれば（S2201でYES）、確変フラグをＯＮにするとともに（S2202）、確変カウンタに「１００」をセットし（S2203）、ＶフラグをＯＦＦにし（S2204）、S2205の処理に進む。一方、ＶフラグがＯＦＦであれば（S2201でNO）、確変フラグをＯＮにすることなく、S2205の処理に進む。すなわち、本パチンコ遊技機１では、この遊技状態設定処理においてＶフラグがＯＮになっているか否かに基づいて、大当り遊技終了後の遊技状態を高確率状態に設定するか否かを決めている。
【０２０８】
S2205では、終了した大当り遊技（今回実行した大当り遊技）が１５Ｒ大当りであるか否かを判定する。そして、１５Ｒ大当りであると判定した場合（S2205でYES）、その１５Ｒ大当りが１５Ｒ第３大当りであるか否かを判定し（S2206）、１５Ｒ第３大当りであれば（S2206でYES）、そのまま処理を終え、１５Ｒ第３大当りでない、すなわち、１５Ｒ第１，第２，第５大当りの何れかであれば（S2206でNO）、時短フラグをＯＮにするとともに（S2207）、時短カウンタに「１００」をセットし（S2208）、処理を終える。ここで、今回の大当り遊技が１５Ｒ第１大当り又は１５Ｒ第５大当りに係るものであれば、当該大当り遊技中に遊技球が特定領域３９（Ｖ通過）を通過してＶフラグがＯＮになっている筈なので（S2201でYES）、この場合の大当り遊技終了後の遊技状態は高確高ベース状態になる。また、今回の大当り遊技が１５Ｒ第２大当りに係るものであれば、当該大当り遊技中にＶ通過せずＶフラグがＯＮになっていない筈なので（S2201でNO）、この場合の大当り遊技終了後の遊技状態は低確高ベース状態になる。また、今回の大当り遊技が１５Ｒ第３大当りに係るものであれば、当該大当り遊技中にＶ通過せずＶフラグがＯＮになっていない筈なので（S2201でNO）、この場合の大当り遊技終了後の遊技状態は低確低ベース状態になる。
【０２０９】
一方、S2205で、終了した大当り遊技（今回実行した大当り遊技）が１５Ｒ大当りでない、すなわち、２Ｒ第４大当りであると判定した場合（S2205でNO）、今回の大当り遊技開始前の遊技状態、すなわち２Ｒ第４大当りとなった際の遊技状態が時短状態であったか否かを判定し（S2209）、時短状態でなかったと判定した場合（S2209でNO）、時短フラグをＯＮにすることなく、そのまま処理を終える。これにより、今回の大当り遊技でＶフラグがＯＮにならなかった場合（S2201でNO）、大当り遊技終了後の遊技状態は低確低ベース状態となり、今回の大当り遊技でＶフラグがＯＮになった場合（S2201でYES）、大当り遊技終了後の遊技状態は高確低ベース状態となる。
【０２１０】
一方、S2209で、２Ｒ第４大当りとなった際の遊技状態が時短状態であったと判定した場合（S2209でYES）、時短フラグをＯＮにするとともに（S2207）、時短カウンタに「１００」をセットし（S2208）、処理を終える。これにより、今回の大当り遊技でＶフラグがＯＮにならなかった場合（S2201でNO）、大当り遊技終了後の遊技状態は低確高ベース状態となり、今回の大当り遊技でＶフラグがＯＮになった場合（S2201でYES）、大当り遊技終了後の遊技状態は高確高ベース状態となる。
【０２１１】
尚、高確高ベース状態、低確高ベース状態および高確低ベース状態は、いずれも、特別図柄が１００回変動表示すること、及び、次の大当りが発生すること、の何れかの条件の成立により終了する。
【０２１２】
また、２Ｒ第４大当りに係る大当り遊技開始前の遊技状態が時短状態かどうかを判定する処理（S2209）を行うのは、当該大当り遊技前後の時短機能および高ベース機能の作動状態を、小当りが発生した場合の状態（条件）と同じにするためである。これらの作動状態が２Ｒ第４大当りの場合と小当りの場合とで異なっていると、大入賞口の開放パターンで何れの当りかを認識し難くしたとしても、その後の遊技状態（時短機能および高ベース機能の作動状態）によって、何れの当りかが容易に判別可能となってしまうからである。これにより、２Ｒ第４大当りと小当りとを大入賞口の開放パターンによって判別し難くすると共に、その後の時短機能や高ベース発生機能の作動状態によっても判別し難くするものとしている。
【０２１３】
［特別電動役物処理２（小当り遊技）］
図３５に示すように、特別電動役物処理２（S1109）ではまず、小当り終了フラグがＯＮであるか否かを判定する（S2301）。小当り終了フラグは、小当り遊技において第２大入賞口３５の開放が全て終了したことを示すフラグである。小当り終了フラグがＯＮでなければ（S2301でNO）、第２大入賞口３５の開放中か否かを判定する（S2302）。開放中でなければ（S2302でNO）、大入賞口（第１大入賞口３０又は第２大入賞口３５）を開放させる時期（タイミング）に至ったか否か、すなわち小当りのオープニングの時間が経過して１回目の開放を開始する時期に至ったか、又は、複数回にわたる開放の間のインターバルの時間が経過して次の開放を開始する時期に至ったか否かを判定する（S2303）。S2303の判定結果がNOであれば、そのまま処理を終える。一方、S2303の判定結果がYESであれば、Ｖ無効期間設定処理（S2304）を行ってから、S2305に進み、小当りの開放パターン（図６参照）に従って第２大入賞口３５を開放させるべく第２大入賞装置３６を作動させる。
【０２１４】
Ｖ無効期間設定処理（S2304）では、小当り遊技における第２大入賞口３５の開放中および第２大入賞口３５の閉鎖後の数秒間を、特定領域センサ３９ａによる遊技球の検知を無効と判定する期間（第２期間）に設定する。また、本実施例では、前述のＶ有効期間設定処理（S2109）で有効期間に定める期間以外の期間は無効期間（第２期間）とされている。従って、このＶ無効期間設定処理では、有効期間となっていないか、すなわち無効期間に設定されているかを確認する。具体的には、Ｖ有効期間の経過をカウントダウンにて計測するＶタイマ（主制御基板８０のＲＡＭに設けられている）が「０」（すなわち有効期間無しの状態）に設定されているかを確認する。Ｖタイマが「０」でなければＶタイマに「０」をセットする。尚、Ｖタイマが「０」か否かを確認することなく、Ｖタイマに「０」をセットする即ち有効期間無しの状態に設定するようにしてもよい。これにより、小当り遊技中にＶ通過があっても、小当り遊技開始前の遊技状態が通常状態であれば、その小当り遊技終了後の遊技状態は高確率状態に移行しないようになる。尚、本実施例では、前述のＶ有効期間設定処理（S2109）で有効期間に定める期間以外の期間は無効期間であるため、S2304の処理を省略してもよい。
【０２１５】
S2302において第２大入賞口３５の開放中であれば、（S2302でYES）、２回の開放中における第２大入賞口３５への入球個数、すなわち２回の開放において入球した遊技球を全て足した数が、規定の最大入球個数（本実施例では１０個）に達しているか否かを判定する（S2306）。規定入球個数に達していなければ（S2306でNO）、第２大入賞口３５を閉鎖させる時期に至ったか否か、すなわち第２大入賞口３５を開放してから所定の開放時間（図６参照）が経過したか否かを判定する（S2307）。そして、第２大入賞口３５の開放時間が経過していなければ（S2307でNO）、処理を終える。
【０２１６】
これに対して、２回の開放中における第２大入賞口３５への入球個数が規定入球個数に達している場合（S2306でYES）、第２大入賞口３５を閉鎖し（S2314）、S2311の小当り終了処理に移行する。一方、S2307で、第２大入賞口３５の開放時間が経過したと判定した場合（S2307でYES）には、第２大入賞口３５を閉鎖する（S2308）。そして、小当り用開放カウンタの値を１デクリメントし（S2309）、小当り用開放カウンタの値が「０」であるか否かを判定する（S2310）。S2310で「０」でないと判定した場合（S2310でNO）、次の開放を開始するため、そのまま処理を終える。
【０２１７】
一方、S2310で「０」であると判定した場合（S2310でYES）、S2311の小当り終了処理に移行する。S2311では、小当り遊技を終了させる小当り終了処理として、小当りのエンディングコマンドをセットするとともに（S2311）、小当りのエンディング演出を開始する（S2312）。そして、小当り終了フラグをセットし（S2313）、処理を終える。尚、小当り用開放カウンタは、第２大入賞口３５の開放が２回なされると「０」になる。
【０２１８】
S2301において、小当り終了フラグがＯＮであれば（S2301でYES）、２回の開放が終了しているので、小当りのエンディングの時間が経過したか否かを判定し（S2315）、エンディング時間が経過していなければ（S2315でNO）、処理を終える。一方、エンディング時間が経過していれば（S2315でYES）、小当り終了フラグをＯＦＦにするとともに（S2316）、小当りフラグをＯＦＦにし（S2317）、さらに、特図動作ステータスを「１」にセットし（S2318）、処理を終える。これにより、次回の割り込み処理において、特図動作処理（S207）として再び特別図柄待機処理（S1102）が実行されることになる。
【０２１９】
尚、小当り遊技の開始に際して確変フラグや時短フラグをＯＮからＯＦＦに切り変えることはしない。また、小当り遊技の終了に際しては、遊技状態設定処理（S2121、図３６）を行わない。すなわち、本パチンコ遊技機１では、小当り遊技の実行前と実行後において遊技状態を変化させない。以上の特別電動役物処理２（S1109）を実行する遊技制御用マイコン８１は「小利益特別遊技実行手段」として機能するといえる。
【０２２０】
［特定領域センサ検知処理］
図１１に示すように遊技制御用マイコン８１は、特図動作処理（S207）に次いで特定領域センサ検知処理（S208）を行う。図３６に示すように、特定領域センサ検知処理（S208）では、まず、特定領域センサ３９ａによる遊技球の検知があったか否かを判定し（S2401）、検知がないと判定した場合（S2401でNO）、処理を終了する。一方、S2401で検知があると判定した場合（S2401でYES）、Ｖ有効期間中か否かを判定する（S2402）。Ｖ有効期間は、前述の特別電動役物処理１（S1108）におけるＶ有効期間設定処理（S2109）にて設定される期間である。本実施例では、Ｖ有効期間は、大当り遊技における１ラウンド目と２ラウンド目に設定される。
【０２２１】
また、S2402でＶ有効期間中であると判定した場合（S2402でYES）、ＶフラグをＯＮにすると共に（S2403）、現在実行中の大当り遊技が２Ｒ大当り（２Ｒ第４大当り）であるか否かを判定する（S2404）。そして、２Ｒ大当りでないと判定した場合（S2404でNO）、すなわち１５Ｒ大当りであれば、第１Ｖ通過コマンドをセットし（S2405）、処理を終える。一方、２Ｒ大当りであると判定した場合（S2404でYES）、第２Ｖ通過コマンドをセットし（S2406）、処理を終える。主制御基板８０のＣＰＵは、所定のタイミングでこのＶ通過コマンドをサブ制御基板９０に送信し、サブ制御基板９０は受信したＶ通過コマンドの種別によって、演出図柄表示領域等で遊技演出を実行する。
【０２２２】
また、S2402でＶ有効期間中でないと判定した場合（S2402でNO）、ＶフラグをＯＮにすることなく、第３Ｖ通過コマンドをセットし（S2407）、処理を終える。尚、第１Ｖ通過コマンドは、サブ制御基板９０にＶ通過の報知制御を行わせるためのコマンドである。これに対して、第２Ｖ通過コマンド及び第３Ｖ通過コマンドは、サブ制御基板９０にＶ通過の報知制御を原則行わせないためのコマンドである。また、遊技制御用マイコン８１は、このような特定領域センサ検知処理（S208）やＶ有効期間設定処理（S2109）を実行することにより、特定領域３９への遊技球の通過の有効無効を切り替える手段（特定領域状態切替手段）として機能する。
【０２２３】
［保留球数処理］
図１１に示すように遊技制御用マイコン８１は、特定領域センサ検知処理（S208）に次いで保留球数処理（S209）を行う。図３７に示すように、保留球数処理（S209）では、まず、主制御基板８０のＲＡＭに記憶されている特図１保留球数、特図２保留球数及び普通図柄保留球数を読み出す（S2501）。次いで、その保留球数のデータ（その保留球数情報をサブ制御基板９０等に送信するための保留球数コマンド）を、ＲＡＭの出力バッファにセットする（S2502）。この保留球数に係るデータ（保留球数コマンド）は、次回の割り込み処理（S105）での出力処理（S201）によって出力され、割り込み処理毎に、保留球数に係るデータ（保留球数コマンド）の出力バッファへのセット（S2502）と、出力処理（S201）とが順次行われる。
【０２２４】
この保留球数コマンドを受信したサブ制御部９０は、受信した保留球数コマンドに基づいて特図保留球数に増減が生じたと判断した場合、これに応じて、画像表示装置７の表示画面７ａにおける演出保留表示領域（第１演出保留表示領域９ｃ、第２演出保留表示領域９ｄ）の表示内容を更新する。具体的には、例えば、特図１保留球数が「３」から「４」に１増加した場合、その増加した分の特図１保留球数「４」に対応する第１演出保留９ａを第１演出保留表示領域９ｃに追加表示する。また、特図１保留球数が「２」から「１」に１減少した場合（つまり、第１特図保留が消化された場合）、第１演出保留表示領域９ｃの左端（特図１保留球数「１」に対応する箇所、図３を参照）に表示されている第１演出保留９ａを消去するか、または、図示しない当該変動保留表示領域に移動して表示し、これに伴って、第１演出保留表示領域９ｃに表示されている第１演出保留９ａを左側に１つ移動（シフト）する。一方、第２演出保留９ｂ（第２特図保留）についても、第１演出保留９ａ（第１特図保留）と同様に表示内容を更新することができる。
【０２２５】
尚、特図保留球数が加算された際の特図保留球数のデータ、すなわち始動入球（始動入賞）の発生に伴う特図保留球数のデータについては、前述の始動入球コマンドに含めるか、加算後（始動入球後）の特図保留球数を示す保留球数コマンドを始動入球コマンドとともに出力バッファにセットするものとしてもよい。また、特図保留球数が減算された際の保留球数のデータ、すなわち特別図柄の変動開始（特図保留の消化）に伴う特図保留球数のデータについては、前述の変動開始コマンドに含めるか、減算後（特図保留消化後）の特図保留球数を示す保留球数コマンドを変動開始コマンドとともに出力バッファにセットするものとしてもよい。
【０２２６】
［電源断監視処理］
図１１に示すように遊技制御用マイコン８１は、保留球数処理（S209）に次いで電源断監視処理（S210）を行う。図３８に示すように、電源断監視処理（S210）では、まず、電源断信号の入力の有無を判定し（S2601）、入力がなければ（S2601でNO）、処理を終了する。一方、電源断信号の入力があれば（S2601でYES）、現在の遊技機の状態（確変かどうか、当り遊技中かどうか、保留球数はいくつか、確変・時短の残り変動回数はいくつか等）に関するデータをＲＡＭに記憶するとともに（S2602）、電源断フラグをＯＮし（S2603）、その後は割り込み処理（図１１）に戻ることなくループ処理をする。
【０２２７】
［サブ制御メイン処理］
次に、図３９〜図４８に基づいて、演出制御用マイコン９１の動作（サブ制御部９０による制御処理）について説明する。尚、演出制御用マイコン９１の動作説明にて登場するカウンタ、フラグ、ステータス、バッファ、タイマ等は、サブ制御基板９０（サブ制御部）のＲＡＭに設けられている。サブ制御基板９０に備えられた演出制御用マイコン９１は、パチンコ遊技機１の電源がオンされると、サブ制御基板９０のＲＯＭから図３９に示すサブ制御メイン処理のプログラムを読み出して実行する。同図に示すように、サブ制御メイン処理では、まず、ＣＰＵ初期化処理を行う（S4001）。ＣＰＵ初期化処理（S4001）では、スタックの設定、定数設定、ＣＰＵ９２の設定、ＳＩＯ、ＰＩＯ、ＣＴＣ（割り込み時間用コントローラ）等の設定や各種のフラグ、ステータス及びカウンタのリセット等を行う。
【０２２８】
続いて、S4002で、電源断信号がＯＮでかつサブ制御基板９０のＲＡＭの内容が正常であるか否かを判定する（S4002）。そして、この判定結果がＮＯであれば（S4002でNO）、サブ制御基板９０のＲＡＭの初期化をし（S4003）、S4004に進む。一方、判定結果がＹＥＳであれば（S4002でYES）、サブ制御基板９０のＲＡＭを初期化することなくS4004に進む。すなわち、電源断信号がＯＮでない場合、又は電源断信号がＯＮであってもＲＡＭの内容が正常でない場合には（S4002でNO）、サブ制御基板９０のＲＡＭを初期化するが、停電などで電源断信号がＯＮとなったがＲＡＭの内容が正常に保たれている場合には（S4002でYES）、ＲＡＭを初期化しない。ＲＡＭを初期化すれば、各種のフラグ、ステータス及びカウンタの値はリセットされる。尚、このS4001〜S4003は、電源投入後に（電源投入に際して）一度だけ実行され、それ以降は実行されない。また、本実施例１では、演出制御用マイコン９１においても、図１１に示す遊技制御用マイコン８１による電源断監視処理（S209）と同様の処理を行うこととしており、停電などで電源断信号がＯＮになると、そのときの演出制御に係るデータがサブ制御基板９０のＲＡＭに記憶されるものとなっている。つまり、停電などの電源断発生時における演出制御に係るデータがバックアップされるものとなっている。このため、停電等の電源断から復帰した後の電源投入時（電断復帰時）に、サブ制御基板９０のＲＡＭの初期化（S4003）が行われない限り、演出制御用マイコン９１による演出制御の状態は電源断発生前の状態に復帰する。
【０２２９】
S4004では、割り込みを禁止する。次いで、乱数シード更新処理を実行する（S4005）。乱数シード更新処理（S4005）では、種々の演出決定用乱数カウンタの値を更新する。更新された乱数カウンタ値は、サブ制御基板９０のＲＡＭの所定の更新値記憶領域（図示せず）に逐次記憶される。演出決定用乱数には、実行する演出図柄遊技演出の態様（変動演出パターン）を決定する変動演出決定用乱数や、予告演出を決定する予告演出決定用乱数、演出図柄を決定する演出図柄決定用乱数等がある。乱数の更新方法は、前述の主制御基板８０が行う乱数更新処理と同様の方法をとることができる。尚、乱数の更新に際して、乱数値を１ずつ加算するのではなく、２ずつ加算するなどしてもよい。演出決定用乱数は、予め定められたタイミングで取得される。このタイミングとしては、例えば主制御基板８０から始動入球があった旨を通知する制御信号（始動入球コマンド）が送信されてきたときや、主制御基板８０から変動開始を通知する制御信号（変動開始コマンド）が送信されてきたときや、後述の変動演出パターンを決定するときなどとすることができる。取得した演出決定用乱数の格納場所は、サブ制御基板９０のＲＡＭの所定の乱数カウンタ値記憶領域（図示せず）である。
【０２３０】
乱数シード更新処理（S4005）が終了すると、コマンド送信処理を実行する（S4006）。コマンド送信処理では、サブ制御基板９０のＲＡＭ内の出力バッファ（「サブ出力バッファ」ともいう）に格納されている各種のコマンド（制御信号）を、画像制御基板１００、音声制御基板１０６およびランプ制御基板１０７のうち、対応するコマンド送信先となる制御基板に送信する。コマンドを受信した各制御基板（各制御部）は、受信したコマンドに従い各種の演出装置（画像表示装置７、スピーカ６７、盤面ランプ５、枠ランプ６６及び可動装飾部材１４等）を用いて各種の演出（演出図柄遊技演出や、大当り遊技に係る特別遊技演出等）を実行する。演出制御用マイコン９１は続いて、割り込みを許可する（S4007）。以降、S4004〜S4007をループさせる。割り込み許可中においては、受信割り込み処理（S4008）、２ｍｓタイマ割り込み処理（S4009）、及び１０ｍｓタイマ割り込み処理（S4010）の実行が可能となる。これらの制御処理を実行することで、画像表示装置７の表示画面７ａ（演出図柄表示領域７ｂ）上で実行される演出図柄等の表示制御や、各種ランプの点灯制御や、可動装飾部材の動作制御や、スピーカからの音声出力制御等を行うことが可能となる。
【０２３１】
［受信割り込み処理］
受信割り込み処理（S4008）では、図４０に示すように、ストローブ信号（ＳＴＢ信号）がＯＮか否か、すなわち主制御基板８０から送られたストローブ信号が演出制御用マイコン９１の外部ＩＮＴ入力部に入力されたか否かを判定する（S4101）。そして、S4101で、ストローブ信号がＯＮでないと判定した場合（S4101でNO）、処理を終える。一方、S4101で、ストローブ信号がＯＮであると判定した場合（S4101でYES）、主制御基板８０から送信されてきた各種のコマンドをサブ制御基板９０のＲＡＭに格納し（S4102）、処理を終える。この受信割り込み処理（S4008）は、他の割り込み処理（S4009、S4010）に優先して実行される処理である。
【０２３２】
［２ｍｓタイマ割り込み処理］
２ｍｓタイマ割り込み処理（S4009）は、サブ制御基板９０に２ｍｓｅｃ周期の割り込みパルスが入力する度に実行する処理である。図４１に示すように、２ｍｓタイマ割り込み処理（S4009）では、まず、演出ボタン検知スイッチ６３ｃ、６３ｄからの検知信号に基づいてスイッチデータ（エッジデータ及びレベルデータ）を作成する入力処理を行う（S4201）。次いで、枠ランプ６６や盤面ランプ５等のランプを発光させるためのランプデータを出力するランプデータ出力処理（S4202）と、可動装飾部材１４（電気的駆動源）を駆動するための駆動データを出力する駆動データ出力処理（S4203）とを行う。尚、ランプデータおよび駆動データは、後述の１０ｍｓタイマ割り込み処理で作成される。そして、ウォッチドッグタイマのリセット処理を行うウォッチドッグタイマ処理を行う（S4204）。
【０２３３】
［１０ｍｓタイマ割り込み処理］
１０ｍｓタイマ割り込み処理（S4010）は、サブ制御基板９０に１０ｍｓｅｃ周期の割り込みパルスが入力する度に実行する処理である。図４２に示すように、１０ｍｓタイマ割り込み処理（S4010）では、まず、後述する受信コマンド解析処理（S4301）を行う。次いで、２ｍｓタイマ割り込み処理で作成したスイッチデータを１０ｍｓタイマ割り込み処理用のスイッチデータとしてサブ制御基板９０のＲＡＭに格納するスイッチ状態取得処理を行い（S4302）、当該スイッチ状態取得処理にて格納したスイッチデータに基づいて表示画面７ａの表示内容等を設定するスイッチ処理を行う（S4303）。その後、ランプデータ（盤面ランプ５や枠ランプ６６の点灯を制御するデータ）を作成したり、演出決定用乱数を更新したりするなどのその他の処理を実行する（S4304）。
【０２３４】
［受信コマンド解析処理］
図４３に示すように、受信コマンド解析処理（S4302）では、まず、主制御基板８０から始動入球コマンドを受信したか否かを判定し（S4401）、始動入球コマンドを受信していないと判定した場合（S4401でNO）、S4405の処理に移行し、始動入球コマンドを受信したと判定した場合（S4401でYES）、演出保留情報記憶処理（S4402）を行い、後述する事前予告判定処理（S4403）を行って、S4405の処理に移行する。演出保留情報記憶処理（S4402）は、S4401で受信した始動入球コマンド（特図１始動入球コマンド又は特図２始動入球コマンド）に含まれる各種情報（事前判定結果、大当り種別決定用乱数値、変動パターン乱数値、変動パターン情報等の遊技情報）を、特別図柄の種類（第１特別図柄、第２特別図柄）及び始動入球コマンドの送受信時（コマンド生成時）の特図保留球数に応じて、シフトメモリ形式でサブ制御基板９０のＲＡＭの所定の演出保留情報記憶領域に記憶する。
【０２３５】
例えば、受信した始動入球コマンドが特図１の保留球数「４」に対応する特図１始動入球コマンドである場合、その特図１始動入球コマンドに含まれる事前判定結果や当り種別等の情報を、特図１演出保留情報記憶領域のうち保留数４に対応する領域に、特図１演出保留情報として記憶する。こうして記憶される演出保留情報は、後述する変動演出や予告演出、演出モード等の各種演出の実行に用いられる。サブ制御基板９０における演出保留情報記憶領域の記憶内容（演出保留情報）は、前述の主制御基板（主制御部）８０における特図保留記憶部（第１特図保留記憶部、第２特図保留記憶部）の記憶内容（取得情報）と一致するものである。このことから、サブ制御基板９０の演出保留情報記憶領域も「取得情報記憶手段」といえる。このサブ制御基板（サブ制御部）において取得情報に基づく判定を行う手段を「判定実行手段」ともいう。
【０２３６】
また、事前予告判定処理（S4403）は、各種事前予告（事前演出、先読み演出）を行うかどうかを判定したり、連続予告（「連続予告演出」や「連続事前予告」や「連続事前演出」ともいう）を行うと判定した場合に当該連続予告を適切に実行するためのカウンタ（連続予告カウンタ）の設定処理を行ったりする処理である。また、この他にも、連続予告を実行することを決定した変動表示（取得情報）に対して、新たな連続予告（の実行）の決定を禁止するための禁止カウンタを有してもよい。
【０２３７】
また、この「連続予告」とは、特定の特別図柄（演出図柄）の変動表示（対象変動）の結果（判定結果等）を、当該特定の特別図柄（演出図柄）の変動表示よりも前の変動表示、及び、当該特定の特別図柄（演出図柄）の変動表示、を合わせた複数の変動表示を用いて、遊技者に示すことが可能な遊技演出（予告演出）である。つまり、連続する複数回の特別図柄（演出図柄）の変動表示に亘って（跨って）、複数回の予告演出を実行する遊技演出である。また、この遊技演出は、連続予告によって判定結果等が報知される特定の特別図柄（演出図柄）の変動表示（「対象変動」）を開始する前に、演出を開始する場合があることから、「先読み演出」や「事前演出」や「連続事前演出」ともいう。尚、連続予告演出は、連続する複数の変動表示を用いて実行可能とされており、１回の変動表示（対象変動）においてのみ実行される場合もある。これらを含めて連続予告演出（連続事前演出）という。また、１回の変動表示（対象変動や対象変動より前の変動）においてのみ実行される場合の連続予告演出も連続事前演出に含むものとする。また、この「連続事前演出」を実行するサブ制御部を「連続事前演出実行手段」ともいう。
【０２３８】
次に、S4405では、主制御基板８０から変動開始コマンドを受信したか否かを判定し（S4405）、変動開始コマンドを受信したと判定した場合（S4405でYES）、後述する変動演出開始処理（S4406）を行って、S4407の処理に移行し、変動開始コマンドを受信していないと判定した場合（S4405でNO）、変動演出開始処理を行うことなく、S4407の処理に移行する。S4407では、主制御基板８０から変動停止コマンドを受信したか否かを判定し（S4407）、変動停止コマンドを受信したと判定した場合（S4407でYES）、演出図柄を停止表示して変動演出を終了させる変動演出終了処理を行う（S4408）。変動演出終了処理（S4408）では、演出図柄８を停止表示して変動演出を終了させるための変動演出終了コマンドをサブ出力バッファにセットする。セットした変動演出終了コマンドがコマンド送信処理（S4006）により画像制御基板１００に送信されると、画像制御用マイコン１０１は、画像表示装置７の表示画面７ａ上で変動表示していた演出図柄８を停止表示して、変動演出（演出図柄遊技演出）を終了させる。一方、S4407で、変動停止コマンドを受信していないと判定した場合（S4407でNO）、変動演出終了処理を行うことなく、S4409の処理に移行する。尚、変動演出とは、特別図柄の変動表示に合わせて行われる種々の演出を指す。
【０２３９】
続いて、S4409では、主制御基板８０から大当り遊技関連コマンドを受信したか否かを判定する（S4409）。ここで、大当り遊技関連コマンドとは、大当り遊技の実行にあたり主制御基板８０から送信されるコマンドのことであり、具体的には、大当り遊技の開始（大当りの発生）に際して送信されるオープニングコマンド、ラウンドの開始に際して送信されるラウンド開始コマンド、ラウンドの終了に際して送信されるラウンド終了コマンド、大当り遊技の終了に際して送信されるエンディングコマンド等が該当する。S4409では、これらの大当り遊技関連コマンドの何れかを受信したか否かを判定し、受信していなければ（S4409でNO）、S4411の処理に移行し、受信していれば（S4409でYES）、当該受信したコマンドの種類に応じた演出（大当り遊技関連演出）の実行に係る処理を行う（S4410）。
【０２４０】
例えば、受信したコマンドがオープニングコマンドであれば、当該コマンドに基づき特定される大当りの種別に応じたオープニング演出を指定するオープニング演出コマンドをサブ出力バッファにセットし、ラウンド開始コマンドであれば、当該コマンドに基づき特定されるラウンドに応じたラウンド演出を指定するラウンド演出コマンドをサブ出力バッファにセットし、エンディングコマンドであれば、当該コマンドに基づき特定される大当りの種別に応じたエンディング演出を指定するエンディング演出コマンドをサブ出力バッファにセットする。これらのセットした大当りに係る各種の演出コマンドがコマンド送信処理（S4006）により画像制御基板１００に送信されると、画像制御用マイコン１０１は、大当り遊技の進行状況に合わせて、オープニング演出やラウンド演出等の大当り遊技に関連する演出を画像表示装置７の表示画面７ａ上で実行する。
【０２４１】
最後にS4411の処理を行い、本処理を終える。S4411では、その他の処理として、前述した各種コマンドを除いた他の受信コマンド（例えば、普通図柄変動開始コマンドや普通図柄変動停止コマンド）に基づく処理を行う（S4411）。
【０２４２】
［事前予告判定処理］
次に、図４４を用いて、サブ制御部９０が主制御部８０から始動入球コマンドを受信した際に実行する事前予告判定処理（S4403）について説明する。この事前予告判定処理（S4403）は、始動入球がある毎に（始動入球を契機として）実行される処理である。事前予告判定処理（S4403）ではまず、連続予告（後述するキャラクタ連続予告、後述するモード突入連続予告）を含む各種事前予告を実行するかどうかの判定に用いる事前予告判定用乱数の値を取得するための事前予告判定用乱数取得処理を行う（S4501）。次いで、連続予告の実行中かどうかを判定する（S4502）。連続予告を実行中かどうかは、後述するモード突入連続予告実行フラグ及びキャラクタ連続予告実行フラグの少なくとも何れか一方がＯＮになっているかどうかで判定する。何れかがＯＮになっている場合には、既に連続予告を実行中であるか、連続予告の実行が決定されている状態であると判断する。
【０２４３】
S4502で、連続予告（キャラクタ連続予告又はモード突入連続予告）の実行中であると判定した場合（S4502でYES）、新たな連続予告の実行を決定することなく、S4517の処理に移行する。すなわち、連続予告の実行が決定された場合には、当該連続予告が終了するまで、新たな連続予告の実行は決定されない。これにより、一端開始された連続予告が、新たな連続予告によって中止される等して、遊技興趣が低下するのを防止する。ここで、前述した禁止カウンタを設け、禁止カウンタに所定の値（例えば、４、３、２、１）が設定されている場合、すなわち、既に連続予告（連続予告演出）が実行中であるか、既に連続予告（連続予告演出）の実行が決定されているか、又は、連続予告は実行しないが連続予告の禁止期間中である場合には、新たな連続予告の決定を禁止してもよい。また、この禁止カウンタに所定の値が設定されている場合、この値は、サブ制御部９０が主制御部８０から変動開始コマンドを受信する毎に（すなわち、演出図柄の変動表示を行う毎に）、「０（特定値）」に近づくように減算する。
【０２４４】
一方、S4502で、連続予告の実行中でない、すなわち、モード突入連続予告実行フラグ及びキャラクタ連続予告実行フラグは何れもＯＦＦであると判定した場合（S4502でNO）、次いで、遊技状態が高ベース状態かどうかを判定し（S4503）、高ベース状態でない、すなわち、低ベース状態であると判定した場合（S4503でNO）、次いで、受信した始動入球コマンドが特図１始動入球コマンドかどうかを判定する（S4504）。S4504で、受信したコマンドが特図１始動入球コマンドでないと判定した場合（S4504でNO）、連続予告を実行するかどうかの判定等を行うことなく、処理を終える。すなわち、本実施例では、低ベース状態においては、第２始動口への入球に係る特図２始動入球コマンドに対しては連続予告（その他の事前予告も同様）を実行せず、第１始動口への入球に係る特図１始動入球コマンドを対象として連続予告を実行するものとしている。これは、本実施例において低ベース状態では、第１始動口への入球、すなわち、第１特別図柄の変動表示を主体として行う遊技としているからである。
【０２４５】
一方、S4504で、受信したのが特図１始動入球コマンドであると判定した場合（S4503でYES）、次いで、連続予告を実行するかどうかの連続予告実行判定を行い（S4505）、S4506の処理に移行する。ここで、連続予告実行判定（S4504）では、前述した事前予告判定用乱数取得処理で取得した事前予告判定用乱数値（取得情報）と、演出保留情報記憶処理（S4402）で記憶した始動入球コマンドに含まれる情報（変動パターンを特定可能な変動パターン情報）と、に基づいて図示しない連続予告決定テーブル（低ベース用連続予告決定テーブル）に従って、連続予告を実行するかどうか、どの種別の連続予告を実行するか等を決定する。ここで、事前予告判定用乱数として、連続予告判定用乱数を有している。連続予告判定用乱数は０〜９９の値で構成されており、主制御部８０から始動入球コマンドを受信したタイミングでS4501の処理を行い、連続予告判定用乱数から所定の値（取得情報）を取得する。この取得した値（取得情報）に基づいて、連続予告を実行するかどうかを決定する。
【０２４６】
連続予告の種別として、キャラクタ連続予告と、モード突入連続予告と、を有し、更に、これらキャラクタ連続予告及びモード突入連続予告にも、夫々連続回数や表示態様（キャラクタＡの模様や襖の絵柄等）の異なる複数の実行態様が設定されている。これらのうち何れの種別の連続予告が実行されるかによって、遊技者に報知する大当り信頼度が異なる。例えば、始動入球コマンドに含まれる変動パターン情報から特定される変動パターンがＰ１又はＰ１２（図９参照）である場合、すなわち、大当りの場合であって、変動時間として最も長い時間（７５０００ｍｓ）が選択される場合、すなわち、大当りとなる可能性の高い遊技演出（キャラクタ演出やストーリー演出やスーパーリーチ等という）が実行される場合には、他の場合（外れの場合や変動時間が短い場合等）と比較して高い確率で、大当り信頼度の高い連続予告を実行すると判定する。また、大当りとなる可能性が高い遊技演出（大当り信頼度の高い遊技演出）の方が、大当りとなる可能性が低い遊技演出（大当り信頼度の低い遊技演出）を実行する場合よりも、高い確率で連続予告が実行するものとしている。
【０２４７】
つづいて、S4506で、S4505における連続予告実行判定の結果、連続予告を実行しないと判定した場合（S4506でNO）、S4517の処理に移行する。一方、S4506で、連続予告を実行すると判定した場合（S4506でYES）、連続予告カウンタに、現在の第１特別図柄保留数、すなわち、第１特別図柄に係る未消化の取得情報の数をセットし（S4507）、S4512の処理に移行する。ここで、「連続予告カウンタ」とは、連続予告によって報知対象となる保留（取得情報）を特定するためのカウンタである。すなわち、始動入球コマンド（特図１始動入球コマンド）を受信した際に連続予告を実行するかどうかを決定し、実行すると決定した場合には、そのときの保留数（第１特別図柄保留数）を「連続予告対象カウンタ」にセットすることで、何れの保留（取得情報）に対する予告演出（連続予告、事前演出）であるかを特定することを可能としている。また、この連続予告対象カウンタの値は、演出図柄の変動表示を実行する（開始する）毎に、減算するため、連続予告対象カウンタの値が「０」になった時に開始する演出図柄の変動表示が、連続予告によってその内容（判定結果や実行する遊技演出等）を報知する対象の変動表示である。この連続予告によってその内容を報知する対象となる変動表示を「対象変動」ともいう。
【０２４８】
S4503で、遊技状態が高ベース状態であると判定した場合（S4503でYES）、次いで、受信した始動入球コマンドが特図２始動入球コマンドかどうかを判定する（S4508）。S4508で、受信したコマンドが特図２始動入球コマンドでないと判定した場合（S4508でNO）、連続予告を実行するかどうかの判定等を行うことなく、処理を終える。すなわち、本実施例では、高ベース状態においては、第１始動口への入球に係る特図１始動入球コマンドに対しては連続予告（他の事前演出を含む）を実行せず、第２始動口への入球に係る特図２始動入球コマンドを対象として連続予告を実行するものとしている。これは、本実施例において高ベース状態では、第２始動口への入球、すなわち、第２特別図柄の変動表示を主体として行う遊技としているからである。
【０２４９】
一方、S4508で、受信したのが特図２始動入球コマンドであると判定した場合（S4508でYES）、次いで、連続予告を実行するかどうかの連続予告実行判定を行い（S4509）、S4510の処理に移行する。ここで、連続予告実行判定（S4509）は、前述した連続予告実行判定（S4505）と同様であり、事前予告判定用乱数取得処理で取得した連続予告判定用乱数値（取得情報）と、演出保留情報記憶処理（S4402）で記憶した始動入球コマンドに含まれる情報（変動パターンを特定可能な変動パターン情報）と、に基づいて図示しない連続予告決定テーブル（高ベース用連続予告決定テーブル）に従って、連続予告を実行するかどうか等を決定する。
【０２５０】
S4510で、連続予告を実行しないと判定した場合（S4510でNO）、S4517の処理に移行する。一方、S4510で、連続予告を実行すると判定した場合（S4510でYES）、連続予告カウンタに、現在の第２特別図柄保留数、すなわち、第２特別図柄に係る未消化の取得情報の数（記憶数、保留数）をセットし（S4511）、S4512の処理に移行する。これにより、連続予告を実行すると判定した場合には、決定した表示態様（演出態様）の連続予告を、可能な限り多くの変動表示において（可能な限り多くの回数の）実行するものとしている。
【０２５１】
S4512では、実行すると判定した連続予告の種類が後述するキャラクタ連続予告かどうかを判定し（S4512）、キャラクタ連続予告であると判定した場合（S4512でYES）、キャラクタ連続予告の実行が決定した（又は、キャラクタ連続予告の実行中である）ことを示すキャラクタ連続予告実行フラグ（第１連続予告実行フラグ）をＯＮにし（S4513）、決定した演出態様（キャラクタＡの柄等）のキャラクタ連続予告をセットし（S4514）、S4517の処理に移行する。一方、S4512で、実行すると判定した連続予告の種類はキャラクタ連続予告でない、すなわち、モード突入連続予告であると判定した場合（S4512でNO）、モード突入連続予告の実行が決定した（又は、モード突入連続予告の実行中である）ことを示すモード突入連続予告実行フラグ（第２連続予告実行フラグ）をＯＮにし（S4515）、決定した演出態様（襖の絵柄等）のモード突入連続予告をセットし、S4517の処理に移行する。
【０２５２】
S4517では、連続予告（キャラクタ連続予告及びモード突入連続予告）以外の事前予告を実行するかどうかを判定し、実行する場合にはその種別（表示態様）を判定するその他の事前の予告判定処理を実行し（S4517）、処理を終える。尚、本実施例では、事前予告として、キャラクタ連続予告及びモード突入連続予告以外に、始動入球時に、演出保留９ａ、９ｂを表示すると共に、大当り信頼度によってその表示態様を異ならせる（変化させる）保留変化事前予告を有している。詳細な説明は省略する。
【０２５３】
［キャラクタ連続予告］
ここで、図４９乃至図５１を用いて、連続予告の演出態様の一つであるキャラクタ連続予告について説明する。キャラクタ連続予告は、特定の特別図柄（演出図柄）の変動表示（特定変動）の結果（当否判定結果）を、当該特定変動及び当該特定変動より前に実行される特別図柄（演出図柄）の変動表示に伴って実行する遊技演出である。また、キャラクタ連続予告は、これら複数回の各特別図柄（演出図柄）の変動表示において、特別図柄（演出図柄）の変動表示中の所定タイミング（特定タイミング）で、キャラクタＡを所定期間表示する遊技演出である。
【０２５４】
具体的に、図４９（ａ）乃至（ｆ）を用いて、キャラクタ連続予告の実行態様（演出態様）について説明する。図４９（ａ）は、高ベース状態における所定の特別図柄（演出図柄）の変動表示が終了し、演出図柄が［３３７］で確定停止表示した場面を示す。また、この所定の特別図柄（演出図柄）の変動表示中に、第２始動口に遊技球が入球して４個目の取得情報が保留記憶され、当該取得情報（図４９（ａ）等に斜線で示す第２演出保留９ｂ）についてキャラクタ連続予告を実行することが決定されている。すなわち、この図４９（ａ）に示す第２特別図柄の保留４に係る特別図柄（演出図柄）の変動表示が、これから実行されるキャラクタ連続予告の「対象変動」となる
【０２５５】
図４９（ｂ）は、図４９（ａ）の次の変動表示が開始した後の所定時期を示す場面である。図４９（ｂ）に示す通り、対象変動に係る第２演出保留が保留３に移行している。また、対象変動より前に実行される特別図柄（演出図柄）の変動表示（「事前変動」ともいう）中の所定タイミングで、表示画面７ａの略中央にキャラクタＡ２０１が表示され、事前予告（事前連続予告）であるキャラクタ連続予告が開始されたことを示す。また、図４９（ｂ）で示すキャラクタＡ２０１は、事前変動において実行される事前演出であるため、このキャラクタＡを、「事前予告キャラクタＡ２０１ａ」や「先読み演出」や「事前演出」ともいう。また、遊技者はこのキャラクタＡが表示されたのをみて、キャラクタ連続予告（又は、キャラクタ予告）が開始されたことを確認することが可能となる。
【０２５６】
図４９（ｃ）は、図４９（ｂ）の次の変動表示が開始した後の所定時期を示す場面である。図４９（ｃ）に示す通り、対象変動に係る第２演出保留が保留２に移行している。また、対象変動より前に実行される特別図柄（演出図柄）の変動表示中の所定タイミングで、表示画面７ａの略中央にキャラクタＡ２０１が表示され、キャラクタ連続予告が２回の変動表示に亘って連続的に実行されたことを示す。尚、本キャラクタＡも事前変動において実行される事前演出であるため、このキャラクタＡは、「事前予告キャラクタＡ２０１ａ」である。
【０２５７】
図４９（ｄ）は、図４９（ｃ）の次の変動表示が開始した後の所定時期を示す場面である。図４９（ｄ）に示す通り、対象変動に係る第２演出保留が保留１に移行している。また、対象変動より前に実行される事前変動中の所定タイミングで、表示画面７ａの略中央にキャラクタＡ２０１が表示され、キャラクタ連続予告が３回の変動表示に亘って連続的に実行されたことを示す。尚、本キャラクタＡも事前変動において実行される事前演出であるため、このキャラクタＡは、「事前予告キャラクタＡ２０１ａ」である。
【０２５８】
図４９（ｅ）は、図４９（ｄ）の次の変動表示（対象変動）が開始した後の所定時期を示す場面である。図４９（ｅ）に示す通り、本特別図柄（演出図柄）の変動表示は、対象変動である。また、前述した事前変動と同様に、対象変動の実行中の所定タイミングで、表示画面７ａの略中央にキャラクタＡ２０１が表示され、キャラクタ連続予告が４回の変動表示に亘って連続的に実行されたことを示す。尚、本キャラクタＡは、実行中のキャラクタ連続予告に係る対象変動において実行される演出であるため、このキャラクタＡは、「当該予告キャラクタＡ２０１ｂ」である。尚、「当該予告」とは、対象変動の実行中に表示を開始した（表示された）予告演出をいう。また、図４９（ｅ）に示すキャラクタＡ２０１は、この場面を抜き取ってみれば「当該予告」であるが、対象変動より前の事前変動において開始したキャラクタ連続予告の一連の演出の一部であるため、そういう意味では、「事前予告」ともいう。
【０２５９】
図４９（ｆ）は、図４９（ｅ）と同じ変動表示において所定時間経過した場面を示す。図４９（ｅ）では、左右の演出図柄８が同じ図柄（「５」）で停止表示するリーチ演出を実行中の場面を示している。このリーチ演出の結果、変動中の中演出図柄８が左右の演出図柄８と同じ図柄（「５」）で停止表示し、大当り（「５５５」）となる可能性（大当り信頼度）は、それまでに実行されたキャラクタ連続予告によって報知されている。この大当り信頼度は、後述するキャラクタＡの色等によって報知される。また、キャラクタ連続予告の実行回数（本例では４回）が多いほど、大当り信頼度が高いものとしてもよい。このようにすることで、実行されたキャラクタ連続予告の態様によって、その後に実行される遊技演出（リーチ演出）の結果が大当りとなることへの期待感を異ならせ、遊技興趣を高めることが可能となる。
【０２６０】
また、本実施例では、キャラクタ連続予告の実行態様（演出態様）である、特別図柄（演出図柄）の変動表示中の所定タイミングで、表示画面７ａの略中央にキャラクタＡ２０１が表示される演出態様を、事前演出であるキャラクタ連続予告で実行するだけでなく、当該予告（「特定演出」ともいう）であるキャラクタ予告（「特定演出」ともいう）としても実行可能としている。
【０２６１】
具体的に、図４９（ｇ）は、高ベース状態における所定の特別図柄（演出図柄）の変動表示が終了し、演出図柄が［５４５］で確定停止表示した場面を示す。また、この所定の特別図柄（演出図柄）の変動表示中に、第２始動口に遊技球が入球して１個の取得情報が保留記憶されている場面を示している。図４９（ｈ）は、図４９（ｇ）の次の変動表示（対象変動）であって、図４９（ｇ）に示す第２演出保留９ｂに係る変動表示が開始した後の所定時期を示す場面である。図４９（ｈ）に示すキャラクタＡは、事前演出ではなく、実行中の特別図柄（演出図柄）の変動表示（対象変動）の結果を示す予告演出（当該予告）である。すなわち、本キャラクタＡは、当該予告キャラクタＡ２０１ｂである。当該予告とは、特別図柄（演出図柄）の変動表示の開始時に実行が決定される遊技演出であって、当該特別図柄（演出図柄）の変動表示の結果を報知する遊技演出である。
【０２６２】
このように、本実施例では、キャラクタＡ２０１を表示する予告演出は、事前演出（キャラクタ連続予告）としても実行され、当該予告（キャラクタ予告）としても実行される。また、キャラクタ連続予告は、キャラクタ予告よりも大当り信頼度を高く設定されている。従って、対象変動１回のみでキャラクタＡの表示が実行されるよりも、対象変動を含む連続する複数回の変動表示でキャラクタＡの表示が実行される場合の方が、対象変動の結果が大当りとなる場合が多い。従って、遊技者は、このキャラクタＡの表示が、当該予告として実行されているのか、事前予告（キャラクタ連続予告）として実行されているのかに、注目し、遊技興趣を高める。すなわち、遊技者は、キャラクタＡの実行が、事前予告（キャラクタ連続予告）であることに期待して遊技を行う。
【０２６３】
一方で、図４９（ａ）乃至（ｆ）で示す事前予告（キャラクタ連続予告）の演出態様と、図４９（ｇ）及び（ｈ）で示す当該予告（キャラクタ予告）の演出態様をみてもわかるように、１回の表示態様は同様であるため、次の変動表示でキャラクタＡが表示されるかどうかを見るまで、表示されたキャラクタＡが事前予告であったのか、当該予告であったのかを、区別するのが困難であり、少なくとも、容易には区別できない。これにより、遊技興趣を低下させる虞がある。
【０２６４】
そこで、図５１に示すように、本実施例では、キャラクタＡの表示態様（色）を複数設け、その表示態様によって予告演出の大当り信頼度や確定事項（ルール）を異ならせている。具体的に、キャラクタＡの色が青色（第１特定予告演出）である場合、大当り信頼度は最も低い「１」とされ（例えば、大当りとなる可能性１％）、確定演出も設定されていない。ここで、確定演出が設定されていないとは、青色のキャラクタＡを表示する事前予告（キャラクタ連続予告）や当該予告（キャラクタ予告）が実行された場合、対象変動において、リーチ演出が実行されるときもあれば実行されないときもあり、大当りになるときもあれば外れになるときもあることを意味する。
【０２６５】
また、キャラクタＡの色が緑（第１特定予告演出）である場合、大当り信頼度は青よりも高い「２」とされ（例えば、大当りとなる可能性３％）、確定演出も設定されていない。また、キャラクタＡの色が赤（第２特定予告演出）である場合、大当り信頼度は緑よりも高い「３」とされ（例えば、大当りとなる可能性６％）、確定演出として「リーチ演出」が規定されている。すなわち、赤色のキャラクタＡを表示する事前予告（キャラクタ連続予告）や当該予告（キャラクタ予告）が実行された場合、対象変動において、必ずリーチ演出が実行されることを意味する。
【０２６６】
また、キャラクタＡの色が金（第２特定予告演出）である場合、大当り信頼度は赤よりも高い「４」とされ（例えば、大当りとなる可能性２０％）、赤色と同様に、確定演出として「リーチ演出」が規定されている。また、キャラクタＡの色が虹色である場合、大当り信頼度は金よりも高い「５」とされ、大当り確定演出とされている。すなわち、虹色のキャラクタＡを表示する事前予告（キャラクタ連続予告）や当該予告（キャラクタ予告）が実行された場合、対象変動において、必ず大当りとなることを意味する。
【０２６７】
このようなキャラクタＡの演出態様（色や模様）によって、確定演出を設定したため、例えば、金色のキャラクタＡが表示されたにもかかわらず、当該金色のキャラクタＡが表示された特別図柄（演出図柄）の変動表示に伴ってリーチ演出が実行されない場合、当該変動表示は対象変動でなく、当該金色のキャラクタＡは事前予告であることを意味する（が確定する）。従って、遊技者は、赤色のキャラクタＡや金色のキャラクタＡが表示された場合には、当該赤色のキャラクタＡ（又は、金色のキャラクタＡ）に続いて、リーチ演出が実行されるかどうかに注目し、当該赤色のキャラクタＡ（又は、金色のキャラクタＡ）が表示された同じ変動表示中に、リーチ演出が実行されなかった場合には、当該赤色のキャラクタＡ（又は、金色のキャラクタＡ）は事前予告（キャラクタ連続予告）であると判断することが可能となる。また、このような場合において、事前予告は当該予告よりも大当り信頼度が高いうえ、比較的大当り信頼度の高い赤色のキャラクタＡ（又は、金色のキャラクタＡ）が表示されるため、その後の対象変動において、大当りが発生することへの期待感を顕著に高めることが可能となる。
【０２６８】
また、キャラクタ連続予告の連続実行回数によって、回数が多いほど大当り信頼度が高く設定されている場合にも、赤色のキャラクタＡ（又は、金色のキャラクタＡ）に続いてリーチ演出が実行されない変動表示が続くほど、連続予告の実行回数の増加が確定するため、これによっても遊技興趣高めることが可能となる。
【０２６９】
次に、図５０を用いて、赤色のキャラクタＡが表示される事前予告（キャラクタ連続予告）や当該予告（キャラクタ予告）について説明する。図５０（ａ）乃至（ｆ）が、キャラクタ連続予告の実行態様を示している。図５０（ａ）、は所定の特別図柄（演出図柄）の変動表示中の所定時期に赤色のキャラクタＡ２０１が表示された場面を示す。続いて、図５０（ｂ）は、図５０（ａ）で示す特別図柄（演出図柄）の変動表示が、リーチ演出を実行することなく、外れ図柄（「４５６」）で確定停止表示した場面を示している。すなわち、これにより、図５０（ａ）で表示したキャラクタ２０１（２０１ａ）が、事前予告に係るキャラクタ連続予告であることを認識する。尚、リーチ演出が実行されるかどうかは、全ての図柄が停止表示するのを待つまでもなく、左右の２図柄（１個目と２個目の停止図柄）が一致する図柄で停止表示するかどうかによって把握することが可能となる。
【０２７０】
図５０（ｃ）は、図５０（ｂ）の次の変動表示であって、変動表示中の所定時期にキャラクタ連続予告の２回目となる赤色のキャラクタＡが表示された場面を示す。図５０（ｄ）は、図５０（ｃ）で示す特別図柄（演出図柄）の変動表示が、リーチ演出を実行することなく、外れ図柄（「３４５」）で確定停止表示した場面を示している。すなわち、これにより、図５０（ａ）及び（ｃ）で表示したキャラクタ２０１（２０１ａ）が、事前予告に係るキャラクタ連続予告であることを認識する。
【０２７１】
図５０（ｃ）は、図５０（ｄ）の次の変動表示であって、変動表示中の所定時期にキャラクタ連続予告の３回目となる赤色のキャラクタＡが表示された場面を示す。図５０（ｆ）は、図５０（ｅ）で示す特別図柄（演出図柄）の変動表示において、リーチ演出（「７↓７」）が実行された場面を示している。これにより、図５０（ｅ）及び（ｆ）で示す変動表示が対象変動であることを認識する。そして、３回のキャラクタ連続予告が実行された後のリーチ演出に対して、大当りへの期待感を高めることが可能となる。
【０２７２】
一方で、図５０（ｇ）は、所定の特別図柄（演出図柄）の変動表示中の所定時期に、赤色のキャラクタＡ２０１が表示された場面を示す。続いて、図５０（ｈ）は、図５０（ｇ）で示す特別図柄（演出図柄）の変動表示において、リーチ演出（「７↓７」）が実行された場面を示している。これにより、図５０（ｇ）及び（ｈ）で示す変動表示が対象変動であることを認識する。そして、図５０（ｇ）で示すキャラクタＡ２０１（２０１ｂ）は、青色や緑色のキャラクタＡ２０１（２０１ｂ）よりは大当り信頼度が高いものの、事前予告（キャラクタ連続予告）に係る赤色のキャラクタＡよりは大当り信頼度が低いため、大当りへの期待感をそれほど高めることなく、遊技をおこなうこととなる。
【０２７３】
尚、図５０（ａ）乃至（ｆ）に示す実行態様等では、対象変動に係る第２演出保留を、他の第２演出保留とは異なる保留変化（斜線で示す）態様で表示することで、連続予告が実行された場合の対象変動が何れであるかを、遊技者にわかりやすく示している。本実施例では、このような保留変化による報知に加え、連続予告の実行態様（赤色のキャラクタＡとリーチ演出の実行時期との組合せ）によっても、対象変動が何れであるかを把握可能としている。また、表示画面７ａ下方に設けた比較的小さな表示部（演出保留表示部）で行う演出態様（保留変化）よりも、表示画面７ａ略中央部に設けた比較的大きい表示部（演出図柄表示部）で行う演出態様（キャラクタ連続予告）を見た方が、遊技者は、その演出態様を容易に把握することが可能となる。これにより、遊技者に予告演出の示唆する内容を容易に把握させ、遊技演出の理解を容易に深めることが可能となる。
【０２７４】
以上、本実施例のように事前予告を当該予告よりも大当り信頼度を高く設定したり、事前予告の連続回数が多いほど大当り信頼度を高く設定したりした場合において、事前演出と当該予告とで、共通の第１遊技演出（例えば、赤色のキャラクタＡ）を実行することを可能とする。そして、この第１遊技演出が実行されると、その後、（対象変動において）必ず第２遊技演出を実行するものとしている。これにより、第１遊技演出が実行された場合にその変動表示中に第２遊技演出が実行されなければ、当該第１遊技演出は事前予告であり、次の変動表示でも予告が継続することが確定し、大当りへの期待感を高め、遊技興趣を高めることが可能となる。またこれにより、同じ第１遊技演出（例えば、赤色のキャラクタＡ）を実行する場合であっても、第２遊技演出（例えば、リーチ演出）との組合せや、第２遊技演出の実行時期との組合せ等によって、異なる大当り信頼度を報知することが可能となり、演出態様（信頼度報知態様）の多様化を図ることが可能となる。
【０２７５】
［モード突入連続予告］
次に、図５２乃至図５６を用いて、本実施例の他の連続予告の演出態様であるモード突入連続予告、及び、当該予告の演出態様の一つであるモード突入予告について説明する。図５４に示すモード突入連続予告は、特定の特別図柄（演出図柄）の変動表示（特定変動）の結果（当否判定結果）を、当該特定変動及び当該特定変動より前に実行される特別図柄（演出図柄）の変動表示に伴って実行する遊技演出である。また、モード突入連続予告は、前述したキャラクタ連続予告と異なり、特別図柄（演出図柄）の変動表示が進行する毎に、異なる絵柄が表示される。
【０２７６】
具体的に、図５４（ａ）乃至（ｈ）を用いて、モード突入連続予告２０４の実行態様（演出態様）について説明する。図５０（ａ）は、高ベース状態における所定の特別図柄（演出図柄）の変動表示において、モード突入連続予告２０４を開始した場面を示している。図５４（ａ）に示す第２特別図柄の保留２に係る特別図柄（演出図柄）の変動表示（第２演出保留９ｂ）が、本モード突入連続予告の「対象変動」となる。
【０２７７】
図５４（ａ）に示すように、表示画面７ａの略中央部に、複数の木に囲まれた家を模した絵柄の連続予告キャラクタＡ２０４ａが表示されている。この連続予告キャラクタＡが表示されることで、遊技者はモード突入連続予告２０４の実行を把握することが可能となる。図５４（ｂ）は、図５４（ａ）の次の変動表示において、モード突入連続予告２０４が前回から次の段階に進んだことを示すため、拡大された家を模した絵柄の連続予告キャラクタＢ２０４ｂが表示された場面を示す。また、対象変動に係る第２演出保留９ｂは、保留１に移行したことを示す。
【０２７８】
図５４（ｃ）は、図５４（ｂ）の次の変動表示において、モード突入連続予告２０４が前回から次の段階に進んだことを示すため、襖を模した絵柄（襖絵柄２０２）の連続予告キャラクタＣ２０４ｃが表示された場面を示す。また、襖絵柄２０２（連続予告キャラクタＣ２０４ｃ）が表示される演出態様の変動表示は、モード突入連続予告２０４に係る「対象変動」とされている。すなわち、襖絵柄２０２を閉状態から開状態として特殊モードに突入するかどうかを示す演出（連続予告キャラクタＣ）は、必ず「対象変動」において実行される。そのため、この「連続予告キャラクタＣ２０４ｃ」を、「当該演出」や「当該予告」や「特定演出」ともいう。この対象変動において、襖絵柄２０２が開き、図５４（ｄ）に示すように、［特殊モード］の実行を示す絵柄（モード突入成功絵柄２０３ａ）が表示されれば、特殊モードに移行する。一方で、図５４（ｅ）に示すように、［特殊モード］に移行しないことを示す煙を模した絵柄（モード突入失敗演出２０３ｂ）が表示されれば特殊モードに移行しない。
【０２７９】
ここで、図５４（ｃ）、（ｄ）、（ｆ）、（ｇ）は、モード突入連続予告に係る対象変動の変動表示において特殊モードに突入した場合の一連の演出態様を示すものである。対象変動において特殊モードに移行した場合は、当該対象変動における大当り信頼度（期待度）が大幅に向上したことを遊技者に報知する遊技演出である。すなわち、モード突入演出２０３において、特殊モードに突入（移行）する場合の方が、特殊モードに突入しない場合よりも、大当りとなる可能性（特別遊技実行可能性）が高いものとされる。特殊モードに突入した場合には、表示画面７ａの上部にモード報知部２０５を設け、特殊モードに突入し、特殊モードの実行中である（滞在中である）ことが遊技者に報知される。尚、対象変動において突入した特殊モードは、対象変動の終了に伴って終了してもよいし、対象変動終了後も所定の終了条件（特別図柄の変動回数や、所定乱数に当選等）が成立するまで継続してもよい。
【０２８０】
また、図５４（ｃ）、（ｅ）、（ｈ）は、モード突入連続予告に係る対象変動の変動表示において特殊モードに突入しなかった場合の一連の演出態様を示すものである。対象変動において、モード突入失敗演出２０３ｂが実行され、特殊モードに突入しなかった場合には、特殊モードを示すモード報知部が表示されない。また、モード突入失敗演出２０３ｂが実行された場合には、当否判定の結果が外れになるものとしてもよい。
【０２８１】
また、図５５に示すように、モード突入連続予告は、連続予告キャラクタ２０４の少なくとも一部の絵柄（表示態様）を異ならせることで、大当り信頼度を異ならせている。本実施例では、モード突入連続予告を構成する連続予告キャラクタのうち、対象変動で実行される連続予告キャラクタＣ２０４ｃの襖絵柄２０２の色又は／及び絵柄の表示態様を異ならせることで、異なる大当り信頼度（特別遊技実行可能性）を遊技者に報知している。
【０２８２】
具体的に、図５６に示すように、モード突入連続予告を構成する襖絵柄２０２の色又は／及び絵柄の表示態様を複数設け、その表示態様によって予告演出（モード突入連続予告）の大当り信頼度や確定事項（ルール）を異ならせている。具体的に、襖の色が青色（第１特定予告演出）である場合、特殊モード突入信頼度は最も低い「１」とされ（モード突入確率３０％）、大当り信頼度は最も低い「１」とされ（例えば、大当りとなる可能性１％）、確定演出は設定されていない。ここで、確定演出が設定されていないとは、青色の襖を表示する事前予告（モード突入連続予告）が実行された場合、対象変動において、特殊モードに突入するときもあれば突入しないこともあり、リーチ演出が実行されるときもあれば実行されないときもあり、大当りになるときもあれば外れになるときもあることを意味する。
【０２８３】
また、襖の色が赤（第２特定予告演出）である場合、特殊モード突入信頼度は「５」とされ（すなわち、特殊モードへの突入が確定し）、大当り信頼度は青よりも高い「２」とされ（例えば、大当りとなる可能性１０％）、対象変動での特殊モードへの突入が確定となる。また、襖の色が赤、且つ、炎絵柄（第２特定予告演出）である場合、特殊モード突入信頼度は「５」とされ（すなわち、特殊モードへの突入が確定し）、大当り信頼度は赤よりも高い「３」とされ（例えば、大当りとなる可能性３０％）、特殊モードへの突入が確定となる。また、襖の色が金、且つ、炎絵柄（第２特定予告演出）である場合、特殊モード突入信頼度は「５」とされ（すなわち、特殊モードへの突入が確定し）、大当り信頼度は赤且つ炎絵柄よりも高い「５」とされ（例えば、大当りとなる可能性５０％）、特殊モードへの突入が確定、且つ、対象変動において必ず大当りとなることを意味する。これにより、遊技者は、より特殊モードへの突入信頼度の高いモード突入連続予告、より大当り信頼度の高いモード突入連続予告が実行されることに期待し、遊技興趣を高める。
【０２８４】
また、図５５は、モード突入連続予告を構成する連続予告キャラクタＣ２０４ｃの襖の絵柄が赤且つ炎柄の場合の実行態様を示している。図５５（ａ）は、所定の特別図柄（演出図柄）の変動表示に伴って、モード突入連続予告の実行中であることを示す連続予告キャラクタＡ２０４ａが表示される場面を示している。また、図５４（ｂ）は、図５４（ａ）の次の変動表示において、モード突入連続予告２０４が前回から次の段階に進んだことを示す連続予告キャラクタＢ２０４ｂが表示された場面を示す。図５４（ｃ）は、図５４（ｂ）の次の変動表示において、モード突入連続予告２０４が前回から次の段階に進んだことを示す連続予告キャラクタＣ２０４ｃが表示された場面を示す。尚、前述した通り、図５４（ｃ）に示す、襖絵柄が表示される連続予告キャラクタＣ２０４ｃは対象変動において実行されるため、図５４（ｃ）に示す変動表示は対象変動である。
【０２８５】
図５５（ｄ）は、図５４（ｃ）と同じ対象変動であって、特殊モードに突入するかどうかを示すモード突入演出が実行され、モード突入成功演出２０３ａが実行された場面を示す。ここで、図５５（ｃ）に示される襖絵柄は、赤且つ炎絵柄であるため、必ずモード突入成功演出２０３ａが実行される。すなわち、モード突入失敗演出２０３ｂは実行されない。そして、本例では、図５５（ｆ）乃至（ｈ）に示すように、対象変動において演出図柄の変動表示及びリーチ演出が実行され、大当りとなることを示す大当り図柄（「３３３」）が停止表示する。すなわち、本例における対象変動の当否判定の結果は、大当りである。
【０２８６】
次に、前述したモード突入連続予告に係る襖絵柄の連続予告キャラクタＣと同様の表示態様（演出態様）であって、当該予告に係るモード突入予告（モード突入演出２０３）について説明する。本モード突入演出２０３は、所定の特別図柄（演出図柄）の変動表示の内容（判定結果や実行する遊技演出）を、当該所定の特別図柄（演出図柄）の変動表示に伴って実行するものであり、演出の開始時期が、当該所定の特別図柄（演出図柄）の変動表示中（対象変動の実行中）となる。また、モード突入予告を実行するかどうかの判定は、当該所定の特別図柄（演出図柄）の変動表示を開始する際に行われる。
【０２８７】
図５２及び図５３を用いて、当該予告に係るモード突入予告２０３の実行態様（演出態様）について説明する。図５２（ａ）、（ｂ）、（ｄ）、（ｅ）、（ｆ）は、同じ特別図柄（演出図柄）の変動表示において実行されるモード突入予告の実行態様（演出態様）であって、モード突入成功演出２０３ａが実行されるパターンを示している。一方。図５２（ａ）、（ｃ）、（ｇ）は、同じ特別図柄（演出図柄）の変動表示において実行されるモード突入予告の実行態様（演出態様）であって、モード突入失敗演出２０３ｂが実行されるパターンを示している。
【０２８８】
図５２に示す当該予告として実行されるモード突入予告の実行態様は、前述した図５４に示すモード突入連続予告に係る対象変動において実行される実行態様と同様であるので、詳細な説明を省略する。また、図５３に示す当該予告として実行されるモード突入予告の実行態様は、前述した図５４に示すモード突入連続予告に係る対象変動において実行される実行態様と同様であるので、詳細な説明を省略する。
【０２８９】
また、当該予告に係るモード突入予告と、事前予告に係るモード突入連続予告とは、何れも１回の変動表示中に、襖絵柄２０２を用いて特殊モードに突入するかどうかを示す共通の「モード突入演出」を実行する点で一致している。一方で、事前予告に係るモード突入連続予告は、モード突入演出を実行する対象変動より前の変動表示に伴って連続予告キャラクタＡや連続予告キャラクタＢを表示する事前演出を実行するのに対して、当該予告に係るモード突入予告では、このような事前演出を実行しない点で相違する。すなわち、当該予告に係るモード突入予告では、判定結果や演出内容（例えば、特殊モードに突入するかどうかを示す演出）を示す当該変動においてのみ予告演出を実行する。
【０２９０】
また、当該予告に係るモード突入予告も、事前予告に係るモード突入連続予告と同様に、図５６に示す４種類の襖絵柄の色（模様）が設定されており、何れの絵柄によってモード突入予告が実行されるかによって、特殊モードへの突入信頼度（可能性）及び大当り信頼度（可能性）が異なるものとされている。また、前述したキャラクタ連続予告と同様に、モード突入連続予告の方が、モード突入予告よりも大当り信頼度が高く設定されている。すなわち、連続予告キャラクタＡや連続予告キャラクタＢ等の事前予告を経て（介したうえで）モード突入演出が実行される場合の方が、事前予告を経ることなくモード突入演出が実行される場合よりも、当該モード突入演出が報知する大当り信頼度（大当り期待度、特別遊技実行可能性）が高いものとされる。
【０２９１】
尚、同ランク（襖絵柄の色が同じ）のモード突入予告又はモード突入連続予告が実行された場合に、モード突入連続予告が実行される場合の方が、モード突入予告が実行される場合よりも、大当りとなる可能性が高い（特別遊技実行可能性として高い可能性を報知する）ものとする。すなわち、モード突入連続予告が実行される場合の方が、モード突入予告が実行される場合よりも、大当りとなる場合が多い。ここで、モード突入予告における大当り信頼度は、襖の色が青色である場合、大当り信頼度は最も低い「０．５」とされる（例えば、大当りとなる可能性０．５％）。また、襖の色が赤である場合、大当り信頼度は青よりも高い「１．５」とされる（例えば、大当りとなる可能性８％）。また、襖の色が赤、且つ、炎絵柄である場合、大当り信頼度は赤よりも高い「２．５」とされる（例えば、大当りとなる可能性２５％）。また、襖の色が金、且つ、炎絵柄である場合、大当り信頼度は赤且つ炎絵柄よりも高い「５」とされる（例えば、大当りとなる可能性５０％）。
【０２９２】
本実施例では、モード突入信頼度及び確定演出については、モード突入予告とモード突入連続予告とで共通としている。このような態様に変えて、モード突入信頼度及び確定演出もモード突入予告とモード突入連続予告とで異ならせてもよい。この場合、モード突入信頼度もモード突入連続予告の方がモード突入予告よりも高いものとしてもよい。逆に、モード突入信頼度は、モード突入連続予告の方がモード突入予告よりも低いものとしてもよい。
【０２９３】
以上説明したように、同じ演出態様であるモード突入演出であっても、事前演出を経て実行するか事前演出を経ることなく実行するかによって、遊技者に報知する大当り信頼度が異なる。そのため、例えば、大当り信頼度の高いモード突入連続予告が実行されて対象変動の結果が外れとなった直後に、当該モード突入連続予告よりも大当り信頼度の低いモード突入予告が実行された場合、遊技者は当該モード突入予告におけるモード突入演出や大当りの発生に対して期待感を高めることが困難である。また、モード突入予告が実行された結果、予想通り外れとなったり、モード突入しなかったりした場合には、遊技興趣を低下させる虞もある。このような事態の発生を極力防止するため、本実施例では、モード突入連続予告が実行された後の所定期間、（当該モード突入連続予告よりも大当り信頼度の低い）モード突入予告の実行（実行判定）を制限する。これにより、モード突入連続予告終了直後に、モード突入予告が実行されるのを制限し、遊技興趣が低下するのを極力防止することが可能となる。この制限制御について、詳しくは後述する。
【０２９４】
［変動演出開始処理］
次に、受信コマンド解析処理（S4301）にて実行される変動演出開始処理（S4406）について説明する。図４５に示すように、変動演出開始処理（S4406）ではまず、変動演出決定用乱数や予告演出決定用乱数、演出図柄決定用乱数等の各種演出決定用乱数を取得する演出決定用乱数取得処理（S4551）を行う。本実施例では、主制御部８０から変動開始コマンドを受信したタイミングでS4506の処理を行い、夫々の乱数から所定の値（取得情報）を取得する。この取得した値（取得情報）に基づいて、実行する演出図柄遊技演出（変動演出）の態様や予告演出の態様（予告演出の有無を含む）、停止表示する演出図柄等を決定する。
【０２９５】
次いで、S4552では、受信した変動開始コマンドを解析する（S4552）。変動開始コマンドには、第１特別図柄または第２特別図柄の変動パターン選択処理で選択された変動パターンを指定する変動パターン指定コマンド（変動パターンを指定する情報）が含まれている。そして、変動パターン指定コマンドには、図９に示す変動パターン情報（Ｐ１乃至Ｐ２２）や、現在の遊技状態を指定する遊技状態情報や、第１特別図柄当否判定または第２特別図柄当否判定の判定結果や、大当り種別を指定する図柄情報等が含まれている（図８を参照）。また、変動パターン指定コマンドには、第１特別図柄に対応するものと第２特別図柄に対応するものとが存在することから、変動パターン指定コマンドを解析することで、今回開始する演出図柄遊技演出（演出図柄の変動表示）が特図１に係るものなのか特図２に係るものなのかを判別することが可能となる。尚、変動パターン情報や遊技状態情報や図柄情報等は、これ以降に実行する変動演出開始処理以外の他の処理においても利用可能である。
【０２９６】
次いで、S4553では、演出制御用マイコン９１が現在のモードステータスを参照する（S4553）。モードステータスは、実行する演出モードを決めるためのものである。モードステータスは「１」〜「５」までの何れかの値とされ、各値は演出モードＡ〜Ｅに対して割り当てられている。具体的には、モードステータス「１」が演出モードＡに対応し、モードステータス「２」が演出モードＢに対応し、モードステータス「３」が演出モードＣに対応し、モードステータス「４」が演出モードＤに対応し、モードステータス「５」が演出モードＥに対応する。現在のモードステータスを参照することで、現在の演出モードを特定することが可能である。
【０２９７】
ここで演出モードとは、画像表示装置７における演出の態様であり、演出モードが異なると、予告演出やリーチ演出等の遊技演出の演出態様の一部又は全部が異なるものとされる。具体的に、演出図柄８の表示態様（例えば、図柄デザイン、数字デザインなど）が異なったり、登場するキャラクタ、アイテム、背景画像が異なったりする等、画像表示装置７に表示される画像が演出モードによって異なるものとされる。また、演出図柄遊技演出も演出モードに応じた態様で実行されるものとすることができ、複数の遊技演出（予告演出やリーチ演出等）を設ける場合に、演出モードによって異なる遊技演出を実行可能とすることができる。本実施例では、演出モードＡ，Ｂは低確低ベース状態に制御されているときに実行され、演出モードＣは高確高ベース状態に制御されているときに実行され、演出モードＤ，Ｅは低確高ベース状態および高確高ベース状態の何れかに制御されているときに実行される。従って、演出モードがＡ〜Ｃの何れかである場合、遊技者は演出モードを確認することで、現在の遊技状態が低確低ベース状態であるのか高確高ベース状態（確変遊技状態）であるのかを把握することができる。一方、演出モードがＤまたはＥである場合、遊技者は演出モードを確認しても、現在の遊技状態が低確高ベース状態（時短状態）であるのか高確高ベース状態（確変遊技状態）であるのかを把握することは困難である。その意味において演出モードＤ，Ｅは、確率非報知モードといえる。
【０２９８】
次いで、S4554では、画像表示装置７、盤面ランプ５、可動装飾部材１４等を用いて行うものであって、サブ制御部９０が主体となって制御する変動演出のパターン（変動演出パターン、演出図柄遊技演出）を決定するための変動演出パターン決定テーブル（図示を省略）及び予告演出決定テーブル（図示を省略）をセットする（S4504）。具体的には、S4553で参照したモードステータス（現在の演出モード）と主制御部８０から受信した変動パターン指定コマンドに基づいて、使用する変動演出パターン決定テーブル、及び、予告演出決定テーブルをセットする。すなわち、複数の変動演出パターン決定テーブル、及び、複数の予告演出決定テーブルを備えており、それらから遊技状態（演出モード）等に基づいて、所定の変動演出パターン決定テーブル及び予告演出決定テーブルをセットする。例えば、受信した変動パターン指定コマンドが指定する変動パターン情報が「Ｐ１（変動パターンＰ１）」（図９を参照）であった場合、変動演出パターン決定テーブルとして、現在の演出モードに対応した大当り時変動演出パターン決定テーブル及び予告演出決定テーブルがセットされる。変動演出パターン決定テーブルは、主に、演出図柄遊技演出の実行態様（演出図柄の変動態様等）を決定するためのもので、演出モード（モードステータス）に対応する複数の変動演出パターン決定テーブル（図示せず）がサブ制御基板９０のＲＯＭに予め格納されている。S4554では、それらの変動演出パターン決定テーブルの中から、S4553で参照したモードステータス（現在の演出モード）に対応するテーブルが選択されてセットされる。
【０２９９】
次いで、S4555では、S4551において取得した変動演出決定用乱数およびS4554においてセットした変動演出パターン決定テーブルに基づいて、指定された変動パターンに適合した変動演出パターンを選択し、これを設定する（S4555）。変動演出パターンとしては、演出図柄表示領域７ｂで表示される演出図柄８の変動態様（演出図柄遊技演出の実行態様）が設定される。これにより、演出図柄遊技演出において、リーチ演出を実行する場合（リーチ有演出図柄遊技演出）や、特定のキャラクタを用いて行うキャラクタ演出を実行する場合（キャラクタ演出図柄遊技演出）、リーチ演出やキャラクタ演出を実行しない場合（リーチ無演出図柄遊技演出）等が決定される。尚、リーチ演出とは、例えば、特別図柄当否判定の結果が大当りであることを示す場合の演出図柄８の表示態様として、３個の演出図柄８Ｌ、８Ｃ、８Ｒがすべて同一（ゾロ目）となる態様（大当り態様、特定態様）を設けている場合において、３個の演出図柄８Ｌ、８Ｃ、８Ｒのうちの２個が大当り態様を構成する図柄（同じ演出図柄）で停止表示（仮停止表示）され、残り１個が変動表示（スクロール表示）を続けている状態で、当該残り１個の演出図柄が大当り態様を完成させる図柄（３個の同じ演出図柄）で停止表示されるか否かを示す演出のことをいう。この際、演出図柄の変動表示に伴って所定のキャラクタを用いて遊技演出を実行し、演出図柄が大当り態様で停止表示されるかどうかを、当該所定のキャラクタが所定の目的を達成するかどうかの演出で示すことも可能である。このような遊技演出（後述するリーチ演出やキャラクタ演出）を、ストーリー演出（特定遊技演出）や目的演出（特定遊技演出）ということもできる。これにより、遊技者の大当りへの期待感を高め、遊技興趣を高めることが可能となる。
【０３００】
また、S4555では、S4551において取得した演出図柄決定用乱数および図示しない停止図柄決定テーブルに基づいて、停止表示する演出図柄８（「停止演出図柄」ともいう）を決定し、これを設定する。演出図柄遊技演出の結果として停止表示される演出図柄８は、特別図柄当否判定の結果が外れであって、リーチ有り外れの場合は「７８７」等の３個の演出図柄８Ｌ、８Ｃ、８Ｒのうち１個の演出図柄が他の演出図柄と異なるバラケ目とされ、リーチ無し外れのときは「６３５」等の３個の演出図柄８Ｌ、８Ｃ、８Ｒのうち少なくとも１個の演出図柄が他の演出図柄が異なるバラケ目とされる。一方、特別図柄当否判定の結果が大当りであって、１６Ｒ第１大当り及び１６Ｒ第６大当りの何れかの場合は「７７７」のゾロ目とされ、６Ｒ第２〜第５大当り及び１６Ｒ第１１大当りの何れかの場合は「７７７」以外の奇数図柄のゾロ目または「６６６」等の偶数図柄のゾロ目とされ、ＲＵＢに相当する大当りの場合は「３★３」等のＲＵＢ専用出目（専用図柄）とされる。また、２Ｒ大当りの場合は、外れのときと同じ態様（バラケ目）で３個の演出図柄８Ｌ、８Ｃ、８Ｒを停止表示するものとしている。但し、２Ｒ大当りについては、「１３５」等の予め定めたチャンス目を停止表示してもよい。尚、前述の演出図柄８の停止表示態様は一例であり、大当りとなったときに停止演出図柄として何を停止表示するかは適宜変更可能である。
【０３０１】
本実施例のパチンコ遊技機１には、演出図柄８の変動態様（変動演出パターン、演出図柄遊技演出）として、リーチＡ、リーチＢ、リーチＣ、スーパーリーチ（「ＳＰリーチ」ともいう）Ａ、スーパーリーチＢ、スーパーリーチＣ、キャラクタ演出等が設定されており、S4555で、変動演出パターン決定テーブルに基づいて、これらのうち何れの演出を行うか、又はこれらの演出を行わない（これを「ノーマル変動」ともいう）かが決定される。そして、リーチ有演出図柄遊技演出が実行される場合には、変動パターン指定コマンド及び変動演出パターン決定テーブルに基づいて、何れかのリーチ演出が設定される。ここで、演出図柄遊技演出として、スーパーリーチ演出が実行される場合には、ノーマルリーチ演出が実行される場合と比較して、大当りとなる可能性が高くなるように設定されている。すなわち、スーパーリーチ演出はリーチ（ノーマルリーチ）演出と比較して大当り信頼度（大当りとなる可能性）の高い遊技演出であるといえる。尚、リーチ演出は、主として、変動時間が３００００ｍｓ以上の変動パターン（図９を参照）を指定する変動パターン指定コマンドを受信した場合に設定（実行）され得る。また、変動時間が３００００ｍｓ未満の変動パターンは、リーチ演出やキャラクタ演出やストーリー演出を行わないノーマル変動（ノーマル演出）という。このノーマル演出はリーチ演出等と比較して、大当りとなる可能性が低い遊技演出とされる。
【０３０２】
また、S4556では、後述する予告演出設定処理を行う（S4556）。予告演出設定処理では、変動演出パターン（演出図柄遊技演出）に伴って実行される予告演出であって、前述したモード突入予告やキャラクタ予告等を含む当該予告の実行有無及び種別を決定する。次いで、S4557では、後述する連続予告演出設定処理を行う（S4557）。連続予告演出設定処理では、変動演出パターン（演出図柄遊技演出）に伴って実行される予告演出であって、前述したモード突入連続予告やキャラクタ連続予告等を含む事前予告の実行有無及び種別を決定する。
【０３０３】
また、この実行される予告演出（当該予告、事前予告）を含めて演出図柄遊技演出ともいう。この予告演出は、実行中の演出図柄遊技演出の結果が大当り態様で停止表示する可能性や、特定の遊技演出（特定リーチ演出や特定遊技モード等）が実行される可能性を、演出図柄の変動表示の開始後であって、演出図柄が停止表示（確定停止表示）する前（演出図柄の変動表示中）に示す演出（事前報知演出）である。また、S4556及びS4557では、S4551において取得した予告演出決定用乱数およびS4554においてセットした予告演出決定テーブルに基づいて、指定された変動パターン及び決定された変動演出パターンに適合した予告演出を選択し、これを設定する（S4556、S4557）。
【０３０４】
本実施例１では、表示態様（実行態様）が異なる複数の予告演出を有しており、これらに対応する予告演出決定用乱数として、複数の予告演出決定用乱数を有している。具体的に、モード突入予告決定用乱数、カウント予告決定用乱数、キャラクタ予告決定用乱数、会話予告決定用乱数、ステップアップ予告決定用乱数、モード突入連続予告決定用乱数、キャラクタ連続予告決定用乱数、保留変化決定用乱数等を有しており、これらの予告演出決定用乱数の取得値と各予告演出決定テーブルとを用いて、実行する予告演出を決定する。また、各予告演出決定用乱数は、変動演出開始処理（S4406）における演出決定用乱数取得処理（S4551）により所定の値が取得される。
【０３０５】
S4558では、S4555、S4556、S4557において設定した変動演出パターン及び予告演出（事前演出を含む）に基づいて、演出図柄遊技演出等を開始するための変動演出開始コマンドをサブ制御基板９０のＲＡＭ内の出力バッファにセットし（S4558）、変動演出開始処理を終了する。S4558でセットされた変動演出開始コマンドが、コマンド送信処理（S4006）により画像制御基板１００に送信されると、画像制御用マイコン１０１は、変動演出開始コマンドに基づき特定される変動演出パターン、すなわちS4555で設定された変動演出パターンに対応する所定の画像データを画像制御基板１００のＲＯＭから読み出して、該読み出した画像データによる変動演出等を画像表示装置７の表示画面７ａ上で実行する。また、演出表示器１０２での２個のＬＥＤによる変動表示（点滅表示）も実行する。
【０３０６】
［予告演出設定処理］
次に、図４６を用いて、特別図柄（演出図柄）の変動表示に伴って実行する予告演出（当該予告）を決定するための予告演出設定処理（S4556）について説明する。予告演出設定処理（S4556）ではまず、連続予告の実行中かどうかを判定する（S4601）。連続予告を実行中かどうかは、後述するキャラクタ連続予告実行フラグ及びモード突入連続予告実行フラグがＯＮかどうかを判定することで判断する。S4601で。連続予告の実行中であると判定した場合（S4601でYES）、モード突入予告及びキャラクタ予告の実行判定をすることなく、S4613の処理に移行する。
【０３０７】
連続予告（キャラクタ連続予告又はモード突入連続予告）の実行が決定している場合、又は、連続予告を既に実行中の場合、特定の予告（当該予告）の実行判定を行わない。この実行が制限される特定の予告は、同様のキャラクタが表示される等、演出態様（演出内容）が連続予告と関連する予告である。連続予告の実行中にこれらの予告を実行すると、連続予告の実行回数や実行態様が不明確となり、遊技興趣を低下させる虞があるからである。
【０３０８】
一方、S4601で、連続予告の実行中でない（連続予告の実行が決定されていない）と判定した場合（S4601でNO）、次いで、制限カウンタの値が「０」より大きいかどうかを判定する（S4602）。ここで、「制限カウンタ」とは、所定のモード突入予告の実行を制限するためのカウンタで、このカウンタの値が１以上の場合には制限され、０の場合は制限されない。尚、制限カウンタに値をセットする制御処理については後述する。
【０３０９】
S4602で、制限カウンタの値が０より大きくない、すなわち、制限カウンタの値が「０」であると判定した場合（S4602でNO）、第１モード突入予告実行判定を行い（S4603）、S4608の処理に移行する。第１モード突入予告実行判定では、通常の場合（モード突入予告の制限がない非制限期間、「第１期間」ともいう）に用いる第１モード突入予告決定テーブル（図４８参照）に基づいて、モード突入予告を実行するかどうか、及び、どの種類（演出態様）のモード突入予告を実行するかを判定する。一方、S4602で、制限カウンタの値が０より大きい、すなわち、モード突入予告の制限期間（「第２期間」ともいう）中であると判定した場合（S4602でYES）、第２モード突入予告実行判定を行い（S4604）、S4605の処理に移行する。
【０３１０】
第２モード突入予告実行判定では、制限期間の場合（モード突入予告の制限期間）に用いる第２モード突入予告決定テーブル（図４８参照）に基づいて、モード突入予告を実行するかどうか、及び、どの種類（演出態様）のモード突入予告を実行するかを判定する。ここで、図４８に示す通り、第１モード突入予告決定テーブルと第２モード突入予告決定テーブルとは、非制限期間用の第１モード突入予告決定テーブルで決定可能なモード突入予告は、４種類（青、赤、赤＋炎柄、金＋炎柄）であるところ、制限期間用の第２モード突入予告決定テーブルで決定可能なモード突入予告は、３種類（赤、赤＋炎柄、金＋炎柄）である点で相違する。
【０３１１】
また、本実施例では、第１モード突入予告決定テーブルと第２モード突入予告決定テーブルとで、共通して実行可能な３種類（赤、赤＋炎柄、金＋炎柄）のモード突入予告については、夫々の実行確率は同じ確率に設定される。また、第２モード突入予告決定テーブルは、モード突入予告のうち最も大当り信頼度の低い「青」の実行パターンを実行しない（制限する）ものとし、その分、モード突入予告の非実行確率を高めている。またこれにより、第２モード突入予告決定テーブルで判定する場合よりも、第１モード突入予告決定テーブルで判定する場合の方が、モード突入予告の実行確率が高いものとされる。
【０３１２】
S4604で、第２モード突入予告実行判定を行った後（S4604）、次いで、制限カウンタの値を「１」減算し（S4605）、減算後の制限カウンタの値が「０」かどうかを判定する（S4606）。S4606で、制限カウンタの値が「０」でない、すなわち、制限期間を継続すると判定した場合（S4606でNO）、S4608の処理に移行する。一方、制限カウンタの値が「０」である、すなわち、本変動表示をもって、制限期間を終了すると判定した場合（S4606でYES）、制限期間を制御するための制限フラグをＯＦＦにし（S4607）、S4608の処理に移行する。
【０３１３】
S4608では、S4603又はS4604の判定の結果がモード突入予告を実行するかどうかを判定し（S4608）、モード突入予告を実行すると判定した場合（S4608でYES）、決定した予告種別（実行態様）のモード突入予告をセットし（S4609）、S4610の処理に移行する。一方、S4608、S4603又はS4604の判定の結果がモード突入予告を実行しないと判定した場合（S4608でNO）、モード突入予告の設定をすることなくS4610の処理に移行する。S4610では、前述したキャラクタ予告（当該予告）を実行するかどうかを判定するキャラクタ予告実行判定を行い（S4610）、S4611の処理に移行する。キャラクタ予告実行判定では、キャラクタ予告決定用乱数と図示しないキャラクタ予告決定用テーブルとに基づいて、キャラクタ予告を実行するかどうか、実行する場合にはどの予告種別のキャラクタ予告を実行するかについて判定する。
【０３１４】
S4611では、S4611の判定の結果がキャラクタ予告を実行するかどうかを判定し（S4611）、キャラクタ予告を実行すると判定した場合（S4611でYES）、決定した予告種別（実行態様）のキャラクタ予告（図５１参照）をセットし（S4612）、S4613の処理に移行する。一方、キャラクタ予告を実行しないと判定した場合（S4611でNO）、キャラクタ予告の設定をすることなくS4613の処理に移行する。S4613では、カットイン予告や疑似連予告等、その他の予告演出を判定・設定する予告演出設定処理を実行し（S4613）、処理を終える。
【０３１５】
［連続予告演出設定処理］
次に、図４７を用いて、特別図柄（演出図柄）の変動表示に伴って実行する事前予告演出（事前演出、連続予告）を設定するための連続予告演出設定処理（S4556）について説明する。尚、連続予告等（モード突入連続予告、キャラクタ連続予告）の事前演出は、特別図柄（演出図柄）の変動表示の開始に伴って実行されるため、変動演出開始処理において、実行する予告態様を設定する。しかしながら、連続予告等の事前演出を実行するかどうかの判定については、始動入球を契機に実行されるため、前述した事前予告判定処理において行われる。すなわち、始動入球時に実行される事前予告判定処理において実行するかどうか等を判定した連続予告（事前予告）の実行態様を、変動開始時に実行される連続予告設定処理において設定する。
【０３１６】
連続予告演出設定処理（S4557）ではまず、連続予告カウンタの値が「０」より大きいかどうかを判定する（S4701）。ここで、連続予告カウンタには、これから実行する未実行の連続予告の実行回数がセットされており、連続予告カウンタの値が「０」より大きい場合にはその値に応じた（残り回数に応じた）所定の実行態様の連続予告を実行することとなる。また、連続予告カウンタの値が「０」の場合には、未実行の連続予告はなく、すなわち、今回の変動表示に伴って、連続予告は実行されない。
【０３１７】
S4701で、連続予告カウンタの値が「０」より大きくない、すなわち「０」であると判定した場合（S4701でNO）、連続予告を設定することなく、S4712の処理に移行する。一方、S4701で、連続予告カウンタの値が「０」より大きいと判定した場合（S4701でYES）、次いで、遊技状態が高ベース状態かどうかを判定する（S4702）。S4702で、高ベース状態でない、すなわち、低ベース状態であると判定した場合（S4702でNO）、次いで、変動表示を開始するのが第１特別図柄かどうかを判定し（S4703）、変動表示を開始するのは第２特別図柄であると判定した場合（S4703でNO）、S4712の処理に移行する。すなわち、低ベース状態においては、連続予告カウンタの値が「０」より大きい場合であっても、第２特別図柄が変動表示する場合、当該変動表示に伴って連続予告を実行しないものとする。低ベース状態においては、第１特別図柄の変動表示を主体として遊技を行うからである。
【０３１８】
S4703で、変動表示を開始するのが第１特別図柄であると判定した場合（S4703でYES）、連続予告を設定するためのS4705に移行する。一方、S4702で、遊技状態が高ベース状態であると判定した場合（S4702でYES）、値で、変動表示を開始するのが第２特別図柄かどうかを判定し（S4704）、変動表示を開始するのは第１特別図柄であると判定した場合（S4704でNO）、S4712の処理に移行する。すなわち、高ベース状態においては、連続予告カウンタの値が「０」より大きい場合であっても、第１特別図柄が変動表示する場合、当該変動表示に伴って連続予告を実行しないものとする。高ベース状態においては、第２特別図柄の変動表示を主体として遊技を行うからである。
【０３１９】
一方、S4704で、変動表示を開始するのが第２特別図柄であると判定した場合（S4704でYES）、S4705に移行する。S4705では、セットされた連続予告種と、連続予告カウンタの値とから、対応する連続予告演出をセットし（S4705）、連続予告の実行回数を制御するための連続予告カウンタの値を「１」減算し（S4706）、S4707の処理に移行する。ここで、図５４に示す態様の予告種別（青襖）を実行する場合において、連続予告カウンタの値が「４」の場合は、図示しない山を模した絵柄の連続予告キャラクタがセットされ、連続予告カウンタの値が「３」の場合は、図５４（ａ）に示す木に囲まれた家を模した絵柄の連続予告キャラクタＡ２０４ａがセットされ、連続予告カウンタの値が「２」の場合は、図５４（ｂ）に示す家を模した絵柄の連続予告キャラクタＢ２０４ｂがセットされ、連続予告カウンタの値が「１」の場合（対象変動）は、図５４（ｃ）に示す家の中の襖を模した絵柄の連続予告キャラクタＣ２０４ｃがセットされる。
【０３２０】
S4707では、連続予告カウンタの値が「０」になったかどうかを判定し（S4707）、「０」でない、すなわち、次変動以降も連続予告を継続すると判定した場合（S4707でNO）、S4712の処理に移行する。一方、S4707で、連続予告カウンタの値が「０」である、すなわち、今回の変動表示で連続予告を終了する（今回の変動表示が連続予告に係る対象変動である）と判定した場合（S4707でYES）、キャラクタ連続予告実行フラグをＯＦＦにし（S4708）、モード突入連続予告実行フラグをＯＦＦにし（S4709）、制限フラグをＯＮにし（S4710）、制限カウンタに「４」をセットし（S4711）、S4712の処理に移行する。これにより、連続予告終了後の期間が所定の連続予告の実行を制限する制限期間に設定される。また、本実施例では、制限期間の設定時に制限カウンタに「４」を設定することで、連続予告（モード突入連続予告）終了後の４変動の期間を制限期間に設定することが可能となる。
【０３２１】
これは、第１特別図柄又は第２特別図柄の保留上限数と同じ値に設定することで、制限期間突入時に、少なくとも記憶されている保留に関しては、全て制限対象としている。これにより、適切な長さの期間を制限期間として設定し、比較的信頼度の高いモード突入連続予告（連続予告）が実行された直後に、当該モード突入連続予告の少なくとも一部を構成するモード突入演出（第１遊技演出）が、当該予告に係るモード突入予告として実行されるのを制限することが可能となる。S4712では、その他の事前演出（例えば、保留変化事前予告や音声事前予告等）をセットし（S4712）、処理を終える。
【０３２２】
［右打ち指示画像表示処理］
次に、受信コマンド解析処理における大当り遊技関連処理のサブルーチンとして実行される右打ち指示画像表示処理（S4600）について説明する。図５７に示すように、右打ち指示画像表示処理（S4600）では、まず、右打ち表示フラグがＯＦＦであるか否かを判定する（S4651）。ここで、右打ち表示フラグとは、右打ち指示画像７１を画像表示装置７の表示画面７ａ（右打ち表示領域７１ｃ）に表示中であるか否かを示す（判別する）ためのフラグであり、ＯＦＦの場合は表示していないことを示し、ＯＮの場合は表示中であることを示す。S4601にて右打ち表示フラグがＯＦＦでないと判定した場合（S4651でNO）、すなわち、右打ち表示フラグがＯＮである場合には、右打ち指示画像７１を表示中であるため、S4652以降の処理を行うことなく本処理を終える。
【０３２３】
一方、S4651にて右打ち表示フラグがＯＦＦであると判定した場合（S4651でYES）、先のS4410で受信した大当り遊技関連コマンドが１Ｒ開始コマンドであるか否かを判定する（S4652）。大当り遊技関連処理（S4411）は、前述のように大当り遊技関連コマンドの受信（S4410でYES）を契機として実行されるので、S4652では、そのS4411の処理の実行契機となった大当り遊技関連コマンドが１Ｒ開始コマンドであるか否かを判定する。その結果、１Ｒ開始コマンドでない場合は（S4652でNO）、S4653以降の処理を行うことなく本処理を終える。
【０３２４】
一方、S4652にて１Ｒ開始コマンドであると判定した場合（S4652でYES）、右打ち指示画像表示開始コマンドをサブ出力バッファにセットし（S4653）、右打ち表示フラグをＯＮにして（S4654）、本処理を終える。S4653でセットした右打ち指示画像表示開始コマンドは、１Ｒ開始コマンドの受信に基づくS4411の処理でサブ出力バッファにセットされる１Ｒ開始演出コマンドとともに、コマンド送信処理（S4006）によって画像制御基板１００に送信される。これにより、画像表示装置７の表示画面７ａでは、図５８（ａ）に示すように、画面略全体でラウンド演出表示が行われるとともに、画面左上に設けられるラウンド数表示領域７２ａに現在のラウンド数を示すラウンド数画像７２（ここでは「１Ｒ」）が表示され、画面右上に設けられる右打ち表示領域７１ｃに右打ち指示画像７１が表示される。ここで、本実施例の右打ち指示画像７１は、図５８（ａ），（ｂ）に示すように、「右打ち」の文字を表す右打ち文字画像７１ａと、右打ち文字画像７１ａの下方に位置する１つの右矢印画像７１ｂとからなる。この右打ち指示画像７１は、前述した初当り用右打ち指示報知の動画像表示や左打ち指示画像７０に比して表示サイズが小さいものとなっている。
【０３２５】
また、本実施例の右打ち指示画像７１は、前述のS4652およびS4653の処理により、大当り遊技の１ラウンド目の開始に伴って表示が開始された後、S4654の処理でＯＮとなった右打ち表示フラグがＯＦＦになるまで、その表示が継続される。右打ち表示フラグは、前述したように、高ベース状態にて特別図柄の変動表示が行われるなか、当該高ベース状態が終了することとなる回数の特別図柄の変動表示（例えば時短遊技状態での１００回の変動表示）が行われ、遊技状態が低ベース状態（低確低ベース状態）となって最初の特別図柄の変動表示が開始されるタイミングでＯＦＦとなる。したがって、本実施例における右打ち指示画像７１の表示（画像表示装置７による右打ち指示報知）は、初当りに係る大当り遊技の１ラウンド目の開始から、その後に高ベース状態が所定回数の特別図柄の変動表示の実行に基づき終了するまで、表示画面７ａ上の右打ち表示領域７１ｃにて行われる。本実施例では、大当り遊技後の遊技状態は、その大当りが確変大当りであれば確変遊技状態となり、非確変大当り（通常大当り）であれば時短遊技状態となるので、結局のところ、大当り遊技後は必ず高ベース状態となる。よって、初当り後、高ベース状態にて大当りが発生することなく高ベース状態が終了するまでは、右打ち指示画像７１の表示（画像表示装置７による右打ち指示報知）が右打ち表示領域７１ｃにて継続的に行われる。
【０３２６】
具体的には、初当りに係る大当り遊技の１ラウンド目の開始に伴って右打ち表示領域７１ｃにて右打ち指示画像７１の表示が開始されると（図５８（ａ）を参照）、この右打ち指示画像７１の表示は、大当り遊技後の高ベース状態（高確高ベース状態または低確高ベース状態）においても継続される（図５８（ｂ）を参照）。その後、例えば、高ベース状態で大当り（つまり「連チャン」）となった場合、初当りに係る１ラウンド目から継続中の右打ち指示画像７１の表示は、連チャンに係る大当り遊技のファンファーレ演出、ラウンド演出およびエンディング演出が画像表示装置７（表示画面７ａ）で実行される間も継続され、その後の高ベース状態（高確高ベース状態または低確高ベース状態）においても継続される。また、高ベース状態で大当りが発生することなく、高ベース状態の終了条件が成立した場合、例えば、高ベース状態が時短遊技状態（低確高ベース状態）であって該時短遊技状態にて特別図柄の変動表示が１００回行われた場合、次の変動表示の開始に伴い右打ち指示画像７１の表示が終了する（右打ち指示画像７１が消去される）とともに、左打ち表示領域７０ｃにて左打ち指示画像７０の表示（画像表示装置７による左打ち指示報知）が行われる（図５８（ｃ）を参照）。
【０３２７】
［実施例１の作用効果］
以上に説明した本実施例のパチンコ遊技機１では、遊技領域３のうち右遊技領域３Ｂ（所定の領域）に向けて遊技球を発射（右打ち）して遊技を行う右打ち遊技状態（所定遊技状態）として、少なくとも、特別遊技状態（第１所定遊技状態）と高ベース状態（第２所定遊技状態）とを備えるものとなっている。また、右遊技領域３Ｂに向けて遊技球を発射することを指示する右打ち指示報知（所定指示報知）を、特別遊技状態（大当り遊技）と高ベース状態（確変遊技状態、時短遊技状態）とで、同様の態様で実行することが可能となっている。これにより、遊技者にとっては、特別遊技状態と高ベース状態とで遊技状態は異なるものの、右打ち指示報知が同様の態様で実行されるので、特別遊技状態と高ベース状態の何れの遊技状態であっても、右打ち指示報知を認識し易いものとなる。
【０３２８】
特に、本実施例のパチンコ遊技機１では、大当り遊技の１ラウンド目開始に伴って、画像表示装置７（表示画面７ａ）の右打ち表示領域７１ｃに右打ち指示画像７１を表示し、右打ち指示報知を開始（実行）するものとなっている。そして、当該右打ち指示報知（右打ち表示領域７１ｃでの右打ち指示画像７１の表示）を、大当り遊技が終了するまで（本例ではエンディング演出が終了するまで）継続して実行するとともに、大当り遊技後に遊技状態が高ベース状態（高確高ベース状態または低確高ベース状態）に移行した後も、継続して実行するものとなっている。つまり、右打ち表示領域７１ｃに右打ち指示画像７１を表示する態様（所定の態様）の右打ち指示報知を、大当り遊技の開始（１ラウンド目）から高ベース状態中にかけて継続的に実行するものとなっている。これにより、遊技者にとっては、遊技状態が特別遊技状態から高ベース状態に移行したとしても、その移行前後で右打ち指示報知が同様の態様で実行されることとなるので、右打ち指示報知を認識し易いものとなる。特に、特別遊技状態と高ベース状態とで、同じ右打ち指示画像７１が同じ表示位置（右打ち表示領域７１ｃ）に表示されるので、右打ち指示報知の認識のし易さは、より顕著なものとなる。
【０３２９】
また、本実施例のパチンコ遊技機１では、高ベース状態にて大当り（連チャン）となり、当該大当り（連チャン）に係る大当り遊技の実行に際し、高ベース状態中に行っていた右打ち指示報知（右打ち表示領域７１ｃでの右打ち指示画像７１の表示）を、その連チャンに係る大当り遊技においても継続して実行するものとなっている。つまり、右打ち表示領域７１ｃに右打ち指示画像７１を表示する態様（所定の態様）の右打ち指示報知を、高ベース状態から大当り遊技中にかけて継続的に実行するものとなっている。これにより、遊技者にとっては、遊技状態が高ベース状態から特別遊技状態に移行したとしても、その移行前後で右打ち指示報知が同様の態様で実行されることとなるので、右打ち指示報知を認識し易いものとなる。特に、高ベース状態と特別遊技状態とで、同じ右打ち指示画像７１が同じ表示位置（右打ち表示領域７１ｃ）に表示されるので、右打ち指示報知の認識のし易さは、より顕著なものとなる。
【０３３０】
また、本実施例のパチンコ遊技機１では、低確低ベース状態にて大当り（初当り）となった場合のオープニング演出として、初当り用右打ち指示報知を含む初当りオープニング演出を行うものとなっている。初当り用右打ち指示報知は、右遊技領域３Ｂの下部に位置する大入賞口３０に遊技球が入球する様子を描いた動画像を表示画面７ａの略中央に表示するものであり、右打ち表示領域７１ｃに右打ち指示画像７１を表示する右打ち指示報知に比して目立つ態様となっている。このため、低ベース状態で左打ちを行って遊技を進めてきた遊技者に対しは、大当り遊技の開始に際して右打ちを行うことを、積極的に促すことが可能となる。
【０３３１】
一方、高ベース状態にて大当り（連チャン）となった場合のオープニング演出（連チャンオープニング演出）では、初当りオープニング演出のような初当り用右打ち指示報知（画面略中央での右打ちを促す動画像表示）を行わず、高ベース状態中に行っていた右打ち指示報知（右打ち表示領域７１ｃでの右打ち指示画像７１の表示）をそのまま行うものとなっている。これにより、連チャンを繰り返すことで大袈裟な右打ち指示報知が何度も行われることを回避して、遊技者に煩わしさを感じさせないようにすることが可能となる。特に、高ベース状態中の右打ち指示報知は、その高ベース状態に移行する前の特別遊技状態（大当り遊技時）から同じ態様（同じ画像、同じ表示位置）で継続して実行されているものなので、遊技者にしてみれば、連チャンが発生した時点では、右打ちを行うことを十分に認識している状況にあるといえる。このことからも、連チャンオープニング演出にて、初当りオープニング演出と同様な右打ち指示報知を行うことなく、高ベース状態中の右打ち指示報知をそのまま行うことは、遊技者心理を考慮した有効な指示報知であるといえる。
【０３３２】
また、本実施例のパチンコ遊技機１では、初当りに係る大当り遊技の開始を契機として、その１ラウンド目の開始から、その後の高ベース状態が所定回数の特別図柄の変動表示の実行に基づき終了するまで、右打ち表示領域７１ｃに右打ち指示画像７１を表示し続けるものとなっている。つまり、初当りに係る大当り遊技の１ラウンド目開始から連チャン期間の終了まで一貫して、表示画面７ａの隅の方（本例では画面右上）に右打ち指示画像を画面サイズに比して小さく表示して、右打ち指示報知を目立ち過ぎない態様で行うものとなっている。これにより、画像表示装置７の表示画面７ａで実行される大当り遊技演出や高ベース状態中の演出図柄遊技演出等の妨げになることを回避しつつ、遊技者に右打ちを行う遊技状態であることを十分に認識させる（印象付ける）ことが可能となる。
【実施例２】
【０３３３】
次に、本発明の実施例２のパチンコ遊技機１について説明する。本実施例（実施例２）は、前述した実施例１に対し、高ベース状態中に右打ち指示画像７１の表示態様が変化し得る構成を付加したものである。以下では、実施例１と異なる点（構成、作用効果等）を中心に説明し、実施例１と共通する点（構成、作用効果等）についての説明は省略する。
【０３３４】
本実施例では、サブ制御基板９０の演出制御用マイコン９１が、図５９に示す右打ち指示画像変更処理（S4700）を実行するものとなっている。この右打ち指示画像変更処理（S4700）は、図４３に示した受信コマンド解析処理（S4302）のS4405にて、変動開始コマンドを受信したと判定した場合に（S4405でYES）、変動演出開始処理（S4406）に加えて実行する処理である。
【０３３５】
図５９に示すように、本実施例の右打ち指示画像変更処理（S4700）では、まず、右打ち表示フラグがＯＮであるか否かを判定し（S4751）、ＯＮでない（ＯＦＦである）場合には（S4751でNO）、S4752以降の処理を行うことなく本処理を終える。右打ち表示フラグがＯＦＦのときは、右打ち指示画像７１が表示されない低ベース状態（低確低ベース状態）だからである。一方、右打ち表示フラグがＯＮである場合（S4751でYES）、変動カウンタの値（計数値）が所定値（Ｍ）であるか否かを判定する（S4752）。
【０３３６】
ここで、変動カウンタは、大当り遊技後の高ベース状態にて実行される特別図柄の変動表示の回数（変動回数）をサブ制御側で計数するカウンタ（変動回数計数手段）であり、本実施例では、主制御基板８０からの変動停止コマンドを受信する毎に、当該変動カウンタを１加算するものとなっている。この変動カウンタによる計数値は、次の大当りが発生するか、大当りが発生することなく高ベース状態が終了する（低ベース状態に移行する）ことでリセット（初期化）される。尚、変動カウンタは、サブ制御基板９０のＲＡＭの所定領域に設けられている。
【０３３７】
また、変動カウンタの判定値である所定値（Ｍ）は、高ベース状態の終了条件となる特別図柄の変動回数よりも少ない回数に相当する値とされるものであり、例えば、時短遊技状態の終了条件である１００回よりも少ない回数の値を、所定値（Ｍ）として設定することが可能である。本実施例では、所定値（Ｍ）を「５０」（Ｍ＝５０）としている。尚、所定値（Ｍ）は、任意に設定することが可能であり、予め定められた固定値であっても、例えば大当り発生毎にランダムに設定する変動値であってもよい。
【０３３８】
S4752にて、変動カウンタの値が所定値（本例では「５０」）でないと判定した場合（S4752でNO）、S4753以降の処理を行うことなく本処理を終える。一方、変動カウンタの値が所定値（本例では「５０」）であると判定した場合（S4752でYES）、右打ち文字画像消去コマンドをサブ出力バッファにセットし（S4753）、右打ち表示変更フラグをＯＮにして（S4754）、本処理を終える。
【０３３９】
S4753でセットした右打ち文字画像消去コマンドは、変動開始コマンドの受信に基づく変動演出開始処理でサブ出力バッファにセットされる変動演出開始コマンドとともに、コマンド送信処理（S4006）によって画像制御基板１００に送信される。これにより、画像表示装置７（表示画面７ａ）の右打ち表示領域７１ｃに表示される右打ち指示画像７１（図５８（ｂ）を参照）のうち右打ち文字画像７１ａが消去され、右矢印画像７１ｂだけが表示された状態となる。したがって、本実施例では、遊技状態が高ベース状態となって特別図柄の変動表示が５０回行われると、その次（５１回目）の変動表示の開始に伴って右打ち文字画像７１ａが消去され、これ以降、右打ち表示領域７１ｃには右打ち指示画像７１として右矢印画像７１ｂだけが表示されることとなる。つまり、高ベース状態にて大当り（連チャン）が発生することなく特別図柄の変動表示が５０回行われると、これを契機に右打ち指示報知の態様が「右打ち文字画像と右矢印画像との組合せ」から「右矢印画像だけ」に変化する。
【０３４０】
また、S4754でＯＮにする右打ち表示変更フラグは、高ベース状態にて右打ち文字画像７１ａを消去したこと（右打ち指示報知の態様が変化したこと）を示すフラグである。この右打ち表示変更フラグを各種演出の実行に際して参照することで、その参照結果（右打ち文字画像７１ａの表示有無）を演出に反映させることが可能となっている。例えば、右打ち文字画像７１ａを消去した後は、その右打ち文字画像７１ａを表示していた領域に、当該変動予告や保留先読み予告に係る予告演出画像を表示したり、特別図柄（演出図柄８）の変動表示回数を示す回数表示を表示したりする等、演出表示のバリエーションを増やすことが可能である。尚、S4754でＯＮとなった右打ち表示変更フラグは、その後、大当り（連チャン）が発生することなく高ベース状態が終了した場合にＯＦＦとなる。
【０３４１】
［実施例２の作用効果］
以上に説明した本実施例（実施例２）のパチンコ遊技機１によれば、初当りに係る大当り遊技の１ラウンド目開始時から画像表示装置７（表示画面７ａ）の右打ち表示領域７１ｃに表示され、その後の高ベース状態においても引き続き表示される右打ち指示画像７１の表示態様（右打ち指示報知の態様）が、高ベース状態中の所定時期に変化し得るものとなっている。具体的には、高ベース状態での特別図柄の変動回数が所定回数になることに基づいて、右打ち指示画像７１を構成する右打ち文字画像７１ａが消去され、右矢印画像７１ｂだけが右打ち表示領域７１ｃに表示されるものとなっている。これにより、特別遊技状態から高ベース状態に移行した後の当該高ベース状態での特別図柄（演出図柄）の変動回数に応じて、右打ち指示報知の態様が変化し得るものとなるので、遊技者を右打ち指示報知に注目させることが可能となる。
【０３４２】
特に、本実施例では、高ベース状態中の右打ち指示報知が、表示画面７ａの隅の方（本例では画面右上）に、画面サイズに比して小さな右打ち指示画像７１を表示するものとなっている。このような右打ち指示画像７１の表示態様（右打ち指示報知の態様）を変更可能に構成することで、高ベース状態中における表示画面上の僅かな変化に気付かせるといった興趣を付加することが可能となる。
【０３４３】
尚、右打ち指示報知の態様の変化（変更）は、本実施例で示した右打ち文字画像７１ａの消去に限定されるものではない。例えば、右矢印画像７１ｂの消去、右打ち文字画像７１ａと右矢印画像７１ｂの一方または両方の表示サイズの変化（拡大または縮小）、色の変化、模様の変化、表示位置（表示箇所）の変化、右打ち文字画像７１ａの書体の変化、右矢印画像７１ｂの形状の変化等、右打ち指示画像７１の表示態様（つまり、右打ち指示報知の態様）の視覚的な変化をもたらすものであればよい。この場合、例えば、サイズや色、形状等の異なる複数種の右打ち指示画像（右打ち文字画像、右矢印画像）の画像データを画像制御基板１００のＲＯＭに予め記憶しておき、その中から表示対象となる画像データを読み出して、該読み出した画像データによる右打ち指示報知を右打ち表示領域７１ｃで実行する構成を採ることが可能である。
【０３４４】
また、高ベース状態にて右打ち指示画像７１の表示態様（右打ち指示報知の態様）を変更する時期（変化させる時期）に関し、本実施例で示した特別図柄の変動回数により定める構成に限定されるものではない。例えば、高ベース状態に移行してからの経過時間に基づき変更時期を定めたり、特定のリーチ演出や予告演出等の演出実行回数に基づき変更時期を定めたりする等、種々の条件により変更時期を定めることが可能である。
【実施例３】
【０３４５】
次に、本発明の実施例３のパチンコ遊技機１について説明する。本実施例（実施例３）は、前述した実施例に対し、大当り遊技中に右打ち指示画像７１の表示態様が変化し得る構成を付加したものである。以下では、実施例１，２と異なる点（構成、作用効果等）を中心に説明し、実施例１，２と共通する点（構成、作用効果等）についての説明は省略する。
【０３４６】
本実施例では、サブ制御基板９０の演出制御用マイコン９１が、図６０に示す右打ち指示画像変更処理（S4800）を実行するものとなっている。この右打ち指示画像変更処理（S4800）は、図４３に示した受信コマンド解析処理（S4302）における大当り遊技関連処理（S4410）のサブルーチンとして実行する処理である。
【０３４７】
図６０に示すように、本実施例の右打ち指示画像変更処理（S4800）では、まず、右打ち表示変更フラグがＯＮであるか否かを判定し（S4801）、ＯＮでない（ＯＦＦである）場合には（S4801でNO）、S4802以降の処理を行うことなく本処理を終える。本実施例では、前述の実施例３で説明したように、高ベース状態中に右打ち指示報知の態様（右打ち指示画像７１の表示態様）を変更した場合に、その変更後の右打ち指示報知の態様を、同じ高ベース状態での大当り（連チャン）に係る大当り遊技中の所定時期に再度変更可能となっている。このことから、S4801では、前述のS4754でＯＮされ得る右打ち表示変更フラグを参照し、右打ち表示変更フラグがＯＮでない（ＯＦＦである）場合には、右打ち指示報知の態様（右打ち指示画像７１の表示態様）が高ベース状態中に変更されてないこととなるため、S4802以降の処理を行うことなく本処理を終えるのである。
【０３４８】
一方、右打ち表示変更フラグがＯＮである場合（S4801でYES）、前述のS4410で受信した大当り遊技関連コマンドが２Ｒ開始コマンドであるか否かを判定し（S4802）、２Ｒ開始コマンドでない場合には（S4802でNO）、S4803以降の処理を行うことなく本処理を終える。これに対し、２Ｒ開始コマンドである場合には（S4802でYES）、右打ち文字画像表示コマンドをサブ出力バッファにセットし（S4803）、右打ち表示変更フラグをＯＦＦにして（S4804）、本処理を終える。
【０３４９】
S4803でセットした右打ち文字画像表示コマンドは、２Ｒ開始コマンドの受信に基づくS4410の処理（図４３を参照）でサブ出力バッファにセットされる２Ｒ開始演出コマンドとともに、コマンド送信処理（S4006）によって画像制御基板１００に送信される。これにより、画像表示装置７の表示画面７ａでは、２ラウンド目のラウンド演出表示が行われるとともに、右打ち表示領域７１ｃに表示中の右矢印画像７１ｂの上方に右打ち文字画像７１ａが追加して表示される。したがって、本実施例では、高ベース状態にて特別図柄の変動表示が所定回数（例えば５０回）行われ、これを契機に右打ち文字画像７１ａが消去された後、当該高ベース状態にて大当り（連チャン）となった場合に、大当り遊技の２ラウンド目の開始に伴い、再度、右打ち文字画像７１ａが右打ち表示領域７１ｃに表示されることとなる。つまり、「右矢印画像だけ」となった右打ち指示報知の態様が、もとの「右打ち文字画像と右矢印画像との組合せ」に変化（復帰）する。
【０３５０】
［実施例３の作用効果］
以上に説明した本実施例（実施例３）のパチンコ遊技機１によれば、高ベース状態中の右打ち文字画像７１ａの消去により右矢印画像７１ａだけとなった右打ち指示報知の態様が、当該高ベース状態に続く特別遊技状態中の所定時期に変化し得るものとなっている。具体的には、高ベース状態にて、右打ち文字画像７１ａの消去により右矢印画像７１ｂだけを右打ち表示領域７１ｃに表示する状況となった後、当該高ベース状態にて大当り（連チャン）となった場合に、これに係る大当り遊技の２ラウンド目の開始に伴い、先に消去された右打ち文字画像７１ａが、右矢印画像７１ｂだけを表示している右打ち表示領域７１ｃの元の位置に表示されるものとなっている。これにより、高ベース状態から特別遊技状態に移行した後の当該特別遊技状態でのラウンド遊技の進行に応じて、右打ち指示報知の態様が変化し得る（復帰し得る）ものとなるので、遊技者を右打ち指示報知に注目させることが可能となる。
【０３５１】
特に、本実施例では、表示画面７ａの隅の方（本例では画面右上）に小さく表示される右打ち指示画像７１に含まれる右打ち文字画像７１ａを高ベース状態中に消去した後、その右打ち文字画像７１ａを特別遊技状態中に元の位置に表示することが可能となっている。これにより、高ベース状態中に一度は変化した右打ち指示報知の態様の更なる変化（本例では復帰）に気付かせるといった興趣を付加することが可能となる。
【０３５２】
尚、高ベース状態に続く特別遊技状態での右打ち指示報知の態様の変化（変更）は、本実施例で示した再度の右打ち文字画像７１ａの表示に限定されるものではない。例えば、右打ち文字画像７１ａの消去後も継続して表示している右矢印画像７１ｂの表示サイズの変化（拡大または縮小）、色の変化、表示位置（表示箇所）の変化、デザインの変化等であってもよい。また、先の高ベース状態における右打ち指示報知の態様の変化とは無関係に、高ベース状態から継続して実行している右打ち指示報知の態様を、特別遊技状態中の所定時期に変化させる（変更する）ように構成してもよい。
【０３５３】
さらに、特別遊技状態にて右打ち指示報知の態様を変更する時期（変化させる時期）は、本実施例で示した大当り遊技の２ラウンド目の開始タイミング（２Ｒ開始コマンド受信契機）に限定されるものではない。例えば、１ラウンド目もしくは３ラウンド目以降の所定ラウンドの開始タイミング、ラウンド遊技の実行中、所定ラウンドの終了タイミング（ラウンド終了コマンド受信契機）、オープニング演出の開始タイミング（オープニングコマンド受信契機）、オープニング演出の実行中、オープニング演出の終了タイミング（１Ｒ開始コマンド受信契機）、エンディング演出の開始タイミング（エンディングコマンド受信契機）、エンディング演出の実行中、エンディング演出の終了タイミング等、特別遊技状態の開始から終了までのあらゆる時期を、変更時期として定めることが可能である。また、特別遊技状態に移行してからの経過時間に基づき変更時期を定めることも可能である。
【０３５４】
以上、本発明の実施形態として実施例および他の態様を説明したが、本発明はこれらに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することが可能である。
【０３５５】
［他の態様］
前述した本実施例では、連続予告を実行すると判定した場合、その時点の保留数を連続予告カウンタにセットし、当該セットした回数の連続予告を実行するものとした。このような態様に変えて、連続予告カウンタのにセットした回数（すなわち、その時点の保留数）を上限として、対象変動の変動パターンに応じて、すなわち、実行する変動パターンの大当り信頼度に応じて、連続予告の回数を設定してもよい。これにより、大当りの可能性の高い遊技演出（リーチ演出や予告演出）が実行されるほど、回数の多い連続予告を実行するように設定することができる。これにより、連続予告の実行態様によりメリハリをもつことが可能となる。尚、連続予告の実行回数は、連続予告カウンタにセットされた回数の範囲内で、連続予告を実行すると決定した際の保留数（第１特別図柄保留数又は第２特別図柄保留数）、及び、始動入球コマンドに含まれる変動パターン情報（実行される遊技演出、変動時間や判定結果）によって、決定される。また、決定された回数の連続予告は、対象変動及び対象変動に連続する対象変動より前の変動表示において実行されるものとする。
【０３５６】
また、前述した実施例では、所定の予告演出の実行を制限する制限期間として、第１特別図柄又は第２特別図柄の保留上限数である「４」回の特別図柄（演出図柄）の変動表示期間を設定したが、このような態様に限らない。制限期間を、４回未満の回数の変動表示期間に設定してもよいし（例えば、１回や２回）、５回以上（例えば、１０回）の回数の変動表示期間に設定してもよい。また、遊技時間（発射ハンドルで検知等）や経過時間（遊技、非遊技問わず）で設定してもよいし、遊技球の発射球数を検知する検知手段を備え、発射球数（例えば、２００球検知まで制限）によって設定してもよい。また、特定条件（所定の判定の当選）が成立するまでや特定条件が所定回数成立するまで等で設定してもよい。
【０３５７】
また、前述した実施例では、モード突入連続予告実行後に設定される制限期間において、モード突入予告（当該予告）の種別のうち、最も信頼度（モード突入信頼度、大当り信頼度）の低い実行態様（演出態様）の予告種別の実行を制限（禁止）している。これにより、制限期間において、低信頼度のモード突入予告（当該予告）が実行されないようにした（第２モード突入予告決定テーブルを参照）。このような態様に替えて、制限期間において、最も信頼度の低い実行態様（青）に加えて、次に信頼度の低い実行態様（赤）を含めた、複数の実行態様の予告種別の実行を制限（禁止）してもよい。また、これら制限対象の予告種別を完全に禁止するのではなく、実行確率を低下させる態様としてもよい。
【０３５８】
また、制限期間において、比較的高信頼度の実行態様（金＋炎柄、赤＋炎柄、赤の少なくとも一つ）の実行確率を向上させる態様としてもよい。また、比較的高信頼度の実行態様（金＋炎柄、赤＋炎柄、赤の少なくとも一つ）の実行確率を向上させ、且つ、比較的低信頼度の実行態様（青）の実行確率を低下させてもよい。このようにすれば、非制限期間では実行され難い実行態様のモード突入予告が、制限期間には実行され易くなるため、制限期間における遊技興趣を高めることが可能となる。
【０３５９】
また、制限期間は、非制限期間に実行可能なモード突入予告の予告種別の一部（青）を減少させるものとした。このような態様に変えて、制限期間は、予告種別を問わずモード突入予告（当該予告）の全ての実行を禁止（制限）するものとしてもよい。また、非制限期間に実行可能なモード突入予告の予告種別の少なくとも一部を制限する代わりに、制限期間でのみ実行可能な実行態様の予告種別を設け（例えば、青と赤の縞模様等）、当該予告種別を制限期間においてのみ実行可能としてもよい。これにより、制限期間における遊技興趣を高めることが可能となる。
【０３６０】
また、前述の実施例では、右打ち指示画像７１を、「右打ち」の文字を表す右打ち文字画像７１ａと、その上方に位置する１つの右矢印画像７１ｂとからなるものとしていたが、右打ち指示画像７１の態様はこれに限定されるものではなく、右打ち文字画像だけで構成したり、あるいは右矢印画像だけで構成したりすることも可能である。この場合、前述の実施例２，３における表示態様の変更（変化）は、右打ち指示報知を構成する一部画像の消去ではなく、表示中の画像そのものの態様（サイズ、色、形状、表示位置等）を変更する（変化させる）ものとすればよい。また、前述の実施例では、右打ち指示画像７１の表示位置を表示画面７ａの右上（右打ち表示領域７１ｃ）としていたが、右打ち指示画像７１の表示位置はこれに限定されるものではなく、表示画面７ａ上の所定位置とすることが可能である。但し、演出図柄遊技演出や大当り遊技演出（ラウンド演出等）の妨げになるのを回避すべく、表示画面７ａのうち外周寄り（画面周縁側）に表示するのが望ましい。さらに、液晶表示装置等の表示装置を複数備える場合には、演出図柄遊技演出や大当り遊技演出が行われる表示装置とは別の表示装置に、右打ち指示画像を表示するようにしてもよい。
【０３６１】
また、前述の実施例では、左打ち指示画像７０を、「左打ちに戻してください」の文字を表す左打ち文字画像７０ａと、その上方に位置する３つの左矢印画像７０ｂとからなるものとしていたが、左打ち指示画像７０の態様はこれに限定されるものではなく、前述の右打ち指示画像７１と同様に、種々の態様を採ることが可能である。尚、左打ち指示画像７０の表示（左打ち指示報知）は、高ベース状態（右打ち遊技状態）が終了して低ベース状態（左打ち遊技状態）に移行すること、すなわち、遊技球の発射を「右打ち」から「左打ち」に変更する（戻す）ことを、遊技者に分かり易く積極的に示す必要があることから、右打ち指示画像７１の表示（右打ち指示報知）に比べ、表示サイズを大きくしたり表示位置を画面中央寄りにしたりする等、遊技者がより認識し易い態様（目立つ態様）で行うのが望ましい。
【０３６２】
また、前述の実施例では、右打ち表示領域７１ｃにおける右打ち指示画像７１の表示を、初当りに係る大当り遊技の１ラウンド目の開始から、その後の高ベース状態の終了（大当り遊技の実行に伴う終了を除く）まで継続して実行するものとなっており、その間の連チャンに係る大当り遊技が行われる場合にも、ファンファーレ演出、ラウンド演出およびエンディング演出の各演出の実行中を含め、継続して実行するものとなっていた。これに対し、初当りに係る大当り遊技の１ラウンド目から継続する右打ち指示画像７１の表示を、その後の連チャンに係る大当り遊技でのファンファーレ演出やエンディング演出が行われる時期、すなわち、遊技状態が特別遊技状態に移行する時期や特別遊技後の高ベース状態に移行する時期に中断（一時的に消去）し、ファンファーレ演出やエンディング演出が終了したら、右打ち指示画像７１の表示を同じ表示位置で再開するようにしてもよい。このように右打ち指示画像７１の表示を一時的に中断したとしても、連チャン期間中の右打ち指示報知が遊技者にとって認識し難いものとなる可能性は極めて低く（可能性は無く）、前述した実施例と同様の効果を奏することは可能である。
【０３６３】
また、事前演出（連続事前演出）は、連続する複数の変動表示を用いて実行可能とされており、１回の変動表示（対象変動）においてのみ実行される場合もある。これらを含めて事前演出（連続事前演出）という。また、１回の変動表示（対象変動）においてのみ実行される場合の事前演出も連続事前演出に含むものとする。また、この「事前演出」を実行するサブ制御部を「事前演出実行手段」ともいう。
【０３６４】
また、前述した実施例等では、大当り遊技のラウンド数として「２Ｒ」と「１５Ｒ」の２種類を有するものとしていたが、ラウンド数はこれに限定されるものではなく、ラウンド数の種類を３種類以上としてもよく、あるいは１種類だけとしてもよい。さらに、第１大入賞口３０および第２大入賞口３５（Ｖアタッカー）の開放パターンも前述の実施例に限定されるものではなく、例えば、１ラウンドあたりの開放時間や開放回数等は、種々の態様を採ることが可能である。
【０３６５】
また、前述した実施例等では、Ｖラウンドにおける第２大入賞口３５（Ｖアタッカー）の開放時間の長短によって、Ｖ通過可能性が高くなる（容易となる）場合と、低くなる（実質的に不可能となる）場合とを設定していた。すなわち、Ｖラウンドにおける第２大入賞口３５の開放時間が相対的に長い場合には、当該第２大入賞口３５への遊技球の入球が容易となって、第２大入賞口３５に入球した遊技球の少なくとも１個がほぼ確実に特定領域３９を通過するものとし、一方、Ｖラウンドにおける第２大入賞口３５の開放時間が相対的に短い場合には、当該第２大入賞口３５への遊技球の入球が困難（実質的に不可能）となり、これにより遊技球が特定領域３９を通過しないものとしていた。これに代えて、特定領域を開閉する可動片を設け、Ｖラウンドでの第２大入賞口３５への入球数（入球数計数手段による計数値）に基づいて可動片を動作させることとし、その動作態様によってＶ通過可能性が異なるようにしてもよい。
【０３６６】
例えば、Ｖラウンドでの第２大入賞口３５への第１所定数（例えば１個目）の入球に基づいて可動片を動作させる場合には、その可動片の動作態様をＶ通過可能性が低くなる（実質的に不可能となる）態様とし、第２所定数（例えば２個目〜規定数の何れか）の入球に基づいて可動片を動作させる場合には、その可動片の動作態様をＶ通過可能性が高くなる態様とする。そして、Ｖラウンドにて可動片がＶ通過可能性の低い態様でしか動作しない大当り、すなわち、第２大入賞口３５への第１所定数の入球に基づいてのみ可動片が動作する大当りを「Ｖ非通過予定大当り」とし、Ｖ通過可能性の低い態様で動作する場合とＶ通過可能性の高い態様で動作する場合とがある大当り、すなわち、第２大入賞口３５への第１所定数の入球と第２所定数の入球とに基づいて可動片が動作する大当りを「Ｖ通過予定大当り」とすればよい。このような構成によっても、前述した実施例等と同様に、特定領域への遊技球の通過有無に基づき確率変動機能の作動有無（高確率状態の発生有無）を決定することが可能となる。
【０３６７】
また、前述した実施例等では、大当り遊技中（特別遊技中）のＶラウンドで遊技球が特定領域３９を通過したことに基づいて高確率状態を発生させるという遊技上の特典を遊技者に付与するものを例示したが、本発明でいう特典は高確率状態の発生に限られるものではない。例えば、始動口への遊技球の入球頻度を高くする高ベース状態や、識別情報の変動時間を通常より短くする変動時間短縮状態（時短状態）等、遊技者に何らかの利益を付与するものであれば、その特典の内容（種類）は問わない。また、遊技球が特定領域を通過したことに基づいて、一の特典を付与するものであっても複数の特典を付与するものであってもよい。
【０３６８】
また、前述した実施例では、確変作動口としての特定領域３９を有するパチンコ（所謂「Ｖ確機」）に本発明を適用したものを例示したが、これに限らず、大入賞口内に特定領域３９を有することなく、特別図柄当否判定の結果（停止表示される大当り図柄の種類）に基づいて高確率状態を付与するか否かを決定するタイプの遊技機（所謂「図柄確変機」）においても、本発明は適用可能である。あるいは、確率変動機能を備えていないタイプの遊技機にも本発明は適用可能である。また、特別図柄当否判定の結果が小当りとなることで入球可能となる大入賞口に特定領域（Ｖ領域）を備え、小当り遊技の際にその大入賞口に入球した遊技球が特定領域を通過（Ｖ通過）すると大当りとなり、当該Ｖ通過に基づき大当り遊技が実行される１種２種タイプのパチンコ遊技機にも本発明を適用することも可能である。
【０３６９】
また、前述した実施例では、第２特図保留（第２特別図柄の変動表示）を第１特図保留（第１特別図柄の変動表示）に優先して消化する制御処理（いわゆる特図２優先変動）を採用していたが、これに限らず、第１特図保留を第２特図保留に優先して消化する制御処理（いわゆる特図１優先変動）としてもよい。あるいは、第１特図保留の消化と第２特図保留の消化とに優先順位を設定せず、第１特図保留および第２特図保留のうち、最も古く記憶されたものから順に消化する制御処理（いわゆる入球順（記憶順）変動）の制御処理としてもよい。また、前述の実施例における特図２優先変動に代えて、第１特別図柄の変動表示と第２特別図柄の変動表示（第１特図保留の消化と第２特図保留の消化）とを並行して実行する制御処理（いわゆる特図１，２同時変動）を採用してもよい。
【０３７０】
［その他］
また前述した遊技機の参考発明として、以下のようにしてもよい。
（参考発明１）
前述の課題を解決するための参考発明１−１の遊技機は、
所定条件の成立に基づいて、識別情報を変動表示する識別情報表示手段と、
前記識別情報の変動表示に伴って所定の遊技演出を実行可能な遊技演出実行手段と、
遊技球が入球可能な入球可能状態と、遊技球が入球不能な入球不能状態と、に変化可能な可変入球口と、
前記識別情報の変動表示の結果が特定結果となると前記可変入球口を入球可能状態とする特別遊技を実行する特別遊技実行手段と、
を備えた遊技機であって、
特定の識別情報の変動表示の内容を示す演出であって、当該特定の識別情報の変動表示より前の識別情報の変動表示に伴って実行される事前演出と、
前記特定の識別情報の変動表示の内容を示す演出であって、当該特定の識別情報の変動表示に伴って実行される特定演出と、を有し、
前記遊技演出として、第１遊技演出と、第２遊技演出と、を有し、
所定の識別情報の変動表示に伴って前記第１遊技演出が実行された場合において、当該所定の識別情報の変動表示中に前記第２遊技演出が実行されない場合、当該第１遊技演出は、前記事前演出であり、
所定の識別情報の変動表示に伴って前記第１遊技演出が実行された場合において、当該所定の識別情報の変動表示中に前記第２遊技演出が実行される場合、当該第１遊技演出は、前記特定演出である
ことを特徴とするものである。
【０３７１】
このような遊技機によれば、識別情報の変動表示に伴って所定の遊技演出を実行可能な遊技演出実行手段を備え、遊技演出として第１遊技演出と第２遊技演出とを有している。また、特定の識別情報の変動表示の内容を示す演出であって、当該特定の識別情報の変動表示より前の識別情報の変動表示に伴って実行される事前演出と、特定の識別情報の変動表示の内容を示す演出であって、当該特定の識別情報の変動表示に伴って実行される特定演出と、を有している。そして、第１遊技演出が実行された所定の識別情報の変動表示中に第２遊技演出が実行されない場合、当該第１遊技演出は事前演出として実行され、第１遊技演出が実行された所定の識別情報の変動表示中に第２遊技演出が実行される場合、当該第１遊技演出は特定演出として実行される。
【０３７２】
これにより、第１遊技演出の実行に伴って第２遊技演出が実行されるかどうかに注目させ、第２遊技演出が実行された場合は実行中の識別情報の変動表示の結果に対する期待感を高め、第２遊技演出が実行されなかった場合は次回以降に実行される識別情報の変動表示の結果に対する期待感を高める。またこれにより、遊技演出を多様化し、遊技興趣を高めることが可能となる。
【０３７３】
ここで、「事前演出」は、特定の識別情報の変動表示より前の識別情報の変動表示に伴って実行可能であるから、特定の識別情報の変動表示に伴って実行可能としてもよい。また、「識別情報の変動表示の内容」とは、識別情報の変動表示の結果や、識別情報の変動表示中に実行される遊技演出（リーチ種や予告種）や、識別情報の変動表示の結果、特別遊技が実行される可能性等をいう。また、「所定条件の成立に基づいて判定を行う判定手段（当否判定手段）と、判定手段の判定結果に基づいて、識別情報を変動表示する識別情報表示手段と、特定の識別情報の変動表示の結果を、判定手段による判定を行うより前に、事前判定する事前判定手段と、事前判定手段の事前判定結果に基づいて、特定の識別情報の変動表示より前の識別情報の変動表示に伴って、事前演出を実行可能な事前演出実行手段と、を備える」ものとしてもよい。
【０３７４】
また、「所定条件の成立に基づいて取得情報を取得して所定個数（複数個）記憶可能な取得情報記憶手段と、取得情報記憶手段に記憶した取得情報を判定する判定手段を備える」ものとしてもよい。また、「特定の識別情報の変動表示の内容を示す演出であって、当該特定の識別情報の変動表示より前の識別情報の変動表示に伴って実行される事前演出」は事前判定手段の事前判定の結果に基づいて実行されるものとしてもよい。また、「特定の識別情報の変動表示の内容を示す演出であって、当該特定の識別情報の変動表示に伴って実行される特定演出」は事前判定手段の事前判定結果、又は／及び、当否判定手段の判定結果に基づいて実行されるものとしてもよい。
【０３７５】
また、第１遊技演出は事前演出として実行される場合と、特定演出として実行される場合とがあるものとされ、第２遊技演出は特定演出として実行される（事前演出としては実行されない）ものとしてもよい。また、所定の識別情報の変動表示に伴って第１遊技演出が実行された場合において、当該所定の識別情報の変動表示中に第２遊技演出が実行されない場合、当該第１遊技演出は、事前演出であり、次回以降の識別情報の変動表示に伴って第２遊技演出が実行されるものとしてもよい。また、所定の識別情報の変動表示に伴って第１遊技演出が実行された場合において、当該所定の識別情報の変動表示中に第２遊技演出が実行されない場合、次回以降の識別情報の変動表示に伴って第２遊技演出が実行される場合と、実行されない場合とがあるものとしてもよい。
【０３７６】
また、参考発明１−２発明の遊技機は、参考発明１−１の遊技機において、
前記第１遊技演出及び前記第２遊技演出は、前記特別遊技の実行可能性を示す遊技演出であることを特徴とするものである。
【０３７７】
このような遊技機によれば、第１遊技演出及び第２遊技演出は、何れも特別遊技の実行可能性を示す遊技演出とされる。これにより、第１遊技演出や第２遊技演出が実行されることで、特別遊技実行への期待感を高めることが可能となる。
【０３７８】
また、参考発明１−３の遊技機は、参考発明１−１又は参考発明１−２の遊技機において、
前記識別情報として演出図柄を有し、
前記遊技演出として、３個の前記演出図柄のうち、２個が一致し、１個が変動表示するリーチ演出を有し、
前記リーチ演出の後、３個の前記演出図柄が一致する組合せで停止表示し、その後、前記特別遊技が実行されるものとされ、
前記第２遊技演出は、前記リーチ演出であることを特徴とするものである。
【０３７９】
このような遊技機によれば、識別情報として演出図柄を有し、遊技演出としてリーチ演出を有している。また、リーチ演出の後に３個の演出図柄が一致する組合せで停止表示することで特別遊技が実行されるものとされ、第２遊技演出はリーチ演出としている。これにより、第１遊技演出に伴ってリーチ演出が実行されるかどうかに注目させ、リーチ演出が実行された場合は実行中の識別情報の変動表示の結果に対する期待感を高め、リーチ演出が実行されなかった場合は次回以降に実行される識別情報の変動表示の結果に対する期待感を高める。またこれにより、遊技演出を多様化し、遊技興趣を高めることが可能となる。
【０３８０】
ここで、「演出図柄が一致する組合せで停止表示」とは、３個（３桁）の識別情報（演出図柄）を同一の図柄で停止表示したり、３個（３桁）の識別情報（演出図柄）を同一を示す図柄（絵柄は完全同一ではないが同じ（一致する）図柄であることを意味する図柄）で停止表示したり、３個（３桁）の識別情報（演出図柄）を対応する図柄（予め定められた組合せで、例えば、「１３５」や「９★９」や「松竹梅」等）で停止表示したりする場合等をいう。
【０３８１】
また、参考発明１−４の遊技機は、参考発明１−１乃至参考発明１−３の遊技機において、
前記特別遊技の実行可能性を示す特定予告演出を備え、
前記特定予告演出として、第１特定予告演出と、前記特別遊技の実行可能性として前記第１特定予告演出よりも高い可能性を示す第２特定予告演出と、を有し、
前記第１遊技演出は、前記第２特定予告演出であることを特徴とするものである。
【０３８２】
このような遊技機によれば、特別遊技の実行可能性を示す特定予告演出として、第１特定予告演出と、第１特定予告演出よりも高い実行可能性を示す第２特定予告演出と、を有している。そして、第１遊技演出を、高い実行可能性を示す第２特定予告演出としている。ここで、特定予告演出として、相対的に高い信頼度（高い特別遊技実行可能性）を示す予告演出（第２特定予告演出）と、相対的に低い信頼度（低い特別遊技実行可能性）を示す予行演出（第１特定予告演出）と、がある。そして、この第１遊技演出を、高い信頼度を示す予告演出（高信頼度予告演出、第２特定予告演出）としている。
【０３８３】
これにより、高い特別遊技実行可能性（信頼度）を示す第１遊技演出が実行されたにもかかわらず、第２遊技演出（例えば、リーチ演出）が実行されない場合、当該第１遊技演出は次の識別情報の変動表示においても演出を継続可能な（次回以降のの識別情報の変動表示に係る信頼度を示す）事前演出とされる。これにより、特別遊技への期待感を長期間維持し、遊技興趣を高める。また、高い特別遊技実行可能性を示す第１遊技演出が実行され、同じ識別情報の変動表示中に、当該第１遊技演出に伴って第２遊技演出（例えば、リーチ演出）が実行された場合、当該第１遊技演出は実行中の識別情報の変動表示に係る特別遊技実行可能性を示す特定演出（当該演出）とされる。これにより、実行中の識別情報の変動表示における特別遊技実行への期待感を高め、遊技興趣を高めることが可能となる。
【０３８４】
また、参考発明１−５の遊技機は、参考発明１−４の遊技機において、
所定の識別情報の変動表示に伴って前記第１特定予告演出が実行された場合において、当該所定の識別情報の変動表示中に前記第２遊技演出が実行されない場合、
当該第１特定予告演出は、前記特定演出として実行されるときと、前記事前演出として実行されるときとがあることを特徴とするものである。
【０３８５】
このような遊技機によれば、第１特定予告演出が実行された識別情報の変動表示の実行中に第２遊技演出が実行されない場合、当該第１特定予告演出は、特定演出として実行されるときと、事前演出として実行されるときとがある。これにより、高い特別遊技実行可能性（信頼度）を示す第２特定予告演出と異なり、低い特別遊技実行可能性を示す第１特定予告演出が実行された場合には、その後に第２遊技演出が実行されないときも、特定演出として実行されることもある。これにより、報知する特別遊技実行可能性が異なる予告演出によって、遊技にメリハリをつけることが可能となる。またこれにより、第２特定予告演出が実行された場合の遊技興趣を顕著に高めることが可能となる。
【０３８６】
また、第１遊技演出は、事前演出として実行される場合と、特定演出として実行される場合とがあってもよい。すなわち、事前演出と特定演出とで共通の遊技演出（予告演出）を有するものとすることができる。また、第１予告演出及び第２予告演出の何れも、事前演出として実行される場合と、特定演出として実行される場合とがあってもよい。
【０３８７】
（参考発明２）
前述の課題を解決するための参考発明２−１発明の遊技機は、
所定条件の成立に基づいて、識別情報を変動表示する識別情報表示手段と、
前記識別情報の変動表示に伴って所定の遊技演出を実行可能な遊技演出実行手段と、
遊技球が入球可能な入球可能状態と、遊技球が入球不能な入球不能状態と、に変化可能な可変入球口と、
前記識別情報の変動表示の結果が特定結果となると前記可変入球口を入球可能状態とする特別遊技を実行する特別遊技実行手段と、
を備えた遊技機であって、
特定の識別情報の変動表示の内容を示す演出であって、当該特定の識別情報の変動表示より前の識別情報の変動表示に伴って開始する事前演出と、
前記特定の識別情報の変動表示の内容を示す演出であって、当該特定の識別情報の変動表示に伴って開始する特定演出と、を有し、
前記遊技演出として、第１遊技演出を有し、
前記第１遊技演出は、前記事前演出及び前記特定演出の何れとしても実行可能とされると共に、前記事前演出として実行される場合の方が、前記特定演出として実行される場合よりも、前記特別遊技の実行可能性として高い可能性を示すことが多い
ことを特徴とするものである。
【０３８８】
このような遊技機によれば、特定の識別情報の変動表示の内容を示す演出であって、当該特定の識別情報の変動表示より前の識別情報の変動表示に伴って開始する事前演出と、特定の識別情報の変動表示の内容を示す演出であって、当該特定の識別情報の変動表示に伴って開始する特定演出と、を有している。また、遊技演出の一つである第１遊技演出は、事前演出及び特定演出の何れとしても実行可能とされており、事前演出として実行される場合の方が、特定演出として実行される場合よりも、特別遊技実行可能性として高い可能性を示すことが多いものとされている。
【０３８９】
これにより、同様の演出態様を事前演出として実行するか、特定演出として実行するかによって、遊技者に報知する特別遊技実行可能性を異ならせ、遊技演出を多様化することが可能となる。またこれにより、第１遊技演出が実行されたことだけでなく、事前演出か特定演出か何れとして実行されたかに注目させ、遊技興趣を高めることが可能となる。
【０３９０】
また、「事前演出」は、特定の識別情報の変動表示より前の識別情報の変動表示に伴って実行可能であるから、特定の識別情報の変動表示に伴って実行可能としてもよい。また、連続する複数の識別情報の変動表示に亘って（跨って）実行されるものとすることができる（「連続演出」や「連続事前演出」ともいう）。また、「識別情報の変動表示の内容」とは、識別情報の変動表示の結果や、識別情報の変動表示中に実行される遊技演出（リーチ種や予告種）や、識別情報の変動表示の結果、特別遊技が実行される可能性等をいう。
【０３９１】
また、「所定条件の成立に基づいて判定を行う判定手段（当否判定手段）と、判定手段の判定結果に基づいて、識別情報を変動表示する識別情報表示手段と、特定の識別情報の変動表示の結果を、判定手段による判定を行うより前に、事前判定する事前判定手段と、事前判定手段の事前判定結果に基づいて、特定の識別情報の変動表示より前の識別情報の変動表示に伴って、事前演出を実行可能な事前演出実行手段と、を備える」ものとしてもよい。また、「所定条件の成立に基づいて取得情報を取得して所定個数（複数個）記憶可能な取得情報記憶手段と、取得情報記憶手段に記憶した取得情報を判定する判定手段を備える」ものとしてもよい。
【０３９２】
また、「特定の識別情報の変動表示の内容を示す演出であって、当該特定の識別情報の変動表示より前の識別情報の変動表示に伴って開始（実行）される事前演出」は事前判定手段の事前判定の結果に基づいて実行されるものとしてもよい。また、「特定の識別情報の変動表示の内容を示す演出であって、当該特定の識別情報の変動表示に伴って開始（実行）される特定演出」は事前判定手段の事前判定結果、又は／及び、当否判定手段の判定結果に基づいて実行されるものとしてもよい。
【０３９３】
また、参考発明２−２の遊技機は、参考発明２−１の遊技機において、
前記第１遊技演出が前記事前演出として実行された場合、当該事前演出に係る前記特定の識別情報の変動表示の終了後の所定期間、前記第１遊技演出が前記特定演出として実行されるのを制限することを特徴とするものである。
【０３９４】
このような遊技機によれば、第１遊技演出が事前演出として実行された場合には、当該事前演出に係る識別情報の変動表示の終了後の所定期間、第１遊技演出が特定演出として実行されることを制限する。これにより、比較的高い特別遊技実行可能性を示す事前演出としての第１遊技演出が実行された直後に、同様の演出態様であるにも関わらず、低い特別遊技実行可能性を示す特定演出としての第１遊技演出が実行されることを制限することが可能となる。またこれにより、実行される遊技演出に期待感を持つことができず、遊技興趣が低下してしまうのを防止することが可能となる。
【０３９５】
ここで、「制限する」とは、実行不能と（実行を禁止）してもよいし、実行頻度（実行確率）を低下させてもよい。また、「所定期間」とは、識別情報の変動表示の回数で規定してもよいし、時間で規定してもよいし、特定条件（所定の判定に当選等）の成立回数（１又は複数）で規定してもよい。
【０３９６】
また、参考発明２−３の遊技機は、参考発明２−２の遊技機において、
前記遊技演出として、第２遊技演出を有し、
前記特定演出として実行される前記第２遊技演出は、前記特定演出として実行される前記第１遊技演出よりも、前記特別遊技の実行可能性として高い可能性を示すものとされ、
前記第２遊技演出は、前記所定期間においてのみ前記特定演出として実行可能であることを特徴とするものである。
【０３９７】
このような遊技機によれば、遊技演出として、第１遊技演出と第２遊技演出とを有している。そして、第１遊技演出及び第２遊技演出は、特定演出として実行される場合、第２遊技演出の方が第１遊技演出よりも、特別遊技の実行可能性として高い可能性を示すものとされる。また、この第２遊技演出を、所定期間においてのみ特定演出として実行可能としている。これにより、所定期間において、第１遊技演出よりも高い特別遊技実行可能性を示す第２遊技演出を実行可能とし、所定期間における遊技興趣の向上を図ることが可能となる。
【０３９８】
所定期間では、第１遊技演出が特定演出として実行されるのを制限する（例えば、禁止したり、頻度低下したり）変わりに、特定演出として第１遊技演出よりも大当り信頼度の高い第２遊技演出の実行を可能とする。これにより、事前演出として第１遊技演出が実行された直後の期間において、特定演出として第１遊技演出が実行されて遊技興趣が低下するのを防止すると共に、特定演出として第１遊技演出よりも期待感の高い第２遊技演出を実行することで遊技興趣を向上させることを可能としている。これにより、所定期間における遊技興趣を顕著に高めることが可能となる。
【０３９９】
尚、第２遊技演出は、所定期間においてのみ、且つ、特定演出としてのみ、実行可能な遊技演出としてもよい。また、特定演出としての第２遊技演出の実行は所定期間に限られるが、事前演出としての第２遊技演出は特定期間以外でも実行するようにしてもよい。
【０４００】
また、参考発明２−４の遊技機は、参考発明２−２の遊技機において、
前記遊技演出として、第２遊技演出を有し、
前記特定演出として実行される前記第２遊技演出は、前記特定演出として実行される前記第１遊技演出よりも、前記特別遊技の実行可能性として高い可能性を示すものとされ、
前記所定期間において前記第２遊技演出が前記特定演出として実行される可能性は、前記所定期間経過後に前記第２遊技演出が前記特定演出として実行される可能性よりも高いことを特徴とするものである。
【０４０１】
このような遊技機によれば、遊技演出として、第１遊技演出と第２遊技演出とを有している。そして、第１遊技演出及び第２遊技演出は、特定演出として実行される場合、第２遊技演出の方が第１遊技演出よりも、特別遊技の実行可能性として高い可能性を示すものとされる。また、この第２遊技演出が特定演出として実行される可能性を、所定期間経過後よりも所定期間において高くしている。これにより、所定期間において、第１遊技演出よりも高い特別遊技実行可能性を示す第２遊技演出を、高い可能性で実行可能とし、所定期間における遊技興趣の向上を図ることが可能となる。
【０４０２】
また、参考発明２−５の遊技機は、
所定条件の成立に基づいて、識別情報を変動表示する識別情報表示手段と、
前記識別情報の変動表示に伴って所定の遊技演出を実行可能な遊技演出実行手段と、
遊技球が入球可能な入球可能状態と、遊技球が入球不能な入球不能状態と、に変化可能な可変入球口と、
前記識別情報の変動表示の結果が特定結果となると前記可変入球口を入球可能状態とする特別遊技を実行する特別遊技実行手段と、
を備えた遊技機であって、
特定の識別情報の変動表示の内容を示す演出であって、当該特定の識別情報の変動表示より前の識別情報の変動表示に伴って開始する事前演出と、
前記特定の識別情報の変動表示の内容を示す演出であって、当該特定の識別情報の変動表示に伴って開始する特定演出と、を有し、
前記遊技演出として、第１特定予告演出と、前記特別遊技の実行可能性として前記第１予告演出よりも高い可能性を示す第２特定予告演出と、を有し、
前記第１特定予告演出及び前記第２特定予告演出は、前記事前演出及び前記特定演出の何れとしても実行可能とされ、
前記第１特定予告演出が前記事前演出として実行される場合の方が、前記第１特定予告演出が前記特定演出として実行される場合よりも、前記特別遊技の実行可能性として高い可能性を示すことが多いものとされ、
前記第１特定予告演出又は前記第２特定予告演出が前記事前演出として実行された場合、当該事前演出に係る前記特定の識別情報の変動表示の終了後の所定期間、前記第１特定予告演出が前記特定演出として実行されるのを制限する
ことを特徴とするものである。
【０４０３】
このような遊技機によれば、特定の識別情報の変動表示の内容を示す演出であって、当該特定の識別情報の変動表示より前の識別情報の変動表示に伴って開始する事前演出と、特定の識別情報の変動表示の内容を示す演出であって、当該特定の識別情報の変動表示に伴って開始する特定演出と、を有している。また、遊技演出として、第１特定予告演出と、第１特定予告演出よりも高い特別遊技実行可能性を示す第２特定予告演出と、を有し、第１特定予告演出及び第２特定予告演出は何れも、事前演出及び特定演出の何れとしても実行可能とされている。また、第１特定予告演出が事前演出として実行される場合の方が、第１特定予告演出が特定演出として実行される場合よりも、特別遊技実行可能性として高い可能性を示すことが多いものとされている。また、第１特定予告演出及び第２特定予告演出の少なくとも何れか一方が事前演出として実行された場合には、事前演出に係る特定の識別情報の変動表示の終了後の所定期間を、第１特定予告演出が特定演出として実行されるのを制限する制限期間とする。
【０４０４】
これにより、同様の演出態様（第１特定予告演出及び第２特定予告演出）を事前演出として実行するか、特定演出として実行するかによって、遊技者に報知する特別遊技実行可能性を異ならせ、遊技演出を多様化することが可能となる。またこれにより、第１特定予告演出又は第２特定予告演出が実行されたことだけでなく、事前演出か特定演出か何れとして実行されたかに注目させ、遊技興趣を高めることが可能となる。
【０４０５】
またこれにより、比較的高い特別遊技実行可能性を示す事前演出としての特定予告演出（第１特定予告演出又は第２特定予告演出）が実行された直後に、同様の演出態様であるにも関わらず、低い特別遊技実行可能性を示す特定演出としての第１特定予告演出が実行されることを制限することが可能となる。またこれにより、実行される遊技演出に期待感を持つことができず、遊技興趣が低下してしまうのを防止することが可能となる。
【０４０６】
ここで、「制限する」とは、実行不能と（実行を禁止）してもよいし、実行頻度（実行確率）を低下させてもよいし、第１特定予告演出の実行頻度を低下させ第２特定予告演出の実行頻度を向上させてもよい。また、「所定期間」とは、識別情報の変動表示の回数で規定してもよいし、時間で規定してもよいし、特定条件（所定の判定に当選等）の成立回数（１又は複数）で規定してもよい。
【０４０７】
また、「第１特定予告演出及び第２特定予告演出のうち、第２特定予告演出が事前演出として実行された場合、当該事前演出に係る特定の識別情報の変動表示の終了後の所定期間、第１特定予告演出が特定演出として実行されるのを制限する」ものとしてもよい。また、「第１特定予告演出及び第２特定予告演出のうち、第１特定予告演出が事前演出として実行された場合、当該事前演出に係る特定の識別情報の変動表示の終了後の所定期間、第１特定予告演出が特定演出として実行されるのを制限しない」ものとしてもよい。また、第１特定予告演出及び第２特定予告演出のうち、第２特定予告演出が事前演出として実行された場合、当該事前演出に係る特定の識別情報の変動表示の終了後の所定期間、第１特定予告演出及び第２特定予告演出の何れも、特定演出として実行されるのを制限する」ものとしてもよい。また、第１特定予告演出又は第２特定予告演出が事前演出として実行された場合、当該事前演出に係る特定の識別情報の変動表示の終了後の所定期間、第１特定予告演出及び第２特定予告演出の何れも、特定演出として実行されるのを制限する」ものとしてもよい。
【０４０８】
（参考発明３）
また、参考発明３−１の遊技機は、
遊技領域に向けて遊技球を発射して遊技を行う遊技機であって、
遊技状態を制御可能な遊技状態制御手段と、
前記遊技領域のうち何れの領域に向けて遊技球を発射するかを指示する指示報知を実行可能な指示報知実行手段と、を備え、
前記遊技状態には、少なくとも、前記遊技領域のうち所定の領域に向けて遊技球を発射して遊技を行う所定遊技状態があり、
前記所定遊技状態には、少なくとも、第１所定遊技状態と第２所定遊技状態とがあり、
前記指示報知には、前記所定の領域に向けて遊技球を発射することを指示する所定指示報知があり、
前記指示報知実行手段は、前記第１所定遊技状態と前記第２所定遊技状態とで、前記所定指示報知を同様の態様で実行可能である
ことを特徴とする。
【０４０９】
上記参考発明３−１の遊技機では、遊技領域のうち所定の領域に向けて遊技球を発射して遊技を行う所定遊技状態として、少なくとも、第１所定遊技状態と第２所定遊技状態とを備えるものとなっている。また、遊技領域のうち所定の領域に向けて遊技球を発射することを指示する所定指示報知を、第１所定遊技状態と第２所定遊技状態とで、同様の態様で実行することが可能となっている。これにより、遊技者にとっては、第１所定遊技状態と第２所定遊技状態とで遊技状態は異なるものの、所定指示報知が同様の態様で実行されることとなるので、第１所定遊技状態と第２所定遊技状態の何れの遊技状態であっても、所定指示報知を認識し易いものとなる。
【０４１０】
（参考発明３−２）
前述した参考発明３−１の遊技機において、
前記遊技状態制御手段は、遊技状態を前記第１所定遊技状態から前記第２所定遊技状態に制御可能であり、
前記指示報知実行手段は、前記第１所定遊技状態にて前記所定指示報知を所定の態様で実行するとともに、遊技状態が前記第１所定遊技状態から前記第２所定遊技状態に移行した後も前記第１所定遊技状態での前記所定指示報知を実行する
ことを特徴とする。
【０４１１】
上記参考発明３−２の遊技機では、第１所定遊技状態にて所定指示報知を所定の態様で実行するとともに、遊技状態が第１所定遊技状態から第２所定遊技状態に移行した場合には、当該移行後の第２所定遊技状態においても、移行前の第１所定遊技状態での所定指示報知を実行するものとなっている。これにより、遊技者にとっては、遊技状態が第１所定遊技状態から第２所定遊技状態に移行したとしても、その移行前後で所定指示報知が同様の態様で実行されることとなるので、所定指示報知を認識し易いものとなる。
【０４１２】
（参考発明３−３）
前述した参考発明３−２の遊技機において、
前記指示報知実行手段は、遊技状態が前記第１所定遊技状態から前記第２所定遊技状態に移行した後の前記所定指示報知の態様を、前記第２所定遊技状態中の所定時期に変更可能である
ことを特徴とする。
【０４１３】
上記参考発明３−３の遊技機では、遊技状態が第１所定遊技状態から第２所定遊技状態に移行した後も第１所定遊技状態での所定指示報知を実行する場合の当該所定指示報知の態様を、第２所定遊技状態中の所定時期に変更することが可能となっている。これにより、第１所定遊技状態から第２所定遊技状態への移行後に所定指示報知の態様が変化し得るものとなるので、遊技者を所定指示報知に注目させることが可能となる。
【０４１４】
（参考発明３−４）
前述した参考発明３−１から参考発明３−３の何れか一つの遊技機において、
前記遊技状態制御手段は、遊技状態を前記第２所定遊技状態から前記第１所定遊技状態に制御可能であり、
前記指示報知実行手段は、前記第２所定遊技状態にて前記所定指示報知を所定の態様で実行するとともに、遊技状態が前記第２所定遊技状態から前記第１所定遊技状態に移行した後も前記第２所定遊技状態での前記所定指示報知を実行する
ことを特徴とする。
【０４１５】
上記参考発明３−４の遊技機では、第２所定遊技状態にて所定指示報知を所定の態様で実行するとともに、遊技状態が第２所定遊技状態から第１所定遊技状態に移行した場合には、当該移行後の第１所定遊技状態においても、移行前の第１所定遊技状態での所定指示報知を実行するものとなっている。これにより、遊技者にとっては、遊技状態が第２所定遊技状態から第１所定遊技状態に移行したとしても、その移行前後で所定指示報知が同様の態様で実行されることとなるので、所定指示報知を認識し易いものとなる。
【０４１６】
（参考発明３−５）
前述した参考発明３−４の遊技機において、
前記指示報知実行手段は、遊技状態が前記第２所定遊技状態から前記第１所定遊技状態に移行した後の前記所定指示報知の態様を、前記第１所定遊技状態中の所定時期に変更可能である
ことを特徴とする。
【０４１７】
上記参考発明３−５の遊技機では、遊技状態が第２所定遊技状態から第１所定遊技状態に移行した後も第２所定遊技状態での所定指示報知を実行する場合の当該所定指示報知の態様を、第１所定遊技状態中の所定時期に変更することが可能となっている。これにより、第２所定遊技状態から第１所定遊技状態への移行後に所定指示報知の態様が変化し得るものとなるので、遊技者を所定指示報知に注目させることが可能となる。
【０４１８】
（参考発明３−６）
前述した参考発明３−１から参考発明３−５の何れか一つの遊技機において、
前記指示報知実行手段は、前記所定の領域に向けて遊技球を発射することを指示する所定指示画像を所定の表示手段に表示することにより前記所定指示報知を実行可能であり、
前記第１所定遊技状態と前記第２所定遊技状態とで、同一の前記所定指示画像を前記表示手段に表示可能である
ことを特徴とする。
【０４１９】
上記参考発明３−６の遊技機では、所定の表示手段に所定指示画像を表示することにより、所定指示報知を実行することが可能となっている。そして、第１所定遊技状態と第２所定遊技状態とで、同一の所定指示画像を表示することが可能となっている。これにより、遊技者にとっては、第１所定遊技状態と第２所定遊技状態とで遊技状態は異なるものの、所定指示画像は同一となるので、所定指示画像の表示（所定指示報知）を認識し易いものとなる。
【０４２０】
（参考発明３−７）
前述した参考発明３−６の遊技機において、
前記指示報知実行手段は、前記第１所定遊技状態と前記第２所定遊技状態とで、同一の前記所定指示画像を前記表示手段の同一の表示部に表示可能である
ことを特徴とする。
【０４２１】
上記参考発明３−７の遊技機では、第１所定遊技状態と第２所定遊技状態とで、同一の所定指示画像を表示手段の同一の表示部に表示することが可能となっている。これにより、遊技者にとっては、第１所定遊技状態と第２所定遊技状態とで遊技状態は異なるものの、所定指示画像およびその表示位置は共に同一となるので、所定指示画像の表示（所定指示報知）を認識し易いものとなる。
【符号の説明】
【０４２２】
１  パチンコ遊技機、２  遊技盤、３  遊技領域、７  画像表示装置、７ａ  表示画面、７ｂ、演出図柄表示領域、７ｃ  背景表示領域、８  演出図柄、９ａ  第１演出保留、９ｂ  第２演出保留、９ｃ  第１演出保留表示領域（第１演出保留表示部）、９ｄ  第２演出保留表示領域（第２演出保留表示部）、２０  第１始動口、２１  第２始動口、３０  第１大入賞口、３５  第２大入賞口、４１ａ  第１特別図柄表示器（第１特別図柄表示部）、４１ｂ  第２特別図柄表示器（第２特別図柄表示部）、８０  主制御基板（主制御部、遊技制御手段）、８１  遊技制御用マイコン（主制御部、遊技制御手段）、９０  サブ制御基板（サブ制御部、演出制御手段）、９１  演出制御用マイコン（サブ制御部、演出制御手段）、１００  画像制御基板（画像制御部、演出制御手段）、１０１  画像制御用マイコン（画像制御部、演出制御手段）。
【図１】
2018047351.tif 000003
【図２】
2018047351.tif 000004
【図３】
2018047351.tif 000005
【図４】
2018047351.tif 000006
【図５】
2018047351.tif 000007
【図６】
2018047351.tif 000008
【図７】
2018047351.tif 000009
【図８】
2018047351.tif 000010
【図９】
2018047351.tif 000011
【図１０】
2018047351.tif 000012
【図１１】
2018047351.tif 000013
【図１２】
2018047351.tif 000014
【図１３】
2018047351.tif 000015
【図１４】
2018047351.tif 000016
【図１５】
2018047351.tif 000017
【図１６】
2018047351.tif 000018
【図１７】
2018047351.tif 000019
【図１８】
2018047351.tif 000020
【図１９】
2018047351.tif 000021
【図２０】
2018047351.tif 000022
【図２１】
2018047351.tif 000023
【図２２】
2018047351.tif 000024
【図２３】
2018047351.tif 000025
【図２４】
2018047351.tif 000026
【図２５】
2018047351.tif 000027
【図２６】
2018047351.tif 000028
【図２７】
2018047351.tif 000029
【図２８】
2018047351.tif 000030
【図２９】
2018047351.tif 000031
【図３０】
2018047351.tif 000032
【図３１】
2018047351.tif 000033
【図３２】
2018047351.tif 000034
【図３３】
2018047351.tif 000035
【図３４】
2018047351.tif 000036
【図３５】
2018047351.tif 000037
【図３６】
2018047351.tif 000038
【図３７】
2018047351.tif 000039
【図３８】
2018047351.tif 000040
【図３９】
2018047351.tif 000041
【図４０】
2018047351.tif 000042
【図４１】
2018047351.tif 000043
【図４２】
2018047351.tif 000044
【図４３】
2018047351.tif 000045
【図４４】
2018047351.tif 000046
【図４５】
2018047351.tif 000047
【図４６】
2018047351.tif 000048
【図４７】
2018047351.tif 000049
【図４８】
2018047351.tif 000050
【図４９】
2018047351.tif 000051
【図５０】
2018047351.tif 000052
【図５１】
2018047351.tif 000053
【図５２】
2018047351.tif 000054
【図５３】
2018047351.tif 000055
【図５４】
2018047351.tif 000056
【図５５】
2018047351.tif 000057
【図５６】
2018047351.tif 000058
【図５７】
2018047351.tif 000059
【図５８】
2018047351.tif 000060
【図５９】
2018047351.tif 000061
【図６０】
2018047351.tif 000062